(57)【要約】      （修正有）【課題】迅速で信頼でき、大量の設定とエネルギ／処理経費を必要としない文字入力用システム及び方法を提供する。【解決手段】複数のキー１０１を規定するキーパッド１００を備え、各キー１０１は一群の記号からの少なくとも１つの記号を備える。一群の記号は、アルファベット記号、数値記号、及びコマンド記号のうち少なくとも１つを備えたサブグループに分割されており、各サブグループは使用者の指の少なくとも一部と関連づけられる。指認識システムは、少なくとも第一のサブグループにおける第一の記号及び少なくとも第二のサブグループにおける第二の記号を有する、少なくとも一つのキー１０１と交信する。指認識システムは、指がキー１０１と相互作用するとき、使用者の指の一部と関連付けられたサブグループに対応するキー１０１上の記号が選択されるよう、使用者の指の一部を認識する。【選択図】図１
2010211825.tif 000002
【特許請求の範囲】
【請求項１】
４つの異なる第１の入力信号を受信するように構成される入力ユニットを備え、前記入力信号の各々は、記号のグループに関連付けられると共に言語のアルファベットの文字の全てと共に関連づけられ、
ユーザによって提供される複数の第１の入力信号のシーケンスに応答して単語のデータベースから単語を選択するように構成される単語予測システムを備える、データ入力システム。
【請求項２】
前記アルファベットの文字に対応する第２の入力信号を受信するように構成される第２の入力ユニットを備える、請求項１に記載のデータ入力システム。
【請求項３】
前記アルファベットの文字に対応する話声信号を受信するように構成される第２の入力ユニットを備える、請求項２に記載のデータ入力システム。
【請求項４】
第１の入力信号に対して前記第１の信号に関連づけられる前記記号のグループからの単一の文字の選択において前記アルファベットの文字に対応する第２の入力信号を使用する認識システムを備える、請求項２又は３に記載のデータ入力システム。
【請求項５】
前記入力ユニットは、前記アルファベットの文字に対応して、前記第１の入力信号を受信するための単一の圧力感知パッドを備える、先行する請求項のいずれか一項に記載のデータ入力システム。
【請求項６】
前記入力ユニットは、４個のキーを備え、各キーは、前記第１の信号の一つを発生するために使用される、請求項１乃至４のいずれか一項に記載のデータ入力システム。
【請求項７】
前記信号の各々は、前記４個のキーの各一つに対する一回の押圧によって入力される、請求項６に記載のデータ入力システム。
【請求項８】
前記４個のキーは、２列に配置され、各列は、前記４個のキーの２個を含む、請求項６又は７に記載のデータ入力システム。
【請求項９】
前記２列は、キーを含まない部分によって分離されている、請求項８に記載のデータ入力システム。
【請求項１０】
前記２列は、前記キーの幅よりも実質的に大きな距離だけ互いから離間される、請求項８に記載のデータ入力システム。
【請求項１１】
前記２列は、互いに当該データ入力システムのスクリーンの反対側に配置される、請求項８乃至１０のいずれか一項に記載のデータ入力システム。
【請求項１２】
前記キーは、物理的キーよりなる、請求項６乃至１１のいずれか一項に記載のデータ入力システム。
【請求項１３】
前記キーは、仮想キーよりなる、請求項６乃至１１のいずれか一項に記載のデータ入力システム。
【請求項１４】
キーとの異なるインタラクションは、異なる信号に対応する、請求項６乃至１３のいずれか一項に記載のデータ入力システム。
【請求項１５】
前記キーは、二つの異なるタイプのインタラクションに応答し、第１のタイプのインタラクションは、前記第１の信号の夫々に対応し且つ第２のタイプのインタラクションは、前記第１の信号によって表されるもの以外の記号に対応する、請求項１４に記載のデータ入力システム。
【請求項１６】
前記キーは、キーが軽く押圧された時に第１の信号の夫々に関連づけられ、キーが強く押圧された時に他の記号に関連づけられる、請求項１５に記載のデータ入力システム。
【請求項１７】
前記４つの入力信号の各々は、少なくとも６つの文字に対応する、先行する請求項のいずれか一項に記載のデータ入力システム。
【請求項１８】
前記入力信号の二つは６つの文字に対応する、先行する請求項のいずれか一項に記載のデータ入力システム。
【請求項１９】
前記４個のキーは、ユーザが２本の指で同時に４個全てのキーにタッチでき、且つ前記２本の指の一方で前記キーの各々を選択的に起動できるように配置される、先行する請求項のいずれか一項に記載のデータ入力システム。
【請求項２０】
前記２本の指は、２本の親指である、請求項１９に記載のデータ入力システム。
【請求項２１】
前記４個のキーは、ユーザが１本の指で同時に全てのキーにタッチでき、この１本の指で前記キーの各々を選択的に起動できるように配置される、請求項１９に記載のデータ入力システム。
【請求項２２】
前記単語予測システムは、ユーザによって提供される複数の第１の入力信号のシーケンスに応答して単語のデータベースから一つの単語を選択すると共に、前記シーケンス中の第１の入力信号の各々に対してその各々が関連づけられる前記記号のグループから文字の一つを選択するように構成される、先行する請求項のいずれか一項に記載のデータ入力システム。
【請求項２３】
ユーザに対して選択された単語を表示するための出力ユニットと、
前記アルファベットの文字に対応する第２の入力信号を受信するように構成される第２の入力ユニットと、を備え、
前記単語予測システムは、第１の入力信号のシーケンスに対して選択された単語を表示した後に受信された受信第２入力信号を使用して、第１の入力信号のシーケンスに対して単語を選択するように構成される、先行する請求項のいずれか一項に記載のデータ入力システム。
【請求項２４】
前記単語予測システムは、第１の入力信号のシーケンスに対して第１の単語を提供すると共に、第２の入力信号を受信することに応答して、第１の入力信号の同じシーケンスに対して第１の単語とは異なる第２の単語を提供するように構成される、請求項２３に記載のデータ入力システム。
【請求項２５】
第２の入力ユニットが受信するように構成される第２の信号は、受信された特定の第１の入力信号によって影響を及ぼされない、請求項２３に記載のデータ入力システム。
【請求項２６】
前記単語予測システムは、対応する第１の信号が入力された直後にカーソルが位置される場所からそのカーソルが移動された後に受信される第２の入力信号を使用して、第１の入力信号のシーケンスに対して単語を選択するように構成される、請求項２３に記載のデータ入力システム。
【請求項２７】
ユーザが２本の指で同時に複数の文字キーの全てにタッチでき、且つ前記２本の指の一方で前記キーの各々を選択的に起動できるように配置される当該複数の文字キーと、
前記複数のキーの各々とのインタラクションを記号のグループに関連づけ、前記キーが共に言語のアルファベットの文字の全てに関連づけられるプロセッサと、を備える、データ入力システム。
【請求項２８】
前記複数のキーは、前記アルファベットの文字の全てに関連づけられる４個のキーよりなる、請求項２７に記載のデータ入力システム。
【請求項２９】
前記２本の指は２本の親指である、請求項２７に記載のデータ入力システム。
【請求項３０】
前記複数の文字キーは、ユーザが１本の指で同時に全てのキーにタッチでき、この１本の指で前記キーの各々を選択的に起動できるように配置される、請求項２７乃至２９のいずれか一項に記載のデータ入力システム。
【発明の詳細な説明】
【技術分野】
【０００１】
（関連出願）
本出願の原出願は、２００３年４月１８日出願の米国仮特許出願第６０／４６３，８４４号と２００３年４月３０日出願の米国仮特許出願第６０／４６６，５９４号と２００３年５月５日出願の米国仮特許出願第６０／４６８，０２８号と２００３年５月３０日出願の米国仮特許出願第６０／４７４，４４７号と２００３年６月３日出願の米国仮特許出願第６０／４７５，５３３号と２００３年６月２６日出願の米国仮特許出願第６０／４８２，７０６号と２００３年６月２７日出願の米国仮特許出願第６０／４８２，９９８号と２００３年８月２０日出願の米国仮特許出願第６０／４９６，７０２号と２００３年９月５日出願の米国仮特許出願第６０／５００，６０２号と２００３年９月１９日出願の米国仮特許出願第６０／５０４，３３１号と２００３年１０月１４日出願の米国仮特許出願第６０／５１０，８８５号と２００４年１月１４日出願の米国仮特許出願第６０／５３６，５６４号と２００４年３月１１日出願の米国仮特許出願第６０／５５２，９６８号と２００４年３月２６日出願の米国仮特許出願第６０／５５７，１４０号とに従って優先権を主張するものであり、これら全てを参照用に本願明細書に組み込むものとする。
【０００２】
本出願は、文字入力のためのシステム及び方法に関する。より詳しくは、本出願はキーや音声やそれらの組み合わせを用いて文字を入力するシステム及び方法に関する。
【背景技術】
【０００３】
文字を電子的に入力する典型的なシステムや方法には、ＱＷＥＲＴＹ配列キーボード等の如き標準的なキーボードの使用が含まれる。しかしながら、最新の電子装置はより小型化されてきたため、所望の文字を入力するのに新たな方法が開発されてきた。
【発明の開示】
【発明が解決しようとする課題】
【０００４】
この種の一つの方法は標準的な電話器数字キーパッド上での多数回押しシステムを用い、それによって複数の英数文字を同一キーに割り当てるものである。この種のシステムに付随する一つの欠点は、それが所定の文字入力に単一キーの多数回押圧を要求し、それによってキー押しの総回数を増大させ、文字入力処理を緩速化する点にある。
【０００５】
もっと小型の装置への文字入力に対応する第２の方法は、装置への標準的ＱＷＥＲＴＹ配列キーパッドを単純に小型化するものであった。しかしながら、この種の小型化キーパッドはしばしば体裁が悪く、キー間に十分な空間を設ける余裕がなく、一回の押圧だけを望むときに複数キーの押圧を招くものであった。
【０００６】
より小型の電子装置への文字入力に対応するさらに別の試みは、音声認識ソフトウェアの使用である。この種方法は一時期使用されていたが、幾つかの欠点を抱えるものであった。最も顕著には、音声認識ソフトウェアは同音異議語が識別不能である欠点があり、しばしばシステムが特定の話者とその癖と発声習慣を認識するのにかなりの事前入力を必要とする。また、音声認識ソフトウェアはこれらの問題点を緩和する試みの中で肥大化してきており、制限されたエネルギと携帯電話やテキストページャ等のより小型の電子装置の処理能力には殊に相応しからざる相当量の処理が必要とされる。
【課題を解決するための手段】
【０００７】
本発明の目的は、先行技術に関連する欠点を克服し、迅速で信頼でき、大量の設定とエネルギ／処理経費を必要としない文字入力用システム及び方法を提供することにある。
【０００８】
この目的に合わせ、本発明は各キーが記号群のうちの少なくとも一つの記号を含む複数のキーを画成するキーパッドを有するデータ入力システムに関するものである。記号群は英数記号と数字記号とコマンド記号のうちの少なくとも一つを有するサブグループに分割され、ここでは各サブグループはユーザの指の少なくとも一部に関連付けられる。
【０００９】
複数キーのうちの少なくとも一つのキーと交信状態にある指認識システムを配設し、少なくとも一つのキーに第１のサブグループからの少なくとも第１の記号及び第２のサブグループからの少なくとも第２の記号を持たせ、指がキーと相互作用し、ユーザの指の一部に関連するサブグループに対応するキー上の記号を選択した時に、指認識システムがユーザの指の一部を認識する構成としてある。
【発明を実施するための最良の形態】
【００１０】
以下に述べる発明は、概してデータ入力のための、キーの数が限られた小型キーパッド上におけるキャラクタ、区切り、機能等の記号（たとえばコンピュータのキーボード上に備わる記号）を配列する方法に関し、より詳細には、ユーザの音声／言葉表現とキーパッド上のキーとのインタラクション（たとえば、キー押し）を組み合わせるデータおよび／またはテキスト入力方法に関する。この方法は、その種のキーパッドの使用を容易にする。
【００１１】
図１は、キー押しおよび音声／言葉認識システムを使用するデータ入力方法に関する一体型キーパッド１００の一例を示している。この例においては、キーパッドのキーが、それらとの１ないしは複数のタイプのインタラクションに応答することができる。前記インタラクションは、以下のようなものとすることができる。
【００１２】
−特定の指もしくは指の部分を用いたキー押し（指認識システムを使用）
−１回打鍵（たとえばキー押し）またはキーの２回連打（たとえば、短い時間間隔で連続して行う２回押し）
−軽いキー押し（または接触）または強いキー押し
−キーとの短時間のインタラクション（たとえば、短時間のキー押し）または長時間のキー押し
−その他。
【００１３】
キーパッド上のキーとの前記インタラクションもしくはそれらの任意の組み合わせのそれぞれに対して、前記キーパッド上の記号グループを割り当てることができる。たとえば、キーパッド１００のキーの上側に表示されている記号を、そのキーパッドのキーの１回キー押しに割り当ててもよい。たとえばユーザが、キー１０１を押したときに、記号『ＤＥＦ３．』が選択されるようにすることができる。同じ例において、キーパッド１００のキーの下側に配列されている記号を、前記キーの２回連打に割り当てることもできる。たとえばユーザがキー１０１を２回連打した場合には、記号『｛｝』が選択される。
【００１４】
キーパッドのキーを伴って具体化されているシステムに応じて、同じ選択を、前述したようなほかのインタラクションを用いて行うことも可能である。たとえばキー１０１の軽いキー押し（または接触）によってそのキーの上側に配列されている記号が選択され、同じキーに対する強いキー押しによってそのキーの下側に配列されている記号が選択されるようにすることができる。
【００１５】
前述したように、ユーザがキーとのインタラクションを行うときに、認識システムが、前記キー上の、前記インタラクションのタイプに割り当てられている記号を候補に設定する。たとえば、ユーザがキー１０２に触れるか、軽く押したとき、システムは、記号『Ａ』、『Ｂ』、『Ｃ』、『２』、および『，』を候補に設定する。前記候補記号の１つを選択するために前記ユーザは、前記記号または前記キー上における前記記号の位置の呼称の言葉表現を行う。この目的から音声／言葉認識システムが使用されている。
【００１６】
ユーザが言葉表現を行わなかった場合には、候補記号のうちのあらかじめ定義済みの記号がデフォルトとして選択されるようにしてもよい。この例においては、ボックス１０３内に示されている区切り『，』が選択される。ほかの候補記号の１つ、たとえば文字『Ｂ』を選択するためには、ユーザが前記文字の言葉表現を行えばよい。
【００１７】
同じ例において、ユーザがキー１０２を強く押した場合には、『［』、『］』、および『”』を候補とすることができる。前述したように、ユーザが言葉表現を行わなければ、前記キー押しの動作によって選択されたこれらの記号の中からあらかじめ定義済みの記号がデフォルトとして選択されるようにすることができる。この例であれば、区切り『“』が選択される。またこの例において、残り２つの候補記号の中から希望する記号『［』または『］』を選択する場合にユーザは、前記希望する記号の言葉表現、および／または別の記号と相対的なその記号の位置の言葉表現、および／またはその色の言葉表現（それぞれの記号が異なる色を有している場合）、および／または前記記号に割り当てられている任意のあらかじめ定義済みの呼称（たとえば、あらかじめ定義済みの音声またはユーザによって生成されるサウンド）といった各種の方法を使用することができる。たとえばユーザが『ひだり』と言えば、記号『［』が選択される。ユーザが『みぎ』と言えば、記号『］』が選択される。
【００１８】
当然のことながら、音声／言葉表現の使用に代えて、キーとのインタラクションにユーザの動作を組み合わせて記号を選択することもできる。たとえばユーザは、キー１０２を強く押し、希望する記号の方向に指をスワイプさせてもよい。
【００１９】
上記のデータ入力方法は、キーとのシングル・タイプのインタラクションに応答するキーを備えるキーパッド（たとえば押しボタンを備える標準の電話キーパッド）にも適用することができる。図２に示されているように、キーパッド２００は、キーとのシングル・タイプのインタラクションに応答するキーを備えている。ユーザがキーを押すと、前記キー上のすべての記号がシステムによって候補に設定される。たとえば、ユーザがキー２０２を押すと、記号『Ａ』、『Ｂ』、『Ｃ』、『２』、『，』、『［』、および『］』が候補に設定される。
【００２０】
この例においてユーザが言葉表現を行わなければ、システムはあらかじめ定義済みのデフォルトの記号を選択することができる。この例の場合であれば、区切り『，』２０３が選択される。
【００２１】
同じ例において、前記候補の中から希望する記号を選択するために、ユーザは、希望する記号の言葉表現を行うか、あるいはたとえば前記キー上における前記記号の位置もしくは前述したように前記キー上のほかの記号との相対的な位置の呼称、または任意のほかの呼称の言葉表現を行えばよい。たとえば、キーの上側に配列されている記号の中から１つ（たとえば、『Ａ』、『Ｂ』、『Ｃ』、または『２』）を選択する場合には、それの言葉表現を行えばよい。これに対して、たとえばキーの下側に配列されている記号の中からから１つ（たとえば、『［』、『 』または『］』）を選択する場合には、前記キーの下側における残り２つの記号に対する相対的な位置の言葉表現を行うことによって、たとえば『ひだり』、『なか』、または『みぎ』と言うことによって、それを選択することができる。たとえば、『［』２０４を選択する場合には、ユーザはキー２０２を押した後に『ひだり』と言えばよい。
【００２２】
ここに述べたように、図１のキーパッドのキーは、少なくとも２つのあらかじめ定義済みのタイプの、それらとのインタラクションに応答することができる。前記キーパッドのキーとのインタラクションの各タイプは、前記キー上の前記キャラクタのグループを候補に設定することができる。
【００２３】
前述したように、テキストの書き込み等のデータエントリの間は、キーとの異なるインタラクション（たとえば、１回の打鍵、２回の連打）および前記キー・インタラクションと組み合わせた、ユーザの異なる動作（たとえば、言葉表現あり、言葉表現なし）が必要になることがある。本発明のデータ入力方法は迅速かつ容易であるが、本発明のキーパッドのキー上の記号の良好な配列によって、さらに容易かつ迅速なデータ入力システムをもたらすことができる。次に、この方法について説明する。
【００２４】
一実施態様によれば、図３に示されているように、多数の記号（たとえば、コンピュータ・キーボード上の記号）が物理的に少なくとも２グループに分けられ、次に示すようなそれぞれの優先順位（たとえば、使用頻度、一部の記号については標準電話キーパッド上の文字および数字といった現存する配列に対するユーザの慣れ等）によって電話キーパッド・キー上に配列されている。
【００２５】
キーとの第１のタイプのインタラクションに割り当てられる第１のグループ：
（ａ）音声／言葉表現を使用する第１のサブグループ：
数字０〜９、および文字Ａ〜Ｚについては、標準の配列に従ってキーパッドのキー上に配置し、前記キーとの第１のタイプのインタラクション（たとえば、第１のレベルのキー押し）に割り当てることができる。それらの中の希望する記号は、対応するキーとのインタラクション（たとえば、前記第１のタイプのインタラクション）およびその記号の自然な言葉表現によって選択されるようにできる。図３においては、前記記号（たとえば３０１）が、キーの上側に配列されている。
【００２６】
文字および数字は、たとえばテキスト入力の間に頻繁に使用されることがある。それらは、たとえば対応するキーの打鍵の間に自然に言葉表現を行うことができる。したがって、より高速かつ容易なデータ入力のために、それらを、同一タイプのキーパッド・キーとのインタラクションに割り当てることができる。
【００２７】
（ｂ）音声／言葉表現を使用しない第２のサブグループ：
残りの記号のうちの少なくとも一部、すなわちデータ（たとえば、テキスト）入力の間に頻繁に使用される記号（たとえば、区切り、機能等）については、キーパッドのキー上に配置し（１キー当たり１記号）、前記キーとの前記第１のタイプのインタラクション（たとえば、１回打鍵）を割り当てることができる。デフォルトとして、希望する記号が、言葉表現／音声の使用なしに、対応するキーとの前記インタラクションによってのみ選択されるようにしてもよい。図３においては、前記記号（たとえば３０２）がキーの上側のボックス内に配置されている。
【００２８】
当然のことながら、前記記号についても、対応するキーとのインタラクションの間にそれらの言葉表現を行うことによって選択されるようにすることができるが、その種の記号（たとえば、区切り、機能）の言葉表現を行うことは必ずしも自然な動作ではないことから、それらの言葉表現がない方が好ましい。
【００２９】
少なくとも１つのキーとの少なくとも第２のタイプのインタラクションに割り当てられる少なくとも第２のグループ：
残りの記号の少なくとも一部は、前記キーパッド上の前記キーとの、少なくとも第２のタイプのインタラクションに割り当てることができる。これらは、次のように２つのグループに分けることができる。
【００３０】
（ｃ）音声／言葉表現を使用しない第３のサブグループ：
第３のサブグループは、残りの、頻繁に使用される記号および音読が難しい記号および／または音読が自然でない記号を含んでおり、前記キーパッドのキー上に配置し（１キー当たり１記号）、前記キーとの第２のタイプのインタラクション（たとえば、２回連打、より強いキー押し、２つのキーの同時押し、キーに触れる指の部位等）を割り当てることができる。
【００３１】
デフォルトとして、言葉表現／音声を用いることなく対応するキーとの前記インタラクションのみによって希望する記号が選択されるようにすることができる。図３においては、前記記号（たとえば３０３）がキーの下側のボックス内に配置されている。
【００３２】
当然のことながら、前記記号についても、対応するキーとのインタラクションの間にそれらの言葉表現を行うことによって選択されるようにすることができるが、その種の記号（たとえば、区切り、機能）の言葉表現を行うことは自然な動作ではないことから、それらの言葉表現がない方が好ましい。
【００３３】
（ｄ）音声／言葉表現を使用する少なくとも第４のサブグループ
第４のサブグループは、残りの記号の少なくとも一部を含んでおり、前記キーパッドのキーとの前記第２のタイプのインタラクションに割り当て、音声等のユーザの動作を組み合わせることができる。図３においては、前記記号（たとえば３０４）がキーの下側に配列されている。前記記号は、対応するキーとの前記第２のタイプのインタラクションおよび次に示すような各種方法における音声／言葉表現の使用によって選択することができる。
【００３４】
−記号の呼称を自然に音読することによって行われる記号の選択
−テキスト内に使用する間に、キー上の互いの記号に対する相対的な位置もしくはそれらの位置を自然に言葉表現することによって（たとえば『＜』、『＞』；この例においては、前記記号が前記第２のタイプのインタラクションに属していない；これは単なる例示に過ぎない）、たとえば『ひだり、みぎ、オープン、クローズ等』と言うことによって行われる記号の選択
−非常にまれに使用される（非常に少ない）記号および／または音読しにくい記号（たとえば、３０４）。より高速かつ容易なデータ入力方法のために、これらの記号についても、キー上におけるそれらの位置または前記キー上における互いに対する相対的な位置の言葉表現を行うことによって選択することができる。当然のことながら、別の言葉表現によって、たとえばそれらを音読することによってもそれらを選択することができる。
【００３５】
（ｅ）その他：
必要であれば、そのほかの『Ｆ１〜Ｆ１２』等の記号をキーパッドのキー上に割り当て、インタラクションのタイプを割り当てることができる。たとえば、それらを前記第２のタイプのインタラクション（言葉表現あり、または言葉表現なし）を割り当ててもよく、また２つのキーの同時押し、対応するキー（１ないしは複数）の３回連打、別のモードへ入るスイッチの使用等といった、ほかの種類のインタラクションを割り当ててもよい。
【００３６】
キーパッドおよびその使用をさらに強化するための考察：
数字０〜９、および文字Ａ〜Ｚが、標準的な配列に従ってキーパッドのキー上に配置できること、および言葉表現を伴う前記キーとの第１のタイプのインタラクション（たとえば、第１のレベルのキー押し、１回打鍵等）に割り当てできることから、３１１、３１２、３１３、および３１４等の一部のキーは、前記配列で使用される記号を多くとも１つ（たとえばキー３１１に数字１、キー３１３に数字０）含むものとすることができる。したがって、前記キーのより良好な使用のために、いくつかのより容易かつ自然に音読される記号３２１〜３２４をそれらのキーに追加し、前記第１のタイプのインタラクションに割り当てることができる。たとえばユーザは、キー３１１との第１のタイプのインタラクションを使用し、さらに、たとえば『ひだり』または『オープン』と言うことによってキャラクタ『（』を選択することができる。ユーザが記号『）』を選択するためには、同じ第１のタイプの前記キー３１１とのインタラクションを使用し、たとえば『みぎ』または『クローズ』と言えばよい。これは迅速であり、より重要なことであるが、それらの記号の自然な言葉表現である。前記第１のタイプのインタラクションに割り当てられる前記キー３１１〜３１４上の候補記号の数が、ほかのキー上における記号の数を超えないことから、音声認識システムは、ほかのキーの場合と類似の精度を有することができる。
【００３７】
また、いくつかの記号を両方のモード（キーとのインタラクション）で使用してもよい。前記記号を、キーパッド上に１度を超えて（たとえば、単一のキー上または異なるキー上）配列してもよく、対応するキー（１ないしは複数）との第１および／または第２のタイプのインタラクションを割り当てることができる。
【００３８】
図３は、コンピュータ・データ入力システムに関する本発明の好ましい実施態様を示している。キーパッド３００のキーは、それらとの２もしくはそれを超える異なるインタラクション（異なるレベルのキー押し、１回または２回連打等）に応答する。これに示されているように、英数キャラクタ、区切り、機能、およびＰＣコマンド等の多数の記号が、以下に示すように前記キーに分布されている。
【００３９】
モード１：
第１のグループ：文字Ａ〜Ｚおよび数字０〜９は、テキストを書くといったデータ入力の間において非常に頻繁に使用される記号である。これらは対応するキーのキー押しの間に容易に、かつもっとも重要なことであるが、自然に音読することができる。したがって、それらをキー上の同じ側に配置し、キーの１回打鍵（または、１回キー押し）等の同一タイプのインタラクション（たとえば、第１のモード）に帰属させ、それらの言葉表現を行うことによって選択する。
【００４０】
第２のグループ：区切り等のキャラクタ、および機能は、テキストを書くといったデータ入力の間において非常に頻繁に使用され、前記文字および数字を選択する場合に同じタイプのインタラクション（たとえば、第１のモード）に帰属させることができる。これによりデータの入力の間は、可能な限りキーとのインタラクションのタイプが同一に保たれる。各キーは、前記第２のグループの前記キャラクタを１つだけ有することができる。この記号グループは、対応するキーを押すだけで、音声を使用することなく選択されるようにできる。より良好に区別するために、それらは、キーの上側（たとえば、文字および数字と同じ側）のボックス内に示されている。
【００４１】
モード２：
前記多数の記号に含まれるそのほかの記号は、キーパッドのキーの下側に表示される。これらは、前記キーとの第２のタイプのインタラクション（たとえば、２回連打）に割り当てられる。
【００４２】
第３のグループ：デフォルトの記号（たとえば、キーとのインタラクションを必要とするが音声の使用を必要としない記号）がボックス内に表示される。これらの記号は、ユーザによって現在のところあまり使用されていないキャラクタ、区切り、機能等を含む。
【００４３】
第４のグループ：最後はデータ入力にほとんど使用されない、自然に綴りを言うことのできない記号であり、この例においては、キーの下左側に配置されている。これらは、対応するキーとの対応するインタラクション（たとえば、２回連打）および（たとえば、ほとんど同時の）それらの音読、あるいは前記記号に割り当てられているあらかじめ定義済みの言葉もしくは音声（たとえば『ひだり、みぎ』、または『あお、あか』等）を発してそれらを呼ぶことによって選択されるものとすることができる。
【００４４】
キーとのインタラクションの各種タイプ（好ましくは、２タイプとし、キーの使用を煩雑化しない）に対応するキーを有するキーパッドを使用し、かつ言葉表現を必要としないいくつかの記号（たとえば、デフォルト）を有することによって、前記キーパッド上のそれらのキーとのインタラクションを行うときには、希望するキーの直接的なインタラクション（たとえば、デフォルト）が得られるか、あるいは音声／言葉表現等のユーザの動作によって選択されることになる候補記号の数が最小化される。これは、音声認識システムの精度を増加する。
【００４５】
たとえばユーザが軽くキーを押したときには、システムが、前記キー上に配置されている記号の中から前記キーの上側にある記号（複数）を選択する。ユーザが同時に音声を使用した場合には、システムが、前記選択した記号の中から音声を必要とする記号を選択する。候補の数を減らし、音声認識テクノロジに対してそれらのうちの１つを選択することを要求するこの手順が使用されて、限られた数のキーを有するキーパッドを介して高い精度を伴うデータ入力が得られる。数を減らす手順は、キー押しおよび／または言葉表現といったユーザの自然な動作によってもたらされる。
【００４６】
図４に示されているように、キー４１１、４１２、４１３、および４１４は、音声インタラクションを要求し、そのキーとの第１のインタラクションに割り当てられている記号が多くとも１つ（そのキーの上側に示されている）有している。これに対して、同じキーが、前記キーとの第２のインタラクションを必要とし、さらに音声インタラクションを必要とする２つの記号を、その下側に備えている。前記２つの記号は、同じカテゴリに属するほかの記号より頻繁に（たとえば、算術データ入力もしくはソフトウエアを記述するとき）使用されることがある。その場合、それらのキーとのインタラクション（たとえば、キー押し）の間におけるユーザのエラーをさらに最小化するために、前記記号を、前記キーとの前記第１のタイプのインタラクションに割り当てることができる。合計の候補記号の数は低く抑えられる。ユーザは、希望に応じてそれらのキーを押し、言葉表現を行えばよい。
【００４７】
上記のキーパッド上に、ユーザによるその使用を容易にするための追加の配列を提供することができる。たとえば、『−』および『＿』、『”』および『’』、または『；』および『：』を同一のキー４１１上にデフォルトの記号として配列してもよく、あるいは２つの隣接するキー４１５、４１６上に配列してもよい。同様にデフォルトの記号として『Ｓｐ』および『 』（たとえば、タブ）を考え、同一のキー４１２の上に配列し、それぞれを前記キーとの異なるタイプのインタラクション（たとえば、キー押しのレベル）に応答させることもできる。たとえば、キー４１２を１回押した場合にはキャラクタ『Ｓｐ』が選択される。同じキーを２回連打すると、『タブ』機能が選択される。
【００４８】
キーとのインタラクションの間に（たとえば、キーを１回押すか、あるいはそれを２回連打する）間に、そのキーに触れたままでいることによって、そのインタラクション（必要であれば言葉表現を含む）に対応する記号が選択され、そのキーを解放するまで反復される。たとえば、キー４１５を２回連打し、２回目の打鍵の後にキー押しの状態を維持し、かつ言葉表現を行わない場合には、前記インタラクションに割り当てられているデフォルトの記号（たとえば『＆』）が選択され、ユーザがそのキーを解放するまで反復される。文字『Ｘ』を入力し、反復するのであれば、たとえばユーザは、対応するキー４１５を押し、（それを保持したまま）『エックス』と言えばよい。ユーザがそのキーを解放するまで、文字『Ｘ』が反復される。
【００４９】
また、キーパッドの外観をより見慣れたものとするために、文字、数字、および『＃』ならびに『＊』等のキャラクタを、標準の電話キーパッドの配列に従って、前記キー上に配置することができる。
【００５０】
前記キーパッドのキーとは別に配置される追加のキーを使用して、前記記号のいくつか、あるいは追加の記号を含ませることができる。図６に示した例においては、キーパッド６００のキーとは別に配置された少なくとも１つのキーによってカーソルが各種の方向に移動される。単一のキー６０１にすべての方向６０２を割り当てることもできる。ユーザは、たとえばそのキーを押して『うえ』、『した』、『ひだり』、または『みぎ』と言ってカーソルを対応する方向に進める。キー６０１は、多方向キーでもある（たとえば、テレビ・ゲームに使用されているもの、あるいはある種の携帯電話でメニュー内の移動に使用されているものに類似）。ユーザは、キー６０１の上側、右側、下側、または左側を押して、それぞれに応じた方向にカーソルを移動することができる。また、複数の追加のキーを少なくとも『 』等の記号に割り当てることもできる。
【００５１】
前記追加のキーは、電子デバイス上に現存するキーとしてもよい。たとえば、携帯電話においては、標準電話キーパッドの１２のキーに加えて、メニュー・キー、あるいはオン／オフ・キーといった追加の機能キーが備わっており、システムが、たとえばテキスト入力モードにあるときには、それらのキーの少なくともいくつかを多数の記号を含む追加のデータ入力キーとして使用することができる。これにより標準電話キーパッド・キー上のいくらかの空間が解放される。解放された空間は、より良好な精度の音声認識システム、および／またはキーパッドのキー上におけるよりユーザ・フレンドリな記号配列を可能にする。
【００５２】
上記の配列方法およびそこで示した例は、単に例を示しているに過ぎない。当然のことながら、このほかにも多くの記号の配列があり、キーとの各種のユーザ・インタラクションへの割り当てが考えられる。たとえば、キーがデフォルトの記号を有していないこと、あるいは音声／言葉表現に割り当てられている記号がキー上にないことが考えられる。
【００５３】
また、キーパッド上のすべてのキーが必ずしも同一種類のインタラクションに応答しなくてもよい。たとえば、キーパッドの第１のキーが２つのレベルのキー押しに応答し、同じキーパッドの別のキーが１回打鍵または２回連打に応答するようにもできる。
【００５４】
図１〜７には、キーパッドのキー上の記号に関する各種の配置を示されている。
【００５５】
前述したデータ入力システムは、コンピュータ・キーボードを介して入力される完全テキストのような完全データ入力を可能にする。文字、区切りマーク、機能等のキャラクタを１つ１つ入力することによって、単語および文を入力することができる。
【００５６】
これは、すでに使用されている多くのアプリケーションや方法の強化を可能にし、テレコミュニケーション市場に大きな影響を与えることになろう。それらのいくつかについて次に列挙する。ここでは、前述したインタラクションの任意の組み合わせを希望する記号の入力のために使用できることが理解される。
【００５７】
本発明の一実施態様によれば、ユーザは、キー押し等のほかのインタラクションを伴うことなく、音声／言葉表現を使用して希望する文字等の記号を入力する。ユーザは、キーパッドのキーを使用し（たとえば、キーの１回押し、２回押し、３回押し等）、言葉表現を行うことなく区切り等の記号を入力することができる。
【００５８】
本願で説明するデータ入力方法は、たとえば中国語、韓国語、日本語等の全ての他の言語についても適用することができる。
【００５９】
記号の訂正および反復：
各種の方法を使用して、誤って入力した記号の訂正を行うことができる。前述したように記号を入力するためにユーザは、たとえば対応するキーを押し、前記キー上に配列されている前記希望の記号を言葉表現することができる。そこで起こり得ることは、音声／言葉認識システムがユーザの言葉表現を誤って解釈し、システムが前記キー上に配列されている希望されていない記号を選択してしまうことである。
【００６０】
たとえばユーザが：
（ａ）次の希望する記号の入力の前に（たとえば、誤って入力した記号の直後にカーソルがある）記号の入力誤りに気付いた場合には、後述する訂正手続きに進むことができる。
【００６１】
（ｂ）少なくとも次の記号を入力した後に記号の入力誤りに気付いた場合には、移動機能を有するキー１０１（図１）または２０２（図２）等の対応する手段によりテキスト内を移動し、前記誤って入力した記号の直後にカーソルを置くことができる。続いて後述する訂正手続きに進む。
【００６２】
前記誤って入力した記号の直後にカーソルを置いた後にユーザは、前記対応するキーを再び押すことなく、前記希望する記号もしくはその位置の呼称の言葉表現を再度行うことができる。システムは、削除した記号を再び選択した場合には、前記選択を自動的に排除し、前記キー上に配列されている残りの記号から１つの記号、すなわちその呼称もしくは位置の呼称がユーザの言葉表現に対応している可能性が次に高い記号を選択する。それでもなおシステムによって誤った記号が選択される場合には、ユーザが希望の記号の言葉表現を再度行い、前記希望の記号がシステムによって選択されるまで、前記キー上の残りの記号のうちもっとも可能性の高い次の記号を選択する手続きを続けることができる。
【００６３】
ここで理解されようが、たとえば２つのレベルのキー押しに応答するキーを有するキーパッドを使用したデータ入力システムにおいては、訂正時に認識システムが、まず、前記誤って入力された記号を選択するために適用されたキー押しレベルに帰属する同一の記号グループに属する記号の中からの記号の選択に進むことができる。これらの記号のいずれもがユーザによって受け入れられなかった場合にシステムは、前記キーの別のキー押しレベルに属する記号の中からの記号の選択に進む。
【００６４】
図７ｂは、訂正の方法の一実施態様に対応するフローチャートを示している。何らかの理由からユーザが、すでに入力済みの記号の訂正を希望する場合には、この訂正手続きに入ることができる。
【００６５】
訂正手続きは、ステップ７０１において開始する。置換記号が被置換記号と同じキー上に配置されていない場合に（７０２）、ユーザは、被置換記号を削除し（７０４）、対応するキーを押し、かつ必要に応じて追加の言葉表現を行うこと（７０６）によって置換記号を入力し、終了する（７２４）。
【００６６】
置換記号が被置換記号と同じキー上に配置されており（７０８）、置換記号が言葉表現を必要としない場合には（７１０）、システムはステップ７０４および７０６へ進み、前述したように相応じて動作を行った後、終了する（７２４）。
【００６７】
置換記号が被置換記号と同じキー上に配置されており（７０８）、置換記号が言葉表現を必要とする場合には（７１２）、次のような２つの可能性が考えられる。
【００６８】
（ａ）カーソルが被置換記号の後にない（７１４）。この場合にユーザは、被置換記号の直後にカーソルを置き（７１６）、次のステップ７１８へ進む。
【００６９】
（ｂ）カーソルが被置換記号の後にある（７１４）（たとえば、誤った記号を入力したことにユーザが直ちに気付く）。この場合にユーザは、次のステップ７１８へ進む。
【００７０】
ステップ７１８においては、ユーザが、キーを押すことなく、希望する記号の言葉表現を行う。キーを押さずに言葉表現だけを行うことによって、システムは、カーソルの直前にあるキーに属する記号が、同じキーに属する別の記号によって置換されなければならないものと理解する。続いてシステムは、前記キー上の残りの記号の中から（たとえば、すでに選択済みの記号を排除し）、前記言葉表現に対応する確率のもっとも高い記号を選択する（７２０）。新しく選択された記号が、希望の記号でなかった場合には（７２２）、システム（およびユーザ）がステップ７１８へ戻る。選択された記号が希望の記号であった場合には、システムが訂正手続きを終了する（７２４）。
【００７１】
当然のことながら、上記の方法に代えて、記号を訂正する従来の方法を提供することもできる。たとえば、すでに入力済みの記号を訂正するために、ユーザは、単純に前記記号を削除し、新しい記号に対応するキーを押し、必要な場合にはその言葉表現を追加してそれを入力することができる。
【００７２】
このテキスト入力システムは、単語レベルに適用することもできる（たとえば、ユーザが単語の言葉表現を行い、キーパッドを使用することによってそれをタイプする）。同一のテキスト入力手続きが単語レベルの入力（たとえば、データベース内に含まれている単語に関して）と、キャラクタレベルの入力を結合することができる。したがって、前述した訂正手続きもまた、単語レベルのデータ入力に適用できることになる。
【００７３】
単語を入力する場合に、ユーザは、前記単語の言葉表現を行い、対応するキーを押すことができる。音読が類似しており、類似したキー押しを有する２つの単語の間の明瞭性といった何らかの理由から、希望していない単語が認識システムによって選択された場合に、ユーザは、前記対応するキーを押すことなく、希望する単語の言葉表現を再び行えばよい。これによりシステムは、前記キー押しに対応する残りの候補単語の中から（たとえば、すでに選択済みの単語を除いて）前記言葉表現に対応する可能性のもっとも高い単語を選択する。新しく選択された単語も希望する単語でない場合に、ユーザは、再び前記単語の言葉表現を行えばよい。この手続きは、前記希望する単語がシステムによって選択されるか、あるいは候補単語がなくなるまで繰り返すことができる。その場合にユーザは、前述したように入力システムにキャラクタを１つずつ入力することによって前記希望する単語を入力することができる。
【００７４】
ここで、単語レベルにおいては、訂正時にカーソルが被置換単語の後に置かれている必要があることが理解される。この目的から、またキャラクタ訂正モードとのあいまい性を排除するため、単語全体を修正（単語訂正レベル）するときにユーザは、その被置換単語の後の、少なくとも１つの空白文字によってその単語と離隔されるところにカーソルを置くことができる。これは、たとえばユーザが、すでに入力済みの単語の最後のキャラクタの訂正を希望した場合に、前記キャラクタの直後にカーソルを配置する必要があることによる。その単語の後の少なくとも１つの空白文字の後（あるいは、その単語がその行の最後の単語である場合には次の行の先頭）にカーソルを置き、キー押しを伴わずに言葉表現を行うことによって、システムは、ユーザがカーソルの手前の最後の単語の訂正を希望していることを認識する。ここで、被置換単語が区切りマーク（たとえば『．』、『？』、『，』等）を含んでいる場合により良好な結果を得るためには、それらの区切りマークの後の空白文字の後にカーソルを置けばよいことが理解される。これは、場合によってはユーザが、単語の終わりに置かなければならない区切りマークの誤りの修正を希望することによる。それを目的とする場合にユーザは、前記区切りマークの直後にカーソルを置けばよい。
【００７５】
偶発的な訂正（たとえば、カーソルがテキストのどこかにあり、だれかがデータ入力を意図することなく言葉を発した場合）を避けるためには、各種の方法を適用することができる。たとえば、ユーザがテキスト入力の間に休憩を希望した場合には、ポーズまたは非テキスト・キーを使用することができる。別の解決策は、カーソルがテキスト内の場所に置かれてからある時間の区切り（たとえば２秒）を経過すると、カーソルの手前の最後の単語もしくはキャラクタの訂正がシステムによって受け付けられなくすることである。ユーザが前記単語またはキャラクタの訂正を希望している場合には、たとえば、カーソルを（少なくとも１つの任意の方向に）移動させ、再びそれを前記希望する位置に戻せばよい。希望する位置にカーソルを再配置すると、最初から時間カウントが開始するので、ユーザは、その時間の区切りが超過する前に前記単語もしくは前記キャラクタの訂正を開始する必要がある。
【００７６】
記号の反復：
希望する記号を反復するとき、ユーザは、まず対応するキーを押し、必要であればその記号の言葉表現を行い、あるいはそのキー上の前記記号の位置、もしくは前記キー上のほかの記号との相対的な位置の呼称を読み上げる。それによりシステムは、希望された記号を選択する。ユーザは、中断なく前記キーを押し続ける。あらかじめ定義済みの時間の区切りが経過すると、システムは、そのユーザによって前記記号の反復が意図されているものと認識する。システムは、ユーザが前記キー押しを中止するまで、前記記号を反復する。
【００７７】
ここで注意する必要があるが、前述したキー記号の訂正ならびに反復の方法は、限定を意図するわけではないが、１回／２回連打、感圧キー、同時複数のキー押し、キーの部分押し等を含む任意の入力方法と組み合わせて使用することができる。
【００７８】
電話帳：
電話を掛けるとき、ユーザは、番号をダイアルする代わりに名前等（たとえば、個人名、会社名等）の情報により着信先を入力してもよく、必要であればさらに前記着信先の相手のアドレス等の追加の情報を入力することができる。中央ディレクトリは、自動的に前記着信先に対して呼び出しを行う。前記着信先（たとえば、相手方）に複数の電話回線が割り当てられている場合、あるいはユーザによって入力された前記希望の情報に関して複数の選択肢が存在する場合に、対応する選択リスト（たとえば、電話番号、あるいは前記電話回線に割り当てられているそのほかの定義済みの割り当て）を呼者の電話に送信し、たとえばその電話機のディスプレイ上に表示することができる。それによりユーザは、希望する選択肢を選択して呼び出しを行うことができる。
【００７９】
前述した呼び出し（たとえば、ダイアリング）の方法は、電話番号により相手先（たとえば、個人）を呼び出す必要性を排除する。したがって、電話番号の記憶、電話帳の携帯、あるいは番号案内の利用の必要性が排除される（もしくは、少なくとも低減される）。
【００８０】
音声／言葉表現を使用するインタラクティブ案内：
会社や施設等における音声案内の使用は、ますます増加している。相手先とのこのインタラクションの方法は、非常に時間を要し、ユーザに欲求不満を抱かせる。人々の多くは、音声案内が電話先に聞こえると通信を切断する。そのシステムとのインタラクションを試みた場合であっても、長時間を費やした後に、呼者の希望するサービスまたは個人へのアクセスに失敗することもしばしばである。この不確定性の主な理由は、音声案内の指示を聞くとき、多くの場合にすべての選択肢がアナウンスされるまでユーザが待たなければならないことによる。ユーザは、通常、アナウンスされたすべての選択肢を覚えていない。ユーザは、それらの選択肢を再び聞かなければならなくなる。
【００８１】
また、音声案内は、多数回にわたるデータ入力をユーザに要求する。このデータ入力は、電話キーパッドのキーの数が限られていること、あるいはそれを介した記号の入力が複雑であることから多様性が限定される。
【００８２】
前述したデータ入力方法は、案内との迅速なビジュアル・インタラクションを可能にする。被呼者は、ビジュアル・インタラクティブ案内を呼者に送信し、呼者はほとんど瞬時にすべての選択肢を眺め、呼者の電話キーパッド（前述したデータ入力システムを備える）を使用して、迅速かつ容易に応答もしくは質問を行うことができる。
【００８３】
ボイス・メール：
ボイス・メールをテキスト・メールに置き換えることもできる。この方法は、すでに使用されている。前述したデータ入力方法の利点は、ユーザが相手先に返答し、あるいはメッセージを書かなければならないときに明白になる。本発明のデータ入力方法は、携帯電話等のモバイル電子デバイスを介したメッセージング・システムの利用を劇的に強化する。もっとも知られた使用の１つはＳＭＳである。
【００８４】
電話タイプのキーパッドを使用する電子デバイスの数は無数にある。本発明のデータ入力方法は、そのデバイスのキーパッドを介したデータ入力を劇的に強化することを可能にする。当然のことながら、この方法は電話タイプのキーパッドに限定されない。少なくともキーパッドのキーが１を超える数の記号を含んでいれば、任意のキーパッドに使用することができる。
【００８５】
マルチ−セクション・キーパッド：
前述したデータ入力方法を使用するキーパッドのサイズは、複数のセクションを有するキーパッドを使用することによってさらに最小化される。前記キーパッドは、閉じたポジションにおいてサイズを極小に（たとえばもっとも大きいセクションの大きさ、たとえば大人のユーザの指先のサイズ、または小型キーパッドのキーのサイズに等しいサイズ）、開いたポジションにおいて希望に応じて最大化（使用時および／または開いたときのセクションの数に依存）することができる。
【００８６】
理論的には、閉じたポジションにおけるキーパッドのサイズを、前記キーパッドのキーのサイズとすることさえも可能である。
【００８７】
図８は、前記キーパッド８００の一実施態様を示しており、少なくとも３つのセクション８０１を備え、そのそれぞれのセクションが、電話キーパッドの１列を構成するキーを含んでいる。前記キーパッドが開いたポジションにあるときには、電話タイプのキーパッド８００が提供される。閉じたポジション８０２においては、このキーパッドに上記のセクションの１つの幅を持たせることができる。
【００８８】
前記キーパッドの別の実施態様を図９に示す。前記キーパッド９００は、少なくとも２つのセクション９０１〜９０２を備え、第１のセクション９０１は、電話タイプのキーパッドの２列を構成するキー９１１〜９１２を含んでおり、前記キーパッドの第２のセクション９０２は、前記電話タイプのキーパッドの第３列９１３を少なくとも含んでいる。前記キーパッドが開いたポジションにあるときには、電話タイプのキーパッドが提供される。前記キーパッドは、前記第２のセクションに配列される、キーの追加の列９１４を含むことができる。閉じたポジション９２０においては、前記キーパッドに前記セクションの１つの幅を持たせることができる。
【００８９】
図１０に示されているように、前記キーパッド１０００の別の実施態様は、少なくとも４つのセクション１００１〜１００４を備えており、前記セクションのそれぞれが、電話キーパッドの１行を構成するキーを含んでいる。前記キーパッドは、開いたポジションにあるとき、電話タイプのキーパッドを提供する。閉じたポジション１００５においては、前記キーパッドの長さを、前記キーパッドのキーの１行の幅のサイズにすることができる。
【００９０】
図１１は、少なくとも２つのセクション１１０１〜１１０２を含む前記キーパッド１１００の別の実施態様を示しており、第１のセクションは、電話タイプのキーパッドの２行を構成するキーを含んでおり、前記キーパッドの第２のセクションは、電話タイプのキーパッドの残り２行を構成するキーを含んでいる。前記キーパッドは、開いたポジションにあるとき、電話タイプのキーパッドを提供する。閉じたポジション１１０３においては、そのキーパッドの長さを、前記キーパッドのキーの１行の幅のサイズにすることができる。
【００９１】
前述したマルチ−セクション・キーパッドは、発明者によってすでに出願されている特許出願の中にすでに記述されている。
【００９２】
これらのマルチ−セクション・キーパッドを介して前述したデータ入力方法を使用することによって、小型化された使用容易な完全データ入力キーパッドを提供することができる。この種のキーパッドは、多くのデバイスに、特にサイズの限られたデバイスに使用することができる。
【００９３】
当然のことながら、前述した記号配列を前記マルチ−セクション・キーパッド上に使用してもよい。
【００９４】
図１２は、マルチ−セクション・キーパッド１２００の別の実施態様を示している。キー１２０１を有するセクション間の間隔は、任意の手段によって増加することができる。たとえば、空の（たとえば、キーを含んでいない）セクション１２０２を、キーを含むセクションの間に備えてもよい。これにより、このキーパッドが開いたポジションにあるとき、セクション間の間隔をより広くすることができる。その一方、閉じたポジション１２０３においては、キーパッドをより細くすることができる。
【００９５】
組み込みキーパッドおよびマウスまたはポイントおよびクリック・デバイスを有するデータ入力デバイス：
概してキーパッドを介したデータ入力方法を強化するため、より詳細には本発明のキーパッドを介したデータ入力方法を強化するために、おもて側にデータ入力用のキーパッドを備えている電子デバイスの裏側に、以下においてマウスと呼ぶポイントおよびクリック・システムを組み込むことができる。
【００９６】
図１３は、ユーザの手のひら１３０１の中に保持されている携帯電話１３００等の電子デバイスを示している。前記ユーザは、片手を使用してこのデバイス１３００を手の中に保持し、同時に前記デバイスのおもて側に配置されているキーパッド１３０３を操作し、その裏側に配置されているマウスまたはポイントおよびクリック・デバイス（図示せず）を操作することができる。前記ユーザは、拇指１３０２によりキーパッド１３０３を使用する間、人差し指１３０４により（裏側の）マウスを操作することができる。残り３本の指１３０５は、そのユーザの手の中にデバイスを保持する補助とすることができる。
【００９７】
前記デバイスの裏側に組み込まれるマウスまたはポイントおよびクリック・デバイスには、コンピュータのマウスに類似した機能を持たせることができる。また、電話タイプのキーパッドもしくは前記デバイスの追加のキーのうちのいくつかのキー（たとえば、２つのキー）をマウスのクリック機能に割り当てることができる。たとえば、キー１３０８および１３１８を、前記デバイス１３００の組み込みマウスとともに機能させ、コンピュータのマウスのキーに類似した機能を持たせることができる。前記キーに、コンピュータのマウスのキーと同一の機能を持たせてもよい。たとえばこのマウスを操作することによって、ユーザは、前記デバイスのスクリーン１３０７上において通常選択（ポインタ）インジケータ１３０６を移動させ、希望するメニュー１３１１上にそれを置くことができる。コンピュータのマウスの場合と同様に、続いて前記ユーザは、前記キーパッドのあらかじめ定義済みの、たとえばキー１３０８（マウスに割り当てられている）をたとえば打鍵（クリック）もしくは２回連打（ダブルクリック）し、前記通常選択（ポインタ）インジケータ１３０６によってポイントされている前記希望のメニュー１３１１を選択し、あるいは開くことができる。
【００９８】
携帯電話等のモバイル・デバイスのディスプレイが小さいことから、回転ボタン１３１０を前記デバイスに備え、ユーザがそれを使用してメニューリストを循環するといったことができるようにしてもよい。たとえば、スクリーン１３０７上に希望するメニュー１３１１が現れた後に、ユーザは、マウスを使用して通常選択（ポインタ）インジケータを前記希望するメニュー上に移動し、電話タイプのキーパッド１３０３のキー１３１３の１つもしくは前記デバイス上の追加のキー１３０８に１つといったあらかじめ定義済みキーを使用することによってそれを選択することができる。
【００９９】
コンピュータについて言えば、続いてユーザは、前記キーを押して関連するメニュー・バー１３１２を開くことができる。前記メニュー・バー１３１２の機能１３１３を選択するためには、ユーザが前記キーを押したまま、通常選択（ポインタ）インジケータ１３０６を前記機能の上まで移動した後、前記キーを放すことによって、前記機能を選択することができる。
【０１００】
コンピュータの機能に類似の機能の１つを、前記キーパッドおよび前記マウスを使用することによって提供することができる。
【０１０１】
また、マウスに割り当てられている前記キーの使用に代えて、ユーザは、あらかじめ定義済みの音声／言葉表現もしくはそのほかのあらかじめ定義済みの動作（１ないしは複数）を使用して、前記キーの機能を置き換えることができる。たとえば、通常選択（ポインタ）インジケータ１３０６をアイコンの上に置いた後、キーを押す代わりに、ユーザは、『せんたく』または『ひらく』と言って、そのアイコンによって表されているアプリケーションを選択し、あるいは開くことができる。
【０１０２】
図１４は、携帯電話１４００等の電子デバイスを示している。各種のアプリケーションを表す複数の異なるアイコン１４１１〜１４１４が、前記デバイスのスクリーン１４０２上に表示されている。ユーザがこれらのアプリケーションの１つを選択および／または開くためには、コンピュータの場合と同様に、マウスを使用し、希望するアイコン１４１１の上まで通常選択（ポインタ）インジケータ１４０３を移動する。続いて前記ユーザは、前記キーパッドのあらかじめ定義済みのキー１４０４をたとえば１回押しすることによって前記アイコンを選択することができる。前記アイコンによって表されているアプリケーションを開くためには、たとえばユーザが、前記キーパッドのあらかじめ定義済みのキーを、たとえば２回連打すればよい。
【０１０３】
電子デバイスの裏側に組み込まれているマウスは、任意のタイプとすることができる。たとえば図１５は、図１３〜１４に示されているような電子デバイス１５００の裏側を示している。マウス１５０１は、従来のコンピュータのマウスに類似である。これは、前述のようにユーザの指を使用して操作することができる。また、机の表面等の上にデバイスを寝かせ、前記表面上において前記マウスをスワイプすることによって、従来のコンピュータのマウスと同様に操作することもできる。
【０１０４】
図１６は、図１３〜１４に示されているような電子デバイス１５００の裏側に組み込まれた別の従来タイプのマウス（感応パッド）を示している。マウス１６０１は、従来のコンピュータのマウスに類似である。これは、前述のようにユーザが指を使用して操作することができ、この例の場合には、好ましくは前述したように、ユーザがデバイスを手の中に保持しつつ、人差し指１６０２を用いて前記マウスを使用する（たとえば、操作する）。このポジションによれば、ユーザは、その拇指（図示せず）を使用して前記デバイスのおもて側（たとえば、他方の側）に配置されているキーパッド（図示せず）のキーを操作することができる。
【０１０５】
モバイル・デバイスは、好ましくは片手でのみ操作されるものとする。これは、ユーザが動いている間（たとえば、バスまたは列車内にいる間）、ユーザの他方の手を、列車内に立っている間にバーを把持する、あるいは新聞もしくはブリーフケースを保持するといった別の目的に使用できるようにするためである。
【０１０６】
携帯電話等のデバイスの裏側にマウスを実装することによって、ユーザは、片手で前記デバイスを操作し、データを入力することができる。ユーザは、前記デバイスのキーパッドおよびマウスを両方同時に使用することができる。
【０１０７】
当然のことながら、ユーザが希望する場合には、ユーザが両手を用いて前記デバイスならびにそのマウスを操作してもよい。
【０１０８】
前記デバイスの別の使用方法は、それを机の表面等の上に置き、通常のコンピュータのマウスと同じ方法に従って前記表面上において前記デバイスをスライドさせ、かつ前記キーパッドを使用してデータを入力する方法である。
【０１０９】
ここで理解される必要があるが、前述したものを含む任意のタイプのマウスは、任意のモバイル・デバイスの任意の部分に組み込むことができる。たとえば、マウスを前記デバイスのおもて側に配置してもよい。また前記マウスを前記デバイスの横に配置し、前述した指によるキーパッドの操作が同時に行われるようにすることもできる。
【０１１０】
なお、この議論全体を通じてマウスが使用されているが、電子デバイスに組み込まれ、電話タイプのキーパッドに結合されるスタイラス・コンピュータのような任意のポイントおよびクリック・データ入力デバイスが本発明の企図に含まれていることに注意する必要がある。
【０１１１】
外付け統合データ入力ユニット：
また、キーボード（キーパッド）および／またはマウス等のデータ入力手段を必要とする電子デバイスに、キーパッドならびにマウスを備える外付け統合データ入力ユニットを提供することもできる。データ入力ユニットのおもてにキーパッド（たとえば、電話タイプのキーパッド）のキーを有し、前記ユニットの裏にマウスが組み込まれたデータ入力ユニットを提供してもよい。前記データ入力ユニットは、コンピュータ、ＰＤＡ、カメラ、ＴＶ、ファクシミリ・マシンといった希望するデバイスに接続することができる。
【０１１２】
図１９は、キーボード１９０１、マウス１９０２、モニタ１９０３、およびそのほかのコンピュータ・アクセサリ（図示せず）を備えるコンピュータ１９００を示している。ある種の状況（たとえば、ユーザが前記コンピュータとのインタラクションの間に、モニタの前に腰を下ろすことを好まず、たとえばベッドに横たわっていることを望んだとき）においては、大型のキーボードおよび／または対応するマウスに代えて、ユーザは、小型の外付け統合データ入力ユニットを使用することができる。外付けのデータ入力ユニット１９０４の提供が可能であり、前記データ入力ユニットは、おもて側に配置されるキーパッドのキー１９１１、延長可能マイクロフォン１９０６とすることのできるマイクロフォン、前記データ入力ユニットの裏側（前述）に組み込まれるマウス（図示せず）等の特徴を備える。前記データ入力ユニットは、（ワイヤレスまたは有線により）前記電子デバイス（たとえば、前記コンピュータ１９００）に接続することができる。前述したような統合データ入力システム（たとえば、ユーザによるキーとのインタラクションに組み合わせた音声認識システムを使用するシステム）は、前記電子デバイス（たとえば、前記コンピュータ１９００）内、あるいは前記データ入力ユニット１９０４内に組み込むことができる。また、マイクロフォンを前記電子デバイス（たとえば、コンピュータ）内に組み込んでもよい。前記統合データ入力システムは、前記データ入力ユニット上、あるいは前記電子デバイス（たとえば、コンピュータ）内に備えられるマイクロフォンのいずれを使用することもできる。
【０１１３】
インタラクションの間、特に離れたところから前記コンピュータ１９００等の電子デバイスとのインタラクションを行う間に良好なビューを得るためには、本発明による前記統合データ入力ユニット１９０４等の入力ユニット内にディスプレイ・ユニット１９０５を組み込めばよい。離れたところから前記電子デバイス１９００のモニタ１９０３とのインタラクションを行うとき、ユーザは、前記モニタ１９０３のディスプレイ１９１０の全体的なビューを得ることができる。前記モニタ１９０３のディスプレイ１９１０上の矢印１９０９周辺の詳細なエリア１９０８もしくはマウスを使用して選択されたそのほかのエリアは、前記データ入力ユニット１９０４の前記ディスプレイ１９０５上において同時に見ることができる。前記エリア１９０８のサイズは、製造者もしくはユーザが定義することができる。好ましくは、前記エリア１９０８のサイズを、前記データ入力ユニット１９０４のディスプレイ１９０５のサイズに近づけるとよい。これによりユーザには（たとえば、データ入力スクリーン１９０５上の前記エリアを見ることによって）、インタラクションを行っているエリア１９０８の詳細な、かつ／または望ましい場合には実際のサイズのビューが得られる。ユーザは、モニタ１９０３のディスプレイ１９１０の全体的なビューを得ている間に、インタラクションを行っているエリア１９０８の特定の詳細なビューが得られ、同時にそれが前記データ入力ユニット１９０４のディスプレイ１９０５上に示される。たとえば、キーパッドのマウス（図示せず；キーパッドの裏側）を使用してコンピュータ・ディスプレイ１９１０上の矢印１９０９を移動することができる。同時に前記コンピュータ・ディスプレイ１９１０上の前記矢印１９０９および前記矢印１９０９の周囲のエリア１９０８が、キーパッドのディスプレイ１９０５上に表示される。
【０１１４】
ファイルを開くといったインタラクションを行うために、たとえばユーザは、前記コンピュータのスクリーン１９１０上において矢印１９０９を移動し、希望するファイル１９０７上にそれを置く。前記移動されたエリア１９０８および前記ファイル１９０７は、前記データ入力スクリーン１９０５上において見ることができる。前記データ入力ユニット１９０４のディスプレイ１９０５を目に近づけることにより、ユーザは、前記データ入力ユニット１９０４のディスプレイ１９０５上においてユーザ自身のインタラクションを明瞭に見ることができ、しかも前記電子デバイス１９００（たとえば、コンピュータ）の大型ディスプレイ１９１０上には全体的なビューを得ることができる。
【０１１５】
ここで理解される必要があるが、前記インタラクション・エリア１９０８は、各種の必要性もしくは定義に従って定義ならびに変更が可能である。たとえば、前記インタラクション・エリアを、矢印１９０９の周囲の、矢印が前記エリアの中心となるエリアに、もしくは前記エリアを前記矢印の右、左、上、または下等のエリアにしてもよく、また前記モニタのディスプレイ上における前記矢印の位置とは無関係の前記モニタのスクリーン上の任意のエリアとしてもよい。
【０１１６】
図２０は、コンピュータ２００１に接続される前述同様のデータ入力ユニット２０００を示している。テキスト入力等のデータ入力の間に、インタラクション・ポイント２００３（たとえば、カーソル）の周囲のエリア２００２が、同時にキーパッド・ディスプレイ２００４上に表示される。
【０１１７】
図２１ａ〜２１ｂは、前述のデータ入力ユニットを使用することのできる各種の電子デバイスを例示している。図２１ａは、コンピュータ２１００であり、図２１ｂは、ＴＶ ２１０１である。前記ＴＶ ２１０１のデータ入力ユニット２１０２は、前記ＴＶ ２１０１のリモート・コントロールとしても機能する。たとえば、データ入力ユニット２１０２の裏側に備えられるマウス（図示せず）を使用して、ユーザは、映画もしくはチャンネルを表すアイコン２１０４上に選択矢印２１０３を置き、前記データ入力ユニットのキー２１０５上を２回連打（ダブルクリック）することによってそれを開くことができる。当然のことながら、前記ＴＶの前記データ入力ユニット２１０２は、ＴＶを経由したインターネットあるいはＴＶ、ケーブルＴＶ等を経由したメッセージ送信等のためのデータ入力にも使用することができる。その場合においては、本発明の統合データ入力システムを、たとえばＴＶのモデム２１０６内に組み込むことができる。
【０１１８】
延長可能マイクロフォン：
延長可能および／または回転可能なマイクロフォンを携帯電話等の電子デバイスに組み込むこともできる。前記マイクロフォンは、ユーザの口に向かって伸びる剛体のマイクロフォンとしてもよい。
【０１１９】
テクノロジの進歩に伴って、新しい入力システムおよびデバイスが市場に登場し、機器とのより容易なインタラクションが可能になっている。これらの入力システムの多くは音声／言葉認識システムを使用しており、ユーザは、データもしくはコマンドの言葉表現を行って入力する。これはデータを入力する自然な方法であることから、音声認識システムは、非常に一般的なものとなりつつある。コンピュータ、電話、玩具、およびそのほかの多くの機器には、音声認識システムを採用した各種のデータ入力システムが装備されている。
【０１２０】
これは、良好な入力方法であるが、重大な欠点がある。これは、独立した入力方法ではない。ユーザは、通常、話の内容を他者に聞かれることを好まず、人々は、他者が大声で話をすることを好まない。
【０１２１】
この問題を克服（もしくは、少なくとも軽減）するために、ユーザは小声で話さなければならない。ユーザの音声／言葉表現が音声認識システムによって誤って解釈されないようにするためには、マイクロフォンをユーザの口に近づけなければならない。
【０１２２】
本発明は、ユーザの音声をデータとして使用する機器であって、前記機器からユーザの口に向かって延びるマイクロフォンを伴う機器を提供することを課題とする。
【０１２３】
この種のマイクロフォンの使用には多くの利点がある。この種のマイクロフォンの利点の１つは、前記マイクロフォンを前記ユーザの口に向かって延ばし、その近くで話をすることによって、音声／言葉認識システムがより良好に前記音声／言葉表現を区別し、かつ認識できるようになることである。別の利点は、前記マイクロフォンをユーザの口の近くに（たとえば、口の隣）に配置することによって、ユーザは、静かに（たとえば、小声で）話をすることが可能になる。これはほとんど音をたてることのない独立したデータ入力を可能にする。前記マイクロフォンのさらに別の利点は、それが対応する電子デバイス内に組み込まれていることから、前記マイクロフォンを望ましいポジション（たとえば、ユーザの口の近く）に維持するために、ユーザが前記マイクロフォンを手（または両手）で保持する必要がない。また前記ユーザは、前記マイクロフォンを前記電子デバイスとは別に持ち歩く必要もない。
【０１２４】
本発明の強化されたキーパッド等の機能、マウス、延長可能マイクロフォン、およびデータ入力方法を前述したような態様に従って電子デバイス内に組み込むことによって、あるいは外付けユニットとして電子デバイスに接続することによって、完全に強化されたデータ入力システムを提供することができる。ユーザは、たとえば片手だけを使用してデータ入力デバイス等の電子デバイス（たとえば、携帯電話、ＰＤＡ等）を保持し、その強化されたキーパッド、統合されたマウス、および延長可能マイクロフォン等の特徴のすべてを使用し、同時に自然な動作（たとえば、キーパッドのキーを押し、必要であれば言葉表現を行う）を使用した迅速かつ容易であり、特に自然なデータ入力を行うことができる。
【０１２５】
延長可能マイクロフォンのもっとも重要な応用の１つは、モバイル通信デバイスのデータ入力システムがキーパッドの使用と音声／言葉認識システムを組み合わせるときである。この方法においては、ユーザがキーとのインタラクション（たとえば、それを押す）を行い、同時にたとえばそのキー上の記号の言葉表現を行うことができる。希望する記号を含むキーを押すためにユーザは、そのキーパッドを見る必要がある。またユーザは、デバイスのディスプレイ上のデータも見る必要がある。一方ユーザは、記号の言葉表現を静かに行うことを好むと考えられる。延長可能マイクロフォンは、目と携帯電話をキーパッドが見える充分な距離に離すことを可能にし、同時にマイクロフォンを口に近づけ、小声で話すことを可能にする。
【０１２６】
多くの人々が常習的に行っているように、携帯電話を片手で保持し、同じ手の拇指を用いてキーパッドのキーを押すことができる。他方の手は、マイクロフォンの周囲で外部雑音を抑えるために使用するか、あるいはマイクロフォンと口を最適の関係に維持するために使用することができる。
【０１２７】
機器のマイクロフォンがワイヤレスの場合、あるいはそれを機器と結合する部材が硬くない材料から作られている場合に、ユーザは、２本の指の間で手のひら側に向ける態様でマイクロフォンを保持すればよい。続いて前記手のひらをユーザの口の周囲に持っていけば、話をする間の外部雑音を著しく抑えることができる。
【０１２８】
ここで理解されることは、ユーザの音声をデータの入力に使用する電子デバイスの、データ入力ユニットおよびディスプレイを含むユーザ・インターフェースは、任意の種類のものとし得るということである。たとえば、キーパッドに代えて、接触感応パッド、あるいは音声認識システムだけを備え、キーパッドを不要とすることもできる。
【０１２９】
図１８は、本発明の一実施態様に従った携帯電話もしくはＰＤＡ等の電子デバイス１８００を示している。これに示されているように、キーパッド１８０１が、デバイス１８００のおもて側に配置されている。マウス（図示せず）は、前記デバイス１８００の裏側に配置されている。前記デバイスには、延長可能マイクロフォン１８０２も組み込まれている。前記マイクロフォンは、ユーザによって望ましいポジション（たとえば、ユーザの口の隣）まで延長される。前記デバイスは、前述したデータ入力方法も含んでいる。片手だけを使用して、ユーザは、非常に精度の高い迅速かつ容易なデータ入力を進めることができる。前記マイクロフォンをユーザの口の隣に配置することによって、システムによるユーザの音声／言葉表現のより良好な認識が可能になる。また前記ユーザは、静かに（たとえば、小声で）前記マイクロフォンに向かって話すことができる。これは、ほとんど音のないデータ入力を可能にする。
【０１３０】
図１８ｂ〜１８ｃの本発明の代替実施態様は、キーパッド１８０１およびディスプレイ・ユニットを備える携帯電話１８００を示している。この携帯電話には、エンドにマイクロフォン１８０２が取り付けられた枢動部材１８０３を備えている。このマイクロフォンをユーザの口に向けて延ばすことによって、ユーザは、静かに電話に向かって話をすることができるようになり、同時にその電話機のディスプレイならびにキーパッド１８０１を見ることも可能であり、したがってマイクロフォン１８０２と同時にそれらを使用することができる。
【０１３１】
図１８ｄは、回転する延長可能マイクロフォン１８１０を示しており、それによってユーザは、好都合な関係に機器を配置し、同時にマイクロフォンを回転し、延長することによってマイクロフォン１８１０をユーザの口の近くまたは望ましい場所に持ってくることが可能になる。ここで注意しなければならないが、マイクロフォンと機器を接続している部材は、少なくとも２つのセクションからなり、互いに関して、また機器に対して延長／収縮が行われる。これらは、折りたたみ、スライド、振り出し式、あるいはそのほかの延長または収縮のための動きを有するものとすることができる。
【０１３２】
図１８ｅおよび１８ｆは、振り出し式の延長可能な組み込み回転マイクロフォン１８２０を示している。この実施態様においては、マイクロフォン１８２０を構成する延長可能セクションを機器内に配置することができる。ユーザは、希望するときにそのセクションを引き出し、ユーザの口に向かって延長する。マイクロフォン１８２０は、それを引き出さずに使用してもよい。
【０１３３】
本発明の別の実施態様によれば、図１８ｇおよび１８ｈに示されているように、マイクロフォン１８３１を包含する延長部材１８３０を、マルチ−セクション・デバイスの一セクションとすることができる。このセクションは、前記デバイスのカバーとして使用することもできる。マイクロフォン１８３１を包含するセクションは、望ましい場合には、それ自体を延長および／または調整が可能なマルチ−セクションとすることができる。
【０１３４】
図１８ｉに示した実施態様においては、前述したような延長可能マイクロフォン１８４０を、コンピュータもしくはそれに類似のデバイス内に取り付けることができる。
【０１３５】
また、本発明の別の実施態様によれば、機器のマイクロフォンをユーザの指輪に取り付けるか、あるいはそれ自体を指輪に類似の形状として前記ユーザが装着するようにできる。このマイクロフォンは、ワイヤレスもしくは有線のいずれかにより前記機器と接続することができる。使用時にユーザは、ユーザの手を口に近づけて話をする。
【０１３６】
ここで理解される必要があるが、図面に示されている機器は例示である。延長可能マイクロフォンは、任意の機器に取り付けることができる。また延長セクションの任意の部位に取り付けることができる。
【０１３７】
通信デバイスにおいては、マイクロフォンを包含する延長セクションを前記機器のアンテナとして使用することができる。その場合には、アンテナを前述したようなセクションとして製造し、組み込みマイクロフォンを備えればよい。
【０１３８】
ここで注意しなければならないが、少なくとも１つの延長可能マイクロフォンに加えて、機器が少なくとも１つの追加の通常のマイクロフォンを備えることもあり、それにおいては前記マイクロフォンを個別に、あるいは前記延長可能マイクロフォンと同時に使用することができる。
【０１３９】
また、このマイクロフォンを構成する延長可能部材を堅い材料を用いて作れば、手によるその維持を必要とすることなく、マイクロフォンを希望のポジションに配置できることに注意しなければならない。より良好な操作性を得るためにはマイクロフォンを包含するセクションを半剛体もしくは柔軟な材料から作ることもできる。
【０１４０】
さらにここで注意が必要であるが、伸張／折りたたみ方法等の任意の延長／収縮方法を使用することができる。
【０１４１】
前述したように、本発明の統合キーパッドおよび／またはマウスおよび／または延長可能マイクロフォンは、ＰＤＡ、ＴＶのリモート・コントロール等の各種電子デバイス、およびそのほかの広範多岐にわたる電子デバイス内にも組み込むことができる。たとえば、前記統合キーパッドおよびマウスをＴＶのリモート・コントロール内に使用すれば、ユーザは、映画に関連付けされたＴＶスクリーン上に表示されているアイコンの上をポイントし、前記リモート・コントロールのあらかじめ定義済みのキーを使用することによって前記映画を選択することができる。
【０１４２】
また前述したように、前記統合キーパッドおよび／またはマウスおよび／または延長可能マイクロフォンを、前記電子デバイスに接続される個別のデバイスとして製造してもよい。
【０１４３】
当然のことながら、単独の、あるいは前記マウスおよび／または前記延長可能マイクロフォンを組み込んだ前記キーパッドに、本発明のデータ入力方法等のデータおよびテキスト入力方法を組み合わせることができる。
【０１４４】
図１７は、本発明の強化されたキーパッド、強化されたマウス、延長可能マイクロフォン、およびデータ入力方法を使用することのできるいくつかの電子デバイスを示している。
【０１４５】
１つの電子デバイスは、本発明の少なくとも１つもしくは複数の特徴を備えることができる。たとえば、前述したような本発明の特徴をすべて含むこともある。
【０１４６】
陸線電話を経由するデータ入力：
前述したデータ入力方法は、陸線電話および対応するネットワーク内において使用することもできる。周知のように、電話キーパッドの各キーは、あらかじめ定義済みのトーンを生成し、それが陸線ネットワークを介して送信される。これらのあらかじめ定義済みのトーンは１２であり、電話キーパッドの１２個のキーに割り当てられている。テキスト入力等のデータ入力を目的として陸線電話およびそのキーパッドを使用することによって、追加のトーンを生成する必要性の生じることがある。各記号に対して、ネットワークが前記記号に割り当てられて生じたトーンに応じて記号を認識するように異なるトーンを割り当てることもできる。
【０１４７】
手首装着マルチ−セクション・データ入力ユニット：
図２２ａは、前述したような本発明のデータ入力ユニット２２０１〜２２０３の別の実施態様を例示している。前記データ入力ユニットのサイズを縮小するために、前述したようなマルチ−セクション・キーパッド２２１２〜２２２２を有することのできるマルチ−セクション・データ入力ユニット２２０２〜２２０３を提供することができる。前記マルチ−セクション・データ入力ユニットは、本発明の特徴の一部もしくは全部を有することができる。本出願に述べられている統合データ入力システムを有することもできる。たとえば、データ入力ユニット２２０２は、ディスプレイ２２１３およびアンテナ２２１４（延長可能とすることができる）、マイクロフォン２２１５（延長可能とすることができる）前記データ入力ユニットの裏側に組み込まれるマウス（図示せず）を備える。
【０１４８】
本発明のデータ入力ユニットの実施態様は、手首に装着することができる。腕時計等の手首装着デバイスまたは腕時計バンドのようなブレスレット内にそれを組み込むことができる。前記データ入力ユニットは、本発明の統合データ入力ユニットの特徴の一部またはすべてを有することができる。これは、ユーザの手首への小型データ入力ユニットの取り付けを可能にする。前記手首装着データ入力ユニットは、任意の電子デバイスのデータ入力ユニットとして使用することができる。ユーザの手首装着データ入力ユニットを希望する電子デバイスに接続することによって、たとえばユーザは、アパートのドア開け、ＴＶとのインタラクション、コンピュータとのインタラクション、電話番号のダイアリング等を行うことができる。同一のデータ入力ユニットを異なる電子デバイスの操作用に使用してもよい。この目的から、アクセス・コードが各電子デバイスに割り当てられる。希望する電子デバイスのアクセス・コードを（たとえば、前記データ入力ユニットを介して）入力することによって、前記データ入力ユニットと前記電子デバイスの間の通信が確立される。
【０１４９】
図２２ｂは、本発明の手首装着データ入力ユニット２２９０（たとえば、マルチ−セクション・キーパッド２２９１を備えるマルチ−セクション・データ入力ユニット）を示しており（開いたポジション）、ＰＤＡ ２２９３等のハンド−ヘルド・デバイスと（ワイヤレスまたは有線２２９２を介して）接続されている。前記マルチ−セクション・データ入力ユニット２２９０には、この明細書に述べた特徴の一部もしくは全部のような追加の特徴を持たせてもよい。この例においては、ディスプレイ・ユニット２２９４、アンテナ２２９５、マイクロフォン２２９６、およびマウス２２９７が備えられている。
【０１５０】
ここで理解されるであろうが、前記マルチ−セクション・キーパッドを、手首装着デバイス／ブレスレット２２９８から取り外しできるようにしてもよい。これを目的として当業者に周知の各種の取り付け／取り外しを備えることができる。たとえば図２３ａに示されているように、前記データ入力デバイスを収容するハウジング２３０１をブレスレット２２０２に備えることができる。図２３ｂは、開かれた状態の前記ハウジング２３０３を示している。取り外し可能なデータ入力ユニット２３０４を、前記ハウジング２３０１内に備えることができる。図２３ｃは、前記ハウジングの開いたポジション２３０５および閉じたポジション２３０６を示している。開いたポジション（たとえば、データ入力ユニットの使用時）においては前記データ入力ユニットのエレメント２３１１の一部（たとえば、キーおよび／またはディスプレイ等の部分）を前記ハウジングのカバー２３１２内に置くことができる。
【０１５１】
本発明の一実施態様によれば、同一のブレスレットを用いて手首の反対側に腕時計２３０７等のデバイスを備えることができる。それにはたとえば、データ入力ユニットを収めるためのハウジングを有する腕時計バンドを提供すればよい。前記腕時計バンドは、腕時計、リスト・カメラ等の任意の手首装着デバイスに取り付けることができる。データ入力デバイスのハウジングを装着者の手首の一方の側２３０８に配置し、前記別の手首装着デバイスのハウジングを前記装着者の手首の他方の側２３０９に配置することができる。前記手首バンドを腕時計等のデバイスに取り付けるためには、伝統的な腕時計バンドの取り付け手段２３１０（たとえばバー）を備えることができる。
【０１５２】
前述した手首バンドのハウジングは、ほかの任意の手首装着デバイスを含むために使用することができる。たとえばデータ入力ユニットを収容する代わりに、前記手首ハウジングを、手首装着電話等の各種電子デバイスの収容に適合させることができる。
【０１５３】
本発明の手首装着データ入力ユニットを使用すると、多くの利点が得られる。たとえばユーザは、電子デバイスをたとえばポケット内に入れ、前記電子デバイスのディスプレイ・ユニット（フレキシブルとすることができる）を手に持つことができる。前記電子デバイスとのインタラクションは、前記手首装着データ入力ユニットを介して提供することができる。別の例においては、本発明の手首装着データ入力ユニットを使用して、電子ニュース・ディスプレイを動作させることができる（電子ニュース・ディスプレイに関するＰＣＴ出願（出願人日２０００年１０月２７日、出願番号ＰＣＴ／ＵＳ００／２９６４７の内容は参照され本願に包含される。
【０１５４】
以上、本発明の本質的な新しい特徴について、その代替実施態様へ適用されるものとして説明し、かつ示してきたが、開示されている本発明の形式ならびに詳細における各種の省略ならびに置換および変更が本発明の精神からの逸脱なしに当業者によって行われ得ることを理解されるであろう。また、図面には必ずしも縮尺が意識されていなく、むしろ本質においてまったく概念的であることを理解される必要がある。たとえば、キーパッドの各キーに分離されたキー押しシステムを提供することに代えて、単一の感圧システム（たとえば、感圧パッド）をすべてのキー用に備えることもできる（たとえば、キーの上側または下側に配置される単一の大型パッド）。またユーザが、ユーザの指以外の手段を用いてキーとのインタラクションを行ってもよい。たとえば、前記ユーザは、ペンを用いてキーを押すことができる。
【０１５５】
本発明のデータ入力方法は、他のデータ入力手段を利用することもできる。例えばキーパッドのキーに記号を指定する代わりに、その記号を例えば使用者の指（又は指の一部）に指定することもできる。本願で説明したこれら対象物及びデータ入力方法については、本願に参照され包含される２０００年１０月２７日に出願された出願番号ＰＣＴ／ＵＳ００／２９６４７の中でその詳細が既に述べられている。
【０１５６】
展開可能ディスプレイ・ユニット：
本発明の一実施態様によれば、展開可能ディスプレイ・ユニットを本発明のデータ入力ユニット等の電子デバイスあるいは携帯電話に備えることができる。図２４ａは、閉じたポジションの展開可能ディスプレイ・ユニット２４００を示している。このディスプレイ・ユニットは、剛体および／または半剛体の材料を用いて作ることができ、例えば、対応するヒンジ２４０１によって折りたたみもしくは展開すること、もしくは入れ子式に展開および収縮すること、または任意の方法によってそれの展開および収縮を可能にする手段を有することができる。
【０１５７】
図２４ｂは、本発明の展開可能ディスプレイ・ユニットを備えた携帯電話等のモバイル・コンピューティング・デバイス２４０２を示しており、ディスプレイ・ユニットは開いたポジションである。前記展開可能ディスプレイ・ユニットは、開いたポジションでは、Ａ４標準用紙サイズの幅を有し、ユーザは、たとえばワード・プロセッシング・プログラムを使用して手紙を書く間、あるいはウェブ・ページをブラウズする間に実寸のドキュメントを見ながら作業することができる。
【０１５８】
本発明のディスプレイ・ユニットは、柔軟な材料から作ることもできる。図２５ａは、閉じているポジションにある柔軟なディスプレイ・ユニット２５００を示している。
【０１５９】
ここで、本発明のディスプレイ・ユニットが、他の面２５０５（たとえば外側）の少なくとも一部にも情報を表示できるということが理解される。これは、ユーザがディスプレイ・ユニットを展開せずに使用することを希望する場合もあることから重要である。
【０１６０】
図２５ｂは、本発明による柔軟なディスプレイ・ユニット２５００を有する電子デバイス２５０１を示しており、ディスプレイ・ユニットは開いたポジションである。
【０１６１】
本発明のデータ入力ユニット等の電子デバイス、携帯電話、ＰＤＡ等に、前述したようなテレコミュニケーション手段を包含する展開可能／展開不可ディスプレイ・ユニット、本発明のマウス、延長可能マイクロフォン、延長可能カメラ、本発明のデータ入力システム、音声認識システム、あるいはこの明細書に述べられているそのほかの特徴を含む本発明の強化された特徴の少なくとも１つを備えることによって、片手だけを用いて保持し操作可能な完全なデータ入力／コンピューティング・デバイスを提供することができる。このことは、よく知られているように、モバイル環境のコンピューティング／データ入力においては、ユーザの少なくとも片手が自由でなければならないことから非常に重要となる。
【０１６２】
延長可能カメラ：
延長可能マイクロフォンについて述べたように、電子デバイスに延長可能カメラを備えることもできる。たとえば、キー押しおよび読唇（ユーザの音声／言葉表現に代えて、またはそれに加えて）を結合した本発明のデータ入力システム用の延長可能カメラを、対応する電子デバイスまたはデータ入力ユニットに備えることができる。
【０１６３】
図２６は、枢動部材２６０１を備えたモバイル・コンピューティング・デバイス２６００を示している。前記枢動部材には、たとえばそのエンドにカメラ２６０２および／またはマイクロフォン２６０３を取り付けることができる。カメラをユーザの口に向かって延長することにより、たとえばキー押しと読唇の組み合わせを使用する本発明のデータ入力の間に、ユーザはカメラに向かって話し、カメラはユーザの唇のイメージを伝えることができる。同時にユーザは、そのユーザの電話機のディスプレイおよびキーパッドを見ることができ、実質的にカメラに向かって話すと同時にそれらを使用することができる。当然のことながら、延長可能部材に取り付けられているマイクロフォンは、ユーザの音声をデータ入力システムの音声認識システムに渡すことができる。
【０１６４】
延長可能部材２６０１は、アンテナを含むか、あるいはそれ自体を電子デバイスのアンテナとすることができる。
【０１６５】
また、本発明の延長可能マイクロフォン及び/又はカメラは携帯電話やＰＤＡ等の電子機器に着脱可能に取付けることもできる。これは多くの場合において電子機器製造者（携帯電話等の）は新たなアプリケーション適用のためにハードウエアの変更を望まないためである。
【０１６６】
本発明の一実施形態によれば、マイクロフォン及び／又はカメラを備える外部揺動部分は対応電子装置に着脱可能に取り付けた個別ユニットとすることができる。図２７は、脱着位置にある携帯電話等の着脱可能な装置２７０１と電子器具２７００とを示すものである。着脱可能なユニット２７０１は、これらに限定されるものではないが、マイクロフォン２７０２やカメラ２７０３やスピーカ２７０４や光学式読み取り器（図示せず）や電子器具とのより良好な相互作用にユーザに近接させる必要のある他の構成要素を含む幾つかの構成要素のうちのいずれか一つで構成することができる。ユニットは、少なくとも一つのアンテナを備えるか或いはそれ自体をアンテナとすることもできる。このユニットは、ユニット２７０１を電子装置２７００へ装着するとともに、ユニット２７０１上で利用可能な構成要素を電子器具２７００へ接続する装着及び／又は接続手段２７０５で構成することもできる。装着及び接続目的に合わせ、携帯電話２７００やコンピュータ等の電子装置内で利用可能なポート２７０６を用いるよう装着接続手段２７０５を適合させることができ、ポートはマイクロフォンやスピーカやカメラやアンテナ等の周辺構成要素の接続用に配設する。ポート２７０６は、マイクロフォンジャックやＵＳＢポートなどの標準的なポートや電子機器内で利用可能な他の同様の接続手段とすることができることを理解されたい。この場合、装着／接続手段は例えば電子器具内で利用可能な（一又は複数の）対応ポートに差し込む標準的な接続手段とすることができる。
【０１６７】
外部ユニットの装着及び／又は接続手段を機械的装着機能又は電気的／電子的接続機能のいずれか或いは両方を持たせるよう配設できることは、理解されたい。図２７ａに示す如く、例えば外部ユニット２７０１には外部ユニットに固定的に配置されこの外部ユニットを電子器具に機械的に取り付けるピン２７０５を配設することができる。このピンは、例えばユニット２７０１内で利用可能なマイクロフォン構成要素２７０２を先に示した電子器具へ電気的／電子的に接続することができる。ピンに加え、外部ユニットには例えば外部ユニット２７０１内に組み込まれたカメラ２７０３へ導線２７０８により接続するＵＳＢコネクタ等の他のコネクタ２７０７を含ませることができる。この場合、コネクタ２７０７は装置２７０１を電子計測器へ電子的／電気的に接続するだけでよい。
【０１６８】
より良好に機械的に取り付けるため、外部ユニットの装着接続手段により複数のポートを使用することができる。例えば、装着接続手段は外部ユニット上に固定的に配置された２本のピン等の二つの装着手段で構成することができ、ここで第１のピンは例えば外部マイクロフォンに対応する電子機器の第１のポートへ差し込み、第２のピンは例えば外部スピーカに対応するポートへ差し込む。
【０１６９】
図２７ｂは、本発明の着脱可能な外部ユニット２７０１と電子機器２７００とを装着位置にて示すものである。
【０１７０】
外部ユニット２７０１を（例えば、ピン２７０５を対応ポート２７０６へ差し込むことにより）電子器具２７００へ装着した後、ユーザは伸縮式マイクロフォンやカメラについて本出願にて先に説明した如く伸長或いは回転動作により外部ユニット２７０１を所望位置に調整することができる。ここでも、本発明の着脱可能なユニットは本出願にて外部マイクロフォンやカメラについて前述した如く本発明の伸長可能な部分の特性と同様の特性を持たせることができることは、理解されねばならない。例えば、本発明の着脱可能なユニット２７０１は少なくとも二つの部分２７１０，２７１１を持たせて多区分化することができ、ここで各部分は相互にかつ外部ユニットに対し揺動や回動や伸長（伸縮式や折り畳み式／折り畳み不能式）等の動きを有する。装着部分２７１２〜２７１４は、これらの目的に使用することができる。
【０１７１】
前述の着脱可能なユニットにより、外部／周辺構成要素を電子器具に追加し、それらを元々の器具の一部であったかの如く使用できるようにしてある。これにより、ユニットは第１に構成要素を手に把持したり或いはそれをユーザの体に取り付けることなく（例えば、ユーザの頭部に装着しなければならないヘッドフォン）使用でき、第２にはこれが電子器具（携帯電話等）の製造業者にそのハードウェアの修正を余儀なくすることなく電子器具への構成要素の追加を可能にするものである。
【０１７２】
本発明のデータ入力方法は、他のデータ入力手段を使用することもできる。例えば、キーパッドのキーへ記号を割り当てる代りに、該記号をユーザの指（或いは指の一部）等の他の対象に割り当てることもできる。また、音声／発声入力に代え（或いはこれに加え）、このシステムはキー押しと組み合わせ／組み合わせずにユーザの唇を読み取る（その動きを認識する）ことでデータ入力を認識することができる。ユーザはキーパッドのキーを押し、該キー上の音節間で所望の欧字を発声することができる。前記キー押しと組み合わせた前記欧字を発声するユーザの唇の動きを認識することで、システムは意図された欧字を簡単に認識し入力することができる。
【０１７３】
また前述した如く、本出願内に記載した配置構成の方法に与えた例はサンプルとして示したものであった。記号の各種異なる配置構成ならびに割り当ては、必要なデータ入力に依存するものと考えることができる。この配置構成方法における原理は、使用頻度や自然な発音や自然な非発音等の異なる要因に従って異なる記号群を規定し、それらを然るべく割り当てて優先順位格付けをそれらに割り当てるものである。最優先順位格付け群（発声を伴なうものも伴なわないものも）を、最も簡単で最も自然なキー相互作用（例えば、一回押し）に割り当ててある。この群は、最高位に等級付けられた非発声記号もまた含むものである。次に、第２順位の優先度が第２のもう少し簡単な相互作用（例えば、二度押し）等に割り当てられる。
【０１７４】
前記したデータ入力システムを引き続き参照するに、キーパッドのキーに対する記号の割り当ては音声／発声或いは読唇システムによる認識をさらにもっと向上させる仕方でもって果たすことができる。図２８は、声門閉鎖発音を有する文字記号をそれらの間の曖昧さを排除する仕方で前記キーパッドのキーへ割り当てたキーパッド２８００を示す。図示の如く、声門閉鎖発音「ｃ」と「ｄ」や「ｊ」と「ｋ」や「ｍ」と「ｎ」や「ｖ」と「ｔ」を分離し、異なるキー上に配置してある。このことは、音声認識システムがより簡単に前記欧字を認識することに役立つ。例えば、欧字「ｃ」を選択するには、ユーザはキー２８０１を押し、「ｃ」と喋る。欧字「ｄ」を選択するには、ユーザはキー２８０２を押し、「ｄ」と喋る。「ｂ」と「ｐ」や「ｔ」と「ｄ」や「ｆ」と「ｓ」等の声門閉鎖発音を有する他の文字もまた異なるキーへ割り当ててある。
【０１７５】
小型装置用の内蔵音声認識システムは、出来得る限り少ないメモリを使用するよう設計してある。類似する発音を有する記号を分離し、それらを異なるキーへ割り当てることで、認識アルゴリズムは劇的に簡単化され、より少ないメモリの使用に帰結する。
【０１７６】
図２８を引き続き参照するに、図示の如く、欧字の配置構成は文字ａ〜ｚを連続順（例えば、ａ，ｂ，ｃ・・・ｚ）で維持する仕方で提供してある。キーパッド２８００上の記号の配置構成は、標準的な電話器型キーパッドと可能な限り同様に保つ仕方で作成してある。必要に応じてこの順序が変えられることは、理解されたい。
【０１７７】
また、一音ずつ唇で明瞭に発声された記号の分離が読唇（視話）システムをしてそれらをより簡単に認識させることができる。例えば、「ｊ」と「ｋ」を異なるキーへ割り当てることはそれらの認識を劇的に簡単化することになる。
【０１７８】
欧字のような発声された記号の認識用に、当該欧字の発声期間中の異なる時点でユーザの唇の１以上の画像を視話／読唇システムへ供給できることは、理解されたい。
【０１７９】
本発明の読唇術（視話）システムは、認識目的に合わせ任意の画像生成及び画像認識処理技術を用いることができる。例えば、前記した如く、前記ユーザが欧字等の記号を喋り、キーパッド上の前記記号に対応するキーを押す間に、カメラを用いてユーザの唇の（一又は複数の）画像を受像することができる。他の画像生成及び／又は画像捕捉技術もまた、用いることができる。例えば、カメラに代えて、光や波動等の手段のプロジェクタや受信器を用い、前記手段をユーザの唇（結局は顔面）へ照射し、前記ユーザが文字等の記号を喋り、キーパッド上の前記記号に対応するキーを押す間に、前記手段を受信し戻してユーザの唇（結局はユーザの顔）のディジタル画像を供給することができる。
【０１８０】
キー押しとユーザの挙動（例えば、発声）を組み合わせる本発明のデータ入力システムは、異なる挙動（例えば発声）認識技術を用いることができる。例えば、唇の動きに加え、発声をより良好に認識すべくユーザの歯に対するユーザの舌の押圧動作を検出することができる。
【０１８１】
本発明の一実施形態によれば、図２９に示したように、カメラに代え（或いはそれに加え）、本発明の読唇システムはユーザの歯及び／又は唇上に着脱可能に装着したタッチ／押圧感応性構成要素２９００を使用することができる。前記構成要素は、センサ２９０３をその表面内に分散させてその任意の部分への押圧動作を検出し、ユーザの舌と前記構成要素の間の衝撃の大きさや位置や押圧力測度等の計測を可能にできる。前記構成要素は、二つの部分を持たせることができる。前記ユーザの二つの唇（上唇と下唇）の間に配置する第１の部分２９０１と、ユーザの歯（好ましくは上部前歯）に配置する第２の部分２９０２である。装着手段２９０４が、ユーザの歯の上への前記構成要素の装着／固定を可能にする。
【０１８２】
図２９ａは、構成要素の一部２９１１が前記ユーザの上唇と下唇の間に位置するような態様でもってユーザの歯２９１９に装着した上記記載の感応性構成要素２９１０を示すものである（本図では、構成要素とユーザの歯と舌はユーザの体の外部に図示してある）。前記ユーザは、欧字「ａｂｃ」を含むキーパッド２９１８のキー２９１３を押して欧字「ｂ」を喋ることができる。「ｂ」と喋ることで、ユーザの唇２９１４，２９１５は唇間の前記感応部分２９１１を押圧する。このシステムは、意図された欧字が欧字「ｂ」であることを認識し、何故なら他の二つの欧字（例えば、「ａｂ」）と喋ることは唇相互の押圧を必要としないからである。ユーザがキー２９１３を押して欧字「ｃ」を発音した場合、そのときはユーザの舌２９１６がユーザの上歯の前部に配置された構成要素の歯部の内側部分２９１２を軽く押圧することになる。システムは、前記キー上の他の欧字（例えば、「ｂｃ」）が前記構成要素の前記部分への押圧動作を必要としないが故に、意図された記号が欧字「ｃ」であることを認識する。ユーザがキー２９１３を押して欧字「ａ」を喋った場合、そのときは押圧動作は前記構成要素には一切適用されないことになる。そこで、システムは意図された欧字が欧字「ａ」であることを認識する。他の例では、ユーザがキー２９１７を押して欧字「ｊ」と喋ると、ユーザの舌が構成要素の歯部の上側部分の内側を押圧する。ユーザがキー２９１７を押して欧字「１」と喋ると、そのときはユーザの舌は構成要素の歯部の内側部分のほぼ全体を押圧する。この場合、構成要素の歯部の内側部分内に分散させたセンサのほぼ全体が押圧され、システムは意図された欧字が欧字「１」であることを認識する。
【０１８３】
上記の読唇／認識システムにより、離散的で効率的な高精度のデータ入力方法が可能になる。このデータ入力システムは、特に軍隊や警察や情報機関等の分野に使用することができる。
【０１８４】
この後は、本発明の一実施形態になる電話器型キーパッドを介する文字入力認識システムの一例である。
【０１８５】
【表１】
2010211825.tif 000003
【０１８６】
上記の表は、所望の欧字を喋り（前述のハードウェアを使用しつつ）対応キーを押すことで欧字識別の容易さを示すべく一例としてのみ図示したものであることに、留意しなければならない。このシステムに基づき、ハードウェアに対する押圧タイミング（例えば、共に同一キー上にあって恐らく同様の押圧レベルを有する「ｇ」と喋ったり「ｈ」と喋ったりするとき）等の他の識別パラメータが、認識システムや当業者により考究できることは理解されたい。また、ユーザが数字（例えば、０〜９）等の他の記号を喋り、それらを認識することは、上記のシステムにより考究できる。
【０１８７】
加えて、本発明の感応性構成要素は無線或いは有線で処理装置（例えば、携帯電話）に接続することができる。それを無線で接続した場合、この構成要素には押圧情報を送信する送信器を含ませることができる。この構成要素にはさらに、その機能に給電する電池電源を備えることができる。
【０１８８】
前述した如く、本発明は改善された認識精度に向けてキー押しと発声とを組み合わせるものである。一実施形態では、キー押しにのみ対応する文字の認識をその場で可能にするよう文法を作成する。
【０１８９】
通常、音声／発声によるデータ（例えば、テキスト）入力期間中に、マイクロフォン／変換器はユーザの音声／発声を知覚し、それを音声／発声認識システムによる認識処理用に所望の電子装置のプロセッサへ伝送する。音声／発声認識システムによるデータ／テキスト変換に対する効率的な音声に対する大きな障害（特に、移動体環境内）は、入力音声の貧弱な品質にあり、該貧弱な品質は外部騒音により引き起こされる。マイクロフォンが別け隔てなく全てを「聴取」することに、留意しなければならない。
【０１９０】
所望音声から外部騒音を識別し除去する多くの努力が、研究者によりなされてきた。これまで、これらの努力は外部騒音を部分的に低減することだけを可能にしてきたが、受け入れ可能な結果を達成するには依然ずっと大量の作業を果たさねばならない。残念ながら、現在の雑音相殺／低減技術もまた所望音声の品質を落し、該音声を音声／発声認識システムによる認識に相応しくないものにしている。
【０１９１】
前記音声／発声入力の品質を落すことなく、音声／発声入力による電子装置へのデータ入力期間中の外部騒音を低減（或いは完全に除去）するため、ユーザの耳内に配置した耳内装着式マイクロフォン／変換器を配設することができる。前記マイクロフォン／変換器は、たとえユーザが小声を発し或いは囁こうとも、ユーザの音声／発声のより良好な受話品質もまた可能にすることができる。
【０１９２】
公知の如く、人の発声時に該発声により生じた対応する骨振動が耳に伝わり、内耳と耳道内に前記発声に対応する空気振動を生ずる。
【０１９３】
一方法によれば、前記空気振動は耳の中に、好ましくは耳道内に配置した耳穴装着式マイクロフォンにより知覚することができる。他の方法によれば、前記骨耳振動自体は耳内に配置された耳穴装着式変換器により内耳から知覚することができる。
【０１９４】
図３０は、マイクロフォン／変換器構成要素３００１をユーザの耳内（好ましくは、ユーザの耳道）に配置する仕方でユーザの耳の中に装着するよう設計したマイクロフォン／変換器ユニット３０００を示す。
【０１９５】
好ましくは、マイクロフォン／変換器構成要素３００１に加え、前記ユニット３０００には密封遮断手段３００２もまた持たせることができ、ここでは前記マイクロフォン３００１はユーザの耳の中（好ましくは、ユーザの耳道内）に組み込まれ、前記密封遮断手段３００２が外界（耳）環境騒音から前記マイクロフォンを遮断し、該マイクロフォン３００１に耳内に形成されたユーザの音声／発声のみを知覚させることができる。音声／発声認識システムに関する主要な課題である外部騒音は、劇的に低減するか或いは完全にすら除去されることになる。
【０１９６】
ユーザは、必要に応じて密封遮断のレベルを調整することができる。例えば、耳道内の発声の反響を相殺すべく、前記マイクロフォンは該マイクロフォンユニットを前記ユーザの耳道から若干引き抜くことで外界との遮断状態を減らすことができる。マイクロフォンユニットには、一体化した遮断／遮断解除レベル手段もまた持たせることができる。
【０１９７】
前記マイクロホン／変換器３００１は、導線３００３や無線通信システムにより対応電子装置へ接続することができる。この無線通信システムは、ブルートゥースや赤外線や高周波等のうちの任意の種類とすることができる。
【０１９８】
上記の耳装着式マイクロフォン／変換器は、キー押しと対応発声とを組み合わせた本発明のデータ入力システム、ここではキー押しを伴なう発声（ＫＩＫＳ）技術と呼ぶものを用いる音声／発声からデータ（例えば、テキスト）入力システムの間にユーザの音声／発声の知覚に用いることができる。前述の如くキーを押して該キーに割り当てられた所望の記号（例えば、欧字）を喋ることで、音声／発声認識システムは、前述発声を該キーに割り当てられた数個のみの記号の発声パターンのうちの一つと照合させるよう試みる。この場合、たとえ耳装着式マイクロフォン／変換器が標準的なマイクロフォンよりも低品質の音声認識を有する場合であっても、前述耳装着式マイクロフォン／変換器が知覚した発声記号の品質は音声／発声認識システムをしてそのキー上の前記数個の記号中の発声記号を簡単に認識させるのに依然として相当十分なものとなろう。
【０１９９】
本発明の一実施形態によれば、図３１に示したように、耳穴装着式マイクロフォン３１００を設け、携帯電話３１０２等の移動体電子装置へ接続することができる。図示の如く、マイクロフォン３１０１はユーザの耳道内に配置し、該ユーザの発声時にユーザの耳内に生ずる発声／音声振動を知覚するよう設計してある。前記発声はそこで、導線３１０３或いは無線により前記携帯電話３１０２へ送信されよう。
【０２００】
ユーザの耳内に組み付けて密封遮断手段３１０４を持たせることで、前記マイクロフォン３１０１はユーザの音声／発声だけを知覚しよう。音声／発声認識システムに関する主要な課題である外部騒音は、劇的に低減されるか或いは完全に除去すらされよう。前記した如く、遮断レベルは自動的に或いはユーザにより調整可能とすることができる。
【０２０１】
例えば、ユーザがキー３１０５を押し、該キー上に配置された文字「ｋ」を発声すると、ユーザの耳の中の前記発声の振動が前記耳穴装着式変換器／マイクロフォンにより知覚され、所望の電子装置へ伝送される。本発明の音声／発声認識システムは、前記発声を前記キー上に配置された数個の記号（例えば、本例では「Ｊ，Ｋ，Ｌ，５」）の既記憶発声パターンと照合しなければならない。たとえ前記発声の品質が十分良好でない（例えば、ユーザが小声で発声したが故に）としても、前記発声は前記所望の文字の記憶済みパターンと簡単に一致させ得る。
【０２０２】
まさに上記した如く、本システムの別の利点はユーザが小声で発声したり或いは囁ける点にある。一方で、マイクロフォンをユーザの耳内に組み付け、外部騒音に邪魔されることなくユーザの音声を直接知覚し、他方で認識システムが発声記号を数個の選択肢にのみ一致させるよう試みるが故に、たとえユーザが小声で発声したり囁いたとしても、ユーザの音声の品質は音声／発声認識システムによる使用に対し依然として十分に良好なままとされる。同じ理由から、認識システムはユーザとは無関係とすることができる。無論、このシステムをユーザの音声（例えば、スピーカ依存の方法）でもって調教することで、認識システムによる大幅に良好な認識精度がもたらされよう。
【０２０３】
マイクロフォン／変換器に加え、耳穴装着式ユニットはマイクロフォン／変換器の横に位置するスピーカもまた含み、聴取目的に合わせユーザの耳内に装着することもできる。
【０２０４】
本発明の一実施形態によれば、図３２に示す如く、耳穴装着式マイクロフォン及びスピーカ３２００をマイクロフォン３２０１を第１のユーザの耳に（前述の如く）組み込み、スピーカ３２０２を第２のユーザの耳に組み込む。
【０２０５】
上記仕様は本発明範囲を限定するものと解釈してはならず、単に本発明の好適な実施形態の一部を記述するものと解釈すべきであり、多くの変形例が本発明の範囲内にあると考えるものである。例えば、図３２の耳穴装着式ユニットの例では、両方の耳にマイクロフォンとスピーカ構成要素の両方を配設することができる。他の例では、前記耳穴装着式ユニットは対応する電子装置に無線接続したときに、電池電源を前記耳穴装着式ユニット内に配設することができる。また、より良好な音声受話品質に向け、本発明の耳穴装着式マイクロフォンユニットは耳の外部に位置する（例えば、伝送導線上の）少なくとも一つの追加の標準的なマイクロフォンもまた備えるものである。外耳マイクロフォンを結合したこの内耳マイクロフォンは本発明の音声／発声認識システムへより多量の音声信号が供給でき、本発明のデータ入力システムが内耳発声振動を知覚する任意の技術を用いた任意のマイクロフォン或いは変換器を用いることができることにも留意しなければならない。
【０２０６】
前述した如く、キー押しと発声を組み合わせた汎用データ入力方法（例えば、ユーザの音声或いは唇の動きに従う）は、２０００年１０月２７日出願されたＰＣＴ出願ＰＣＴ／ＵＳ００／２９６４７に説明されている。
【０２０７】
前記出願に記載されている如く、キーを押して発声するか或いは当該キーに割り当てられた記号群中の文字等の所望記号を発声することで、前記所望の記号を選択することができる。例えば、標準的な電話器型キーパッド３３００（図３３参照）を介して単語「ｍｏｒｎｉｎｇ」入力するには、ユーザは、
−キー３３０８を押して「ｍ」と喋る。
−キー３３０８を押して「ｏ」と喋る。
−キー３３０６を押して「ｒ」と喋る。
−キー３３０８を押して「ｎ」と喋る。
−キー３３０３を押して「ｉ」と喋る。
−キー３３０８を押して「ｎ」と喋る。
−キー３３０３を押して「ｇ」と喋る。
【０２０８】
一欧字ずつ（或いは一記号ずつ）単語を発声して対応キーを押圧することで、前記単語を入力することができる。
【０２０９】
ＰＣＴ／ＵＳ００／２９６４７に記載されたデータ入力システムは、フルサイズＰＣキーボード（例えば、記号ごとに一つの押し動作）として機能する低減された数のキー（例えば、電話器キーボード）を有するキーボードを可能にすることができる。
・逐語データ入力システム
上記のデータ入力システムを向上させるべく、前記ＰＣＴ出願では単語レベルデータ入力システムの提案がなされていた。前記出願では、ユーザが前記単語を発声し、該単語を構成する欧字に対応するキーを押すことで単語を入力できることが記載されていた。
【０２１０】
言語中の各単語の発声は（一又は複数の）音素集合で構成され、ここでは前記（一又は複数の）音素集合は１以上の音素で構成される。図３４は一例として単語辞書３４００を示すものであり、ここでは各入力（例えば、単語）３４０１については文字集合（例えば、その対応する文字列）３４０２と関連するキー押し値３４０３（例えば図３３に示したような電話器キーパッドを用い）と前記単語に対応する音素集合３４０４と前記音素集合の音声モデル３４０５（結局は音声／発声認識システムにより使用される）が図示してある。
【０２１１】
発声（例えば、音声）認識の一方法によれば、ユーザが単語を発声したときに、彼の発声は記憶された発声モデルと照合でき、１以上の最良の照合モデルをシステムが選択することになる。音声認識の他の方法によれば、ユーザが例えば単語を発声したときに、彼の発声は該発声を構成する音素集合の認識に基づき認識することができる。
【０２１２】
そこで、前記選択された（一又は複数の）発声モデル或いは音素集合に対応する（一又は複数の）単語を、システムにより選択することができる。選択肢が一つの単語を含む場合、前記単語を最終的な選択肢とすることができる。選択肢が複数の単語を含む場合、そのときは前記単語がユーザへ（例えば、ディスプレイにて印刷されたリスト内に）提示され、ユーザは例えば「選択」キーを押すことでそれらのうちの一つを選択することができる。
【０２１３】
その発声に基づく上記の単語認識方法は、一例としてだけ説明するものである。当業者により発声による他の認識方法が検討できることは、理解されたい。
【０２１４】
その発声にだけ基づき単語を認識するのは、正確なシステムではない。これには、多くの理由がある。例えば、多くの単語はほぼ類似の或いは混同させる発音を有することがある。また、外部騒音等の要因もまた、単語レベルデータ入力システム内に曖昧さを生ずることがある。音声により任意の単語を入力するには、アクセントや音声抑揚やユーザの意図や騒音の相互作用等の多種多様なパラメータを考慮する複雑なソフトウェアが必要とされる。これらの理由から、発声認識システムは語句認識に基づくものであり、ここで例えば類似の発音を有する単語は前記語句の文脈に従い語句内で一義化することができる。語句認識に基づく発声認識システムはまた大量のメモリとＣＰＵ用途を必要とし、携帯電話等の小型装置内へのそれらの集積化を現時点では不可能としている。
【０２１５】
本発明者が発明し、異なるＰＣＴや米国特許出願に記載したキー押しを伴う発声技術が、上記の問題を解決することができる。前記出願に記載された一文字ずつの入力システムに加え／組み合わせ、本発明の単語レベルデータ入力技術が小型の移動体／固定装置のユーザに自然で素早い（一単語ずつの）テキスト／データ入力システムを提供することができる。
【０２１６】
前述の如く、ＰＣＴ出願ＰＣＴ／ＵＳ００／２９６４７には、ユーザが単語を発声し、その間に該単語を構成する欧字に対応するキーを押すことが記載されている。この目的に合わせ、単語辞書データベースを使用できることにも言及されている。それによれば、そして一例として図３３を参照するに、ユーザが単語「ｃａｒｄ」と発声し、対応記憶（例えば、電話器型キーパッドのキー３３０２，３３０２，３３０６，３３０９）を押すと、システムは辞書データベース（例えば、図３４に示したもの等）から前記キー押しに対応する単語を選択する。本例では、同一のキー押圧集合は「ｃａｒｅ」や「ｂａｒｅ」や「ｂａｓｅ」や「ｃａｐｅ」や「ｃａｓｅ」等の他の単語にも対応しよう。システムはそこで、ユーザの（単語の）発声を同一のキー押しに対応する前記単語の発声（音素集合の記憶モデル）と照合することができ、それらのうちの一つが前記ユーザの発声に一致する場合、システムは前記単語を選択する。前記単語の発声のいずれもがユーザの発声に一致しない場合、システムはそこでその（それらの）発声が前記ユーザの発声に最も良く一致する前記単語の中から単語（又は複数の単語）を選択することができる。
【０２１７】
本方法によれば、この認識システムはごく僅かな候補（例えば、上記の例では６単語）の中から一つの単語を選択することになる。その結果、認識は簡単になり、発声認識システムの精度は劇的に増大し、高精度の汎用単語レベルテキスト入力が可能になる。タイプ打ちしつつ単語を発声することが人に馴染みのある行為であることにもまた、留意しなければならない。
【０２１８】
本発明の他の実施形態によれば、単語を入力するのに、ユーザは該単語の少なくとも一部の文字に対応する数個（例えば１個、２個、そして必要に応じてそれ以上）のキーを押し、（好ましくは始めに）かつ（好ましくは同時に）前記単語を発声する。前記キー押しと前記発声とに応じ、システムは意図された単語を認識することができる。この目的に合わせ、一つの方法によれば、例えばシステムは前記単語の対応部分の文字が前記キー押しに対応する辞書データベースの単語を先ず選択し、前記選択された単語の発声を前記ユーザの発声と照合する。システムは、そこでそれらの発声が前記ユーザの発声に最も良く一致する１以上の単語を選択する。前記単語の少なくとも始めの文字に対応する少なくとも数回のキー押しに従い単語データベースの辞書内に存在する単語を選択することで、前記ユーザの発声と照合する前記選択された単語の数が劇的に低減される。これにより、所望の単語の極めて高精度の入力が可能となる。別の方法によれば、例えばシステムは先ずそれらの発声が前記ユーザの発声に最も良く一致する辞書の単語を選択することができる。システムはそこで、前記ユーザの対応するキー押しと共に前記単語（構成文字集合）の前記少なくとも始めの文字を評価（それらがどのキー押しに属するかを評価）し、該ユーザのキー押しに一致する（一又は複数の）文字集合を最終的に選択する。
【０２１９】
上記実施形態では、選択肢が一つの単語を含む場合、該単語を最終選択肢とすることができる。選択肢が複数の単語からなる場合、そのときは該単語をユーザに（例えば、ディスプレイにて印刷されたリスト内に）提示し、ユーザは例えば「選択」キーを押すことでそれらのうちの一つを選択することができる。キー押しと発声の組み合わせで単語を入力するシステムと説明したばかりのこのシステムによる対応単語の選択とが実例として示されたことは、理解されたい。明らかに、同じ目的について本発明のデータ入力システムの原理に基づく他のシステムが当業者に知れて検討されよう。
【０２２０】
単語を発声し該単語の少なくとも一部を構成する文字に対応するキーを押圧し、前記キー押しを単語辞書内の単語の欧字に対応するキー押しと照合する上記の方法は、相当量のメモリの使用を必要とする。言語中の利用可能な全ての単語の音素集合／発声（例えば、モデル）を記憶させることで、１以上の言語内で利用可能な前記単語に対応するとともに前記辞書データベース内で利用可能な前記単語に対応するキー押しのデータベースを有する文字列のデータベースは大量のメモリを必要とする。
【０２２１】
また、先の出願に記載されている如く、本発明のデータ入力システムによれば、句読点記号等の記号をキーパッドのキーへ割り当て、声を発することなく前記キーを押すことでデフォルトとして入力することができる。前述の本発明の単語レベルデータ入力システムでは、ユーザはその対応する全てのキー押しの入力終了前に単語の発声を終了することができる。このことが認識システムを混乱させることがあり、何故ならユーザの発声と被らなかった最後のキー押しが前記デフォルトの文字と見なされることがあるからである。この問題を克服する何らかの解決策が、存在する。例えば、ユーザは先ず一つの単語を発声し、続いて対応キーを押す。このことで、発声後に生ずるキー押し集合が前記発声に対応することをシステムに対し指示することができる。
【０２２２】
別の例では、本システムはテキストモードを離脱し、例えばモードキーの押圧等の所定の動作により句読点／機能モード等の別のモード（例えば、特別文字モード）へ移行することができる。本例によれば、前記テキストモードにおいて、システムは全てのキー押しが最後の発声に対応しているものと見なすことができる。システムが特別な文字モードにある間にキーを押すことで、句読点記号等の記号を単語の終わり（或いは他の任意の位置）で入力させ、システムに対し前記単語の終わりを指示することもできる。
【０２２３】
前記ＰＣＴ出願にて説明されているように、キーパッドの一つのキーに対し、句読点記号やスペース文字や機能等の少なくとも一つの特別な文字を割り当てることができる。発声を伴なわない前記キーパッドのキー上での一回の押圧により、前記キー上の句読点記号等の記号を入力することができる。発声を伴なわない同一キー上での二回押しが、前記キーに割り当てられた別の（例えば、句読点記号）記号をもたらすことができる。
・分節発声に基づくデータ入力システム
タイプ打ちしつつユーザが単語を発声するときに、彼は当然ながら例えば該発声の音節に従い（例えば、彼が各分節発声に対応する欧字をタイプ打ちしつつ）１以上の分節発声部分へ前記単語の前記発声を分解する。例えば、キーパッド等のキーボードを用いて単語「ｍｏｒｎｉｎｇ」をタイプ打ちしつつ、ユーザは当然ながら先ず第１の分節発声「ｍｏｒ」を発すると共に／その間に彼は対応キーを押す。続いて、ユーザは続く文節発声「ｎｉｎｇ」を発音し、対応するキーをタイプ打ちすることができる。より簡単な実例に関し、本出願では単語「文節発声」は単語の発声の一部の発声について用いるものとする。例えば単語「ｐｅｒｈａｐｓ」は、二つの文節発声「ｐｅｒ」と「ｈａｐｓ」にて喋ることができる。また、例えば単語「ｐｅｔ」は単一文節「ｐｅｔ」で入力することができる。
【０２２４】
また、例えば単語「ｐｌａｙｉｎｇ」の入力では、ユーザは先ず第１の音節（例えば、「ｐｌｅ」）に対応する音素を発音し、その間に文字「ｐｌａ」に対応するキーをタイプ打ちし、続いて第２の音節（例えば、「ｙｉｎｇ」）に対応する音素を発音し、その間に文字集合「ｙｉｎｇ」をタイプ打ちする。
【０２２５】
一人のユーザが単語を別のユーザとは異なる部分へ分割できることには、留意しなければならない。従って、各部分ごとに文節発声と対応するキー押しを異ならしめることができる。前記ユーザによる前記単語の全ての部分のデータ（例えば、キー押しと文節発声）入力を完了した後、最終結果は同様となろう。
【０２２６】
上記の例では、前記別のユーザは第１の部分を「ｐｌａ」と発音し、対応する文字集合「ｐｌａｙ」のキーを押す。そこで彼は、「ｉｎｇ」と喋り、文字列「ｉｎｇ」に対応するキーを押すことができる。また例えば、第３のユーザは三つ連なる文節発声とキー押しにて単語「ｐｌａｙｉｎｇ」を入力することができる。前記ユーザは、対応キーをタイプ打ちしつつ、「ｐｌｅ」と「ｙｉｎ」と「ｇ」と喋る（例えば、文字「ｇ」と綴るか対応する音を発音する）。単語を異なる配列の音声に分割する最も自然な方法とキー押しが前記単語の音節に対応する発声のその各配列であることを、理解されたい。それ故、たとえ本出願の多くの段落で音節を単語の部分／配列として記述したとしても、本発明のデータ入力システムが１以上の部分内での単語の任意の分割形式に適用されることに留意しなければならない。
【０２２７】
上述の原理に従えば、例えば単語「ｔｒｙｉｎｇ」は二つの部分（例えば、音節）「ｔｒｉ」と「ｉｎｇ」にて発音することができる。また、例えば単語「ｐｌａｙｇｒｏｕｎｄ」は二つの部分（例えば、その二つの音節に従い）「ｐｌａ」と「ｇｒｏｕｎｄ」とに分割して入力することができる（例えば、本出願の多くの段落では、音素（例えば、発声音）は辞典ウェブスターに従って対応する文字により示される）。
【０２２８】
上記の例に示される如く、一つ（又はそれよりも多く）の言語中の異なる単語の発声の一部が類似の発音（例えば、同一の音素集合で構成されている）を有することがある。例えば、単語「ｔｒｙｉｎｇ」と「ｐｌａｙｉｎｇ」は、その発声中に共通の分節発声部分「ｉｎｇ」（或いは「ｙｉｎｇ」）を有する。
【０２２９】
上記原理に従い、データ入力方法を創成することができ、そこでは単語の分節発声に対応する音素／発声モデルの所定の集合を検討／記憶し、音素／発声モデルの対応集合に割り当てられた文字集合に対応するキー押しの少なくとも一部を検討することで、本発明のキー押しを伴う発声データ入力システム内での単語全体の認識を効果的とすることができる。図３５は、単語辞書３５０２全体の分節発声に対応する音素集合（例えば、音素の集合）３５０１の例示辞書と、同様に前記音素集合辞書３５０１に対応する前記文字集合辞書３５０３に対応するキー押し値（電話器キーパッド）３５０４の辞書を備える前記音素集合辞書３５０１の音素集合に対応する文字集合辞書３５０３とを示すものである。本発明の異なる実施形態によれば、１以上のこれらのデータベースを本発明のデータ入力システムにより使用することができる。
【０２３０】
多くの場合、同一の音素集合（或いは分節発声モデル）が異なる単語（それらの発声中に同一の分節発声を有する）を認識すべく使用できるので、１以上の単語辞書にて利用可能な単語全体の認識により少数の記憶音素集合／発声モデルしか必要でなく、必要なメモリの量が減らせる。このことが電話器型キーパッド等のキーパッドの対応キーに対する低減された数の音素集合／文字集合の割り当てに帰結し、発声認識システム（例えば、任意のテキスト入力）の精度を劇的に増大させることになる。
【０２３１】
図３６は、類似した発声部分３６０２を有する英語３６０１の単語の例示サンプルを示すものである。図示の如く、４個の短い音素集合３６０２が少なくとも全部で７個の単語３６０１の発声を生成しよう。前記音素集合３６０２が英語或いは他の言語中の多数の他の単語の発声の一部もまた表わし得ることは、理解されたい。
【０２３２】
上記の原理に基づき、限られた大きさのメモリ（例えば、携帯電話やＰＤＡ）や限られた数のキー（例えば電話器キーパッド）を有する移動体装置を介して任意の単語入力（例えば、一般的な口述筆記や任意のテキスト入力）用の低減された数の音素集合を用いる自然なキー押しを伴う発声データ入力システムを設けることができる。このシステムは、例えばパーソナルコンピュータ等の固定された装置用のＰＣキーボードを用いることでデータ入力を向上させることもできる。この場合、（ＰＣキーボードはより多くのキーを有するが故に）、依然としてより数の減った音素集合を各キーに割り当て、音声認識システムの精度を増大させることになる。この後、本発明の異なる詳細な実施形態を説明する。
全キー−音素の少なくとも一部
本発明の一実施形態によれば、ユーザは、異なる分節発声へ単語の発声を分割することができ、各分節発声を前記単語の対応部分を構成する文字列（例えば、文字集合）に対応する音素集合により表わすことができる。各音素集合を発声しかつ／一方で該音素集合／文字集合に対応する欧字に対応するキーを押し、全ての（或いは少なくとも一部）の前記分節発声に対するこの処理を反復（最初から最後まで順に）することで、前記単語全体（例えば、文字列の形で）を入力することができる。
【０２３３】
図３３に示す如く、例えば欧字「ｔ」はキーパッド３３００のキー３３０１上に配置してある。そのキーに対しては、「ｔｅ」や「ｔｉ」や「ｔａ」や「ｔｏ」等の異なる音素集合（本例では、前記音素集合は前記欧字「ｔ」で始まる文字に対応）及び／又は対応する発声モデルを割り当てることができる（図３７の表参照）。「ｔｅ」の発音は、「ｔｅａ」や「ｔｅｅ」や或いはまして「ｔｈｅ」（例えば、ユーザが米国／英国を母国としない場合）等の異なる欧字集合に対応させることができる。一例として、単語「ｔｅａｂａｇ」を生成するには、ユーザは「ｔ」キー３３０１を押して「ｔｅ」と喋り、残る文字「ｅａ」に対応する残るキーの押圧を継続する。一方法によれば、システムはユーザの発声を発声（例えば、モデル）或いは最初に押されたキー（本例では、「ｔ」キー３３０１）に割り当てられた音素集合と照合することができる。前記ユーザの発声を前記キーに割り当てられた一（又はそれ以上）の前記音素集合／発声モデルに一致させた後、システムは（一又は複数の）音素集合／（一又は複数の）発声モデルに割り当てられた１以上の（一又は複数の）文字集合を選択する。前述の如く、本例では、同一発声が文字の異なる二つの集合に対応することがあり、一方が欧字「ｔｅａ」（例えば、キー押し値８３２）に対応し、他方が欧字「ｔｅｅ」（例えば、キー押し値８３３）に対応する。システムは、ユーザが押したキー（の例えば、その値）を選択された文字集合に対応するキー押し（の例えば、その値）と照合し、それらのうちの一つがユーザのキー押しに一致する場合に、システムはそれを選択して結果的に入力／出力させる。本例では、欧字「ｔｅａ」はこの段階での最終選択肢とすることができる。スペースキー押し等の終了点（例えば、単語の終わり）信号が、現在の単語全体に対するキー押しと発声が終了したことをシステムに報知することができる。
【０２３４】
文字列（例えば、ｔａｃ）を表わす音素集合（例えば、「ｔａｋ」）を、好ましくは前記文字列の先頭文字（例えば、「ｔ」）を表わす別の音素（例えば、「ｔ」）を割り当てた同じキーに割り当てることができることに、留意しなければならない。また、欧字列で表され、文字列（例えば、「ｔｈ」）で表わす単一音素（例えば、「ｔｈ」）を、好ましくは前記文字列の先頭文字（例えば、「ｔ」）を表わす別の音素（例えば、「ｔ」）を割り当てた同じキーに割り当てることができる。
【０２３５】
上述の例では、選択肢は最終のものではない（例えば、ユーザは前記終了点を提供はしない）。ユーザはそこで、欧字「ｂ」に対応するキー３３０２（例えば、単語の次の音節の先頭文字）を押し、「ｂａｇ」と喋り、残る欧字「ａｇ」に対応する残るキーの押圧を続ける。システムは、先と同様に進行し、対応する文字集合「ｂａｇ」を選択する。ユーザはここで、例えばスペースキーを押すことで単語の終わりを発信する。
【０２３６】
「ｔｅ」と喋り、キー３３０１，３３０９，３３０２（例えば、キー値「８，３，１」）を押し、続いて「ｂａｇ」と喋り、キー３３０２，３３０２，３３０３（例えば、キー値「１，１，４」）を押すことで、単語「ｔｅａｂａｇ」を生成することができる。注記した如く、単語「ｔｅａｂａｇ」はメモリ内にその全体的な発声モデル／音素集合を持たずに、発声とキー押しとにより生成される。事実、単語「ｔｅａｂａｇ」の発声モデル／音素集合はメモリ内の利用可能な他の二つの分節発声モデル／音素集合（例えば、「ｔｅ」と「ｂａｇ」）により生成されており、それぞれが単語「ｔｅａｂａｇ」全体の該発声モデル／音素集合の一部を表わし、全体の前記発声モデル／音素集合を併せ生成する。「ｔｅ」や「ｂａｇ」の発声モデル／音素集合は、それぞれ「ｔｅａｍｉｎｇ」や「Ｂａｇｇａｇｅ」等の他の単語の発声モデル／音素集合の一部として用いることができる。
【０２３７】
本実施形態ではその認識精度は非常に高いが、時として最終の選択肢が辞書データベース内に存在しない誤った単語となることもあり得る。この理由から、本発明の一実施形態に従い、前記単語の入力／出力前にこのシステムは最終選択肢を所望言語の単語辞書の単語と照合することができる。前記選択肢が前記辞書内の単語に一致しない場合、それを拒絶することができる。
【０２３８】
また、一つの方法によれば、単語の一部分の対応キーを押してそれを喋る一方で、ユーザは彼の発声が全体入力期間中に前記対応するキー押しと被る仕方で発声することができる。このことで、各瞬間ごとのユーザの発声を同時に押されるキーに対応させ、該発声のより簡単な認識を可能にする利点を有することになる。他方、単語の入力終了時点で、ユーザは発声することなくいずれかのキーを押すことができる。このことで、単語全体が入力されたことがシステムに報知される（例えば、キー押しと無発声は句読点記号やＰＣ機能等の文字に割り当てることができる）。この事項は、本発明者により既に出願されたＰＣＴ出願内で既に説明されているものである。）
【０２３９】
上述の認識処理の完了後、選択された出力が複数の単語からなる場合、一実施形態によれば、前記単語はユーザに（例えば、ディスプレイにて印刷されたリスト内に）提示することができ、ユーザは例えば「選択」キーを押すことでそれらのうちの一つを選択することができる。
【０２４０】
一部のケースでは、単語の１以上の分節発声の音素の一部（好ましくは前記分節発声の始めのもの）を認識することで、本発明のキー押しを伴う発声データ入力システムの対応する単語の認識には十分であろうことに、留意しなければならない。
【０２４１】
本発明の一実施形態によれば、単語の分節発声に対応する全ての音素を検討する代りに、数個の音素だけ（好ましくは前記分節発声の始めのもの）を検討し、好ましくは前記音素集合に対応する（一又は複数の）文字集合の先頭の欧字に対応する（一又は複数の）キーに割り当てることができる。前記音素集合は、本発明のキー押しを伴なう発声データ入力システムによる認識目的に用いることができる。本方法によれば、多数の単語全体の認識に必要な発声モデル／音素集合の数を劇的に低減することができる。この場合、キーパッド等のキーボードの各キーに対したった数個の音素集合を割り当て、音声／発声認識システムによる前記音素集合のより簡単な認識を可能にするものとする。
【０２４２】
前記単語の全ての文字に対応する全てのキー押しの考察と併せ、単語の各分節発声（好ましくは、第１の分節発声）の全ての／数個（好ましくは、始めの）の文字の評価用音声認識システムを用いることで、言語中の単語を本発明のデータ入力システムにより認識することができる。
【０２４３】
前述の如く、言語中の単語の分節発声に従い音素（又は発声モデル）の異なる集合を検討し、好ましくは記憶させることができる。前記音素集合のそれぞれは、前記単語内の任意の位置にて単語の一部に対応させることができる。前記音素集合のそれぞれは、同様／ほぼ同様の発音を有する文字の１以上の集合（例えば、列）に対応させることができる。前記音素集合は、それらの対応文字集合の先頭文字に従ってキーに割り当てることができる。例えば、文字集合「ｔｅｅ」と「ｔｅａ」を表わす音素集合「ｔｅ」は、文字「ｔ」も表わすキー３３０１に割り当てることができる。音素集合がそれぞれが異なる欧字で始まる二つの文字列を表わす場合、そのときは前記音素はそれぞれが前記文字連鎖の一つの先頭の欧字を表わす二つの異なるキーに割り当てることができる。例えば、本発明の音声認識システムの精度を向上させるべく、ほぼ同様の発音を有する文字集合「ａｎｄ」と「ｈａｎｄ」を音素集合「ａｎｄ」に割り当てることができる。この場合、前記音素集合はそれぞれ文字「ａ」と「ｈ」を表わす二つの異なるキー３３０２と３３０３に割り当てることができる。キー３３０２を押して「ｈａｎｄ」と喋ったときに、対応文字集合は好ましくは「ａｎｄ」であり、キー３３０３を押し「ｈａｎｄ」と喋ったときは、対応文字集合は好ましくは「ｈａｎｄ」となろう。
【０２４４】
図３７は、欧字「ｔ」で始まる単語の音節の始め（或いは他の任意の箇所）に起き得る音素集合の一部を示す例示的な表を示すものである。表の最終行は、音素集合の追加例と欧字「ｉ」に関する関連文字集合もまた示している。
【０２４５】
より多くの音素を有する音素集合（例えばｔａｐｓやｔａｋｅやｔａｓｔ等のより長い音素集合）を検討し、モデル化し、単語の認識に役立たせることができるが、本実施形態では、ユーザか単語の欧字に対応するほぼ全てのキーを押し、音声／発声認識を組み合わせ、また単語データベースの辞書を用い、図３５に示された関連データベース（キー押し値等）による前記単語の１以上の部分（例えば、音節）の始めの数個の文字を評価／認識することで前記単語の生成には十分であろう。明らかに、必要時にはより長い音素集合をより良好な認識及び一義化に用いることもできる。
【０２４６】
一例として、図３３を考察し、また図３７の表を用いて単語「ｔｉｔｌｅ」を生成することで、ユーザは欧字「ｔ」に対応するキー３３０１を押し、続いて残る文字「ｉｔｌｅ」に対応する残るキーを押すことができる。単語の終わりで、ユーザは例えばスペースキー等の単語終了キーを押すことができる。前記表に示したように、音素集合「ｔｉ」に対し「ｔｉ」や「ｔｙ」や「ｔｉｅ」等の文字集合が割り当ててある。明らかに、先頭文字「ｔ」が選択される。二番目の欧字は、キー３３０３（例えば、「ｙ」はキー３３０４上にある）の押圧が故に「ｉ」となろう。押圧された次のキーは、文字「ｔ」に関するキー３３０１となる。この場合、文字集合「ｔｉｅ」の可能性は退けられる。かくして、「ｔｉ」は決定的に選択されることになる。システムは、ここで残るキー押し（値）８（例えば、「ｔ，ｕ，ｖ」や５（例えば、「ｇ，ｈ，ｉ」）や３（例えば、「ｄ，ｅ，ｆ」）と併せ「ｔｉ」を検討する。これらの入力を対応するキー押しデータベースを有する単語の辞書と照合することで、これらの入力に対応する唯一の単語が単語「ｔｉｔｌｅ」であることが明らかにされる。システムはそこで、単語「ｔｉｔｌｅ」を選択する。
【０２４７】
より良好に認識するには、ユーザは対応キーを押しつつ単語の複数の分節発声を発声することができる。この場合、システムは発声による前記入力を考慮して前記単語の前記複数の分節発声に対応する文字をより良好に認識することができる。
【０２４８】
キーボード／キーパッドを介して単語（１以上の部分／音節を有する）をタイプ打ちし、前記単語を一部／全部喋ることで、大半のいずれのケースにあっても、前記単語の文字の残りに対応するキー押しの評価と組み合わせた音声認識システム（対応キー押しの評価に手助けされた）による前記単語の前記一部／音節（好ましくは、先頭部分／音節）のうちの少なくとも一つの数語の始めの文字の認識が前記単語を生成することになる。
【０２４９】
別の例では、二つの分節発声／音節「ｔａ」と「ｋｅｎ」で出来た単語「ｔａｋｅｎ」を入力するのに、先頭の文字「ｔ」（キー３３０１）のタイプ打ち時にユーザは「ｔａ」と喋り、続いて第１音節の文字の残りに対応する残りのキー（例えば、「ａ」）を押す。ユーザはそこで、当然のことながら次の音節に進み、欧字「ｋ」に対応するキー３３０５を押圧しつつ「ｋｅｎ」と喋り、欧字「ｅｎ」に対応する前記次の音節の残るキーの押圧を継続する。彼はそこで例えばスペースキーを押し、システムにデータ入力の終了を知らせることができる。
【０２５０】
上記の認識手順が完了した後、選択された出力が複数の単語で出来ている場合、前記単語をユーザに提示（例えば、ディスプレイにて印刷されたリスト内）し、ユーザは例えば「選択」キーを押すことでそれらのうち一つを選択することができる。
ショートカット：音素の最小部分と組み合わせたより少数回のキー押し
キーの数が限られたキーパッドを有する小型の移動体電子装置は、世界中で共通に用いられている。ユーザは一方の手の指（例えば、親指や人差し指）を用いて前記キーパッドのキーを押す。各記号が対応キー上の単一の押圧動作により入力される前述のデータ入力システムにおいてさえ、データ入力速度はキーボードのキーを押すのに通常はユーザが両手の指を用いるＰＣキーボードを用いたデータ入力速度よりも遅いのである。
【０２５１】
本発明のデータ入力システムを向上させ、より高速のデータ（例えば、テキスト）入力を可能にすべく、マクロレベルデータ／テキスト入力システムがＰＣＴ出願ＰＣＴ／ＵＳ００／２９６４７に提案されている。該ＰＣＴ出願では、マクロ（例えば、欧字／文字の列）をキーパッドのキーに割り当て、音声／発声と組み合わせ／組み合わせない一回の押圧動作により入力することができる。単語の文字の少なくとも一部を一回のキー押しに割り当てることで、単語全体は数回のキー押しで入力することができる。本発明のキー押しを伴なう発声データ入力方法内に本方法を適用することで、移動体環境／小型装置用の素早いデータ入力を提供することができる。本方法では、キー押しの回数は通常単語の文字数よりも少数である（単一文字と一文字ずつの入力を必要とする辞書以外の単語等の一部の単語を除く）。
【０２５２】
前記した如く、１以上の言語の単語発声（１以上の音節を含む）の少なくとも一部に対応する音素集合をキーパッドの異なる所定キーへ割り当てることができる。また、前記した如く、前記音素集合のそれぞれは言語中の少なくとも一つの文字集合を表わすことができる。前記した如く、複数欧字（例えば、文字群）等の文字列を表わす音素集合は、好ましくは前記文字列の先頭文字を表わす別の音素を割り当てた同一キーへ割り当てることができる。
【０２５３】
本発明の好適な実施形態によれば、ユーザは好ましくは単語の一部の第１の文字に対応する（一又は複数の）キーを押すことができ、その一方で好ましくは同時に前記対応部分を発声することができる。この目的に合わせ、ユーザは単語を（例えば、一例として前記単語の発声の音節に従って）異なる部分に分割することができる。単語の各部分／音節の発声は、本出願では「分節発声」と呼ぶ。前記単語の前記分割部分に対応する音素集合（とそれらの対応文字集合）を本システム内で利用可能としなければならないことは、理解されたい。
【０２５４】
本実施形態によれば、例えば二つの分節発声（例えば本例では、その音節により）「ｔｉｐ」と「ｔｏｐ」に分割することのできる単語「ｔｉｐｔｏｐ」を入力するのに、ユーザは先ずキー３３０１（例えば、音素／欧字「ｔ」を前記キーに割り当てる）を押し、（好ましくは同時に）「ｔｉｐ」と喋り（例えば、単語「ｔｉｐｔｏｐ」の先頭の分節発声）、続いてキー３３０１を押し、（好ましくは、同時に）「ｔｏｐ」と喋る（例えば、単語「ｔｉｐｔｏｐ」の二番目の分節発声）。図３７の例示的な表を用いることで、「ｔｉｐ」の文字集合は音素「ｔｉｐ」の集合とキー３３０１上の文字「ｔ」に割り当てられる。ユーザがキー３３０１を押して「ｔｉｐ」と喋ると、システムはユーザの発声をキー３３０１に割り当てられた全ての音素集合／発声モデルと照合する。前記ユーザの発声に最も良く一致する前記集合／モデルのうちの一つ（又はそれ以上）を選択することで、システムは前記選択された（一又は複数の）音素集合に割り当てられた文字集合を選択する。現在の例では、唯一の文字集合（例えば、ｔｉｐ）が音素集合「ｔｉｐ」に割り当ててあった。システムはそこで、同様の仕方で単語の次の部分（例えば、分節発声）へ進み、以下同様となす。本例では、文字集合「ｔｏｐ」が音素集合「ｔｏｐ」に割り当ててあった唯一の文字集合であった。システムは、前記文字集合を選択する。本発明の一実施形態によれば、単語の全ての分節発声／音素集合に対応する全ての文字集合を選択した後、システムはそこで前記文字集合を組み立て（例えば、組み立て処理の一例は次の段落に記載）、異なる群／列の文字を供給する。システムはそこで、前記文字の各群をメモリ内で利用可能な単語データベースの辞書の単語（例えば、文字集合）と照合する。例えば、前記文字群の一つに最も良く一致する辞書の単語の一つを選択した後、システムは該単語を最終的な選択肢として選択することができる。本例では、二番目の部分／音節を入力した後、単語が完全に入力された旨システムに報知すべく発声することなく、ユーザは例えばスペースキー又は他のキーを押す（例えば、キー押し無発声は句読点記号やＰＣ機能等の文字に割り当てられる）。この事項は、本発明者により既に出願されたＰＣＴ出願内で既に説明されているものである。システムは、文字集合「ｔｉｐ」と「ｔｏｐ」を組み立て、一群の文字「ｔｉｐｔｏｐ」を生成する。必要に応じて、システムはそこで前記文字群をシステムの単語データベースの辞書（例えば、英語の辞書）内で利用可能な単語と照合し、前記単語のうち一つが前記文字群に一致する場合、システムは前記単語を入力／出力する。本例では、単語「ｔｉｐｔｏｐ」はシステムの英語辞書内に存在する。前記単語を、最終的に入力／出力する。
【０２５５】
図３８は、本実施形態の選択された文字集合の組立方法を示す。例えば、ユーザが本発明の一実施形態を用いて三つの手順で単語「ｅｎｖｅｌｏｐｅ」の入力を試みると、システムは各部分ごとに二つの文字集合３８０１につき一つを選択する。図３９に示す如く、システムはそこで前記単語内のその個別位置に従い前記文字集合を組み立て、異なる群の文字３８０２を提供することができる。前記文字群３８０２はシステムの単語辞書の単語と照合され、１以上の前記単語に一致する（一又は複数の）文字群が最終的に選択されて入力される。本例では、文字集合３８０３（例えば、「ｅｎｖｅｌｏｐｅ」）が前記辞書内の単語に一致する唯一の文字集合となる。前記単語が、最終的に選択される。
【０２５６】
前記の如く、或る場合には、音声認識システムは単語の全部／一部（例えば、音節）の音声について複数の音素集合／発声モデルを選択することができる。例えば、「悪しき」アクセントを有するユーザが本発明の本実施形態に従って「ｔｅａｂａｇ」なる単語の入力を試みた場合、彼は先ずキー３３０１を押し、同時に「ｔｅ」と喋る。本システムは、ユーザが当該キーに共に割り当てられた「ｔｅ」或いは「ｔｈｅ」のどちらを喋ったかは確かめることができない。この場合、システムは両方の音素集合に対応する異なる文字集合を選択することができる。同じ手順を用い、ユーザはそこで単語の二番目の部分を入力する。本例では、唯一の文字集合「ｂａｇ」がシステムにより選択された。ユーザは、最後にスペースキーを押す。システムは、そこで前記文字集合を（異なる配置で）組み立て、異なる文字群を生成し、該文字群のそれぞれを単語データベースの辞書の単語と照合する。本例では、該当する可能性のある文字群は、
−「ｔｅｅｂａｇ」
−「ｔｅａｂａｇ」
−「ｔｈｅｂａｇ」
である。
【０２５７】
例えば英語の単語辞書内の単語で一致する唯一の文字群は、単語「ｔｅａｂａｇ」である。この単語は、最終選択肢と見なすことができる。
【０２５８】
直前に実例で示したように、システムが単語の各／一部音素集合用に複数の文字集合を選択することが起き得る。この場合、複数の文字群を組み立てることができる。それ故、恐らく辞書の複数の単語は前記組み立てた群の文字を照合することができる。この場合、前記語はユーザに対し（例えば、ディスプレイにて印刷されたリスト内に）提示することができ、ユーザは例えば「選択」キーを押すことでそれらのうちの一つを選択することができる。また、システムが十分なメモリと処理速度を有する場合、音声認識システムは例えば対応語句の文脈に従い前記選択された単語のうち一つを選択するのに用いることができる。
【０２５９】
単語／単語の一部が多くの音素を備えるもののその発声が単一の音節を有する場合、一方法によれば、単語／単語の一部の前記全ての音素で構成／考慮した音素集合／モデルを前記単語に割り当てることができる。例えば、単語「ｔｈｉｒｓｔ」を入力するには、前記単語の全ての音素で出来た音素集合を前記単語と欧字「ｔ」（のキー）とに割り当て（例えば、キー３３０１に配置／割り当て）る。例えば、ユーザはキー３３０１を押し、「ｔｈｉｒｓｔ」と喋る。先に説明した如く、このシステムは単語の（一又は複数の）分節発声（本例の場合、一つの分節発声）の（一又は複数の）文字集合（本例の場合、ただ一つの「ｔｈｉｒｓｔ」）を選択し、それらを組み立てる（本例では、組み立ては無し）。システムはそこで、該文字集合をシステムの単語辞書の単語と照合し、該文字が辞書内の前記単語の一つに一致する場合、そのときは該単語を最終選択肢として選択する。この場合、最終的に単語「ｔｈｉｒｓｔ」が選択される。
【０２６０】
場合によっては、単語がたった一つの音節で出来ているときは、単語の一義化には音節に対する複数回のキー押しが必要になることがある。この目的に合わせ、異なる使い勝手の良い方法を実装することもできる。例えば単語「ｆｉｒｅ」については、元来が一つの音節から出来ており、音素集合「ｆｉ」と「ｒｅ」のそれぞれで出来た二つの音節にて発音することができる。この場合のユーザは、「ｆｉ」と喋りながら文字「ｆ」に対応するキーを先ず押すことができる。彼は、そこで文字「ｒ」に対応するキーを押し、「ｒｅ」と喋ることができる。
【０２６１】
また、例えば、単語「ｔｉｍｅｓ」は二つの音節「ｔｉ」と「ｍｅｓ」或いは「ｔｉｍ」と「ｅｓ」にて発音することができる。また、「ｌｉｓｔｅｎ」等の単語は二つの音節「ｌｉｓ」と「ｔｅｎ」にて発音することができ、それはそれぞれ「ｌ」と「ｔ」に対応するキー押しを要求することがある。また、この原理に従い、単語「ｔｈｉｒｓｔ」は３個の部分「ｔｈｉｒ」と「ｓ」と「ｔ」とに分割することができる。例えば、音素集合「ｔｈｉｒ」を既に欧字「ｔ」を備えるキー（例えば、キー３３０１）に割り当てられていると考えると、ユーザはキー３３０１を押して「ｔｈｉｒ」と喋り、そこで彼は欧字「ｓ」に対応するキー３３０６を押し、音素「ｓ」の音を発音するか該欧字を発声することができる。彼はそこで、欧字「ｔ」に対応するキー３３０１を押し、音素「ｔ」の音を発音するか或いはその欧字を発声することができる。単語の終わりで、ユーザはスペースキー３３０７等の単語終了キーを押すことができる。
【０２６２】
また、より良好な一義化とまた例えばその始端に同一発声（例えば、「ｂｒｉｎｇ」と「ｂｒｉｎｇｓ」）を有する単語に必要な音素集合の数を減らすにも、音節の第１のキーを押しかつ該音節を発声することに加え、一部のケースでは、単語／音節の終わりの（一又は複数の）文字（例えば、本例では「ｓ」）を押して喋ることもできる。例えば、ユーザは文字「ｂ」に対応するキーを押し、「ｂｒｉｎｇ」と喋る（例えば、音素集合「ｂｒｉｎｇ」はキー「３３０２」に割り当ててあった）。彼はそこで、文字「ｓ」に対応するキーを押し、「ｓ」を発音するか或いは音素「ｓ」の音を喋るかのいずれかを行なうことができる。「スペース」キーを押す等の単語終了信号を供給した後、システムは二つのデータ入力配列を検討し、対応する単語「ｂｒｉｎｇ」を供給する（例えば、音素集合はキー３３０２には割り当てられていなかった）。本願明細書の方法を用いた１以上の（一又は複数の）単一文字の入力が単語内の任意の位置（始めや途中や終わり）で可能にできることは、理解されたい。システムを混乱させないよう、ユーザが本発明の単語／単語の一部入力システムにより欧字で構成された（一つの単語）部分を入力するときは、彼は好ましくは前記文字の音を発声するとよい。例えば、「ｅｍ」と喋る代りに、ユーザは音素「ｍ」の音を発音することができる。同様に類似のケースでは、「ｔ」と喋ることについては、システムにより文字「ｔｅａ」や「ｔｅａ」の列や文字「ｔ」に関連付け、その一方で音素「ｔ」の音の発音は文字「ｔ」にだけ関連付けることができる。
【０２６３】
前述の如く、より良好な一義化に向け、相当数の音素集合を有する単語／単語の一部／単語の音節／単語の分節発声（「ｔｈｉｒｓｔ」や「ｂｒｉｎｇｓ」等）を複数部分に分割でき、ここで該部分の幾つかは一つの音素／文字だけを含み、本発明のデータ入力システムに従って入力される。また前述した如く、本手法によれば、それぞれがより少数の音素で出来た多音素集合を相当数の音素で出来た単一の音素集合で置き換え、単語の一部（例えば、音節）を表わすことができる。また前述の如く、単語の長い部分（例えば、相当数の音素からなる長い音節）の発声をより短い分節／音素集合部分に分割することで、辞書データベース内で利用可能な全ての単語の認識に必要な音素集合の総数を低減することになる。また先に説明した如く、このことでキーボード／キーパッドの各キーに対しより少ない音素集合を割り当てられるようになる。
【０２６４】
本発明の一実施形態によれば、上記原理に基づき、キーボード／キーパッドのそれぞれに対し数個の音素からなる短い音素集合を割り当てることができる。この目的に合わせ、例えば音素集合が子音から始まる場合、以下の構造／音素で構成することができる。
−前記子音のみ
−始めの前記子音と、その後の少なくとも一つの母音
−始めの前記子音と、該子音の後の少なくとも一つの母音と、（一又は複数の）母音の後の一つの子音
音素集合が母音で始まる場合は、それは以下の構造を持とう。
−始めの少なくとも一つの母音
−始めの前記（一又は複数の）母音と、その後の一つの子音
図４０は、本発明の本実施形態になる子音「ｔ」４００２に関する音素集合４００１と母音「ｕ」４００３の幾つかの例を示すものである。列４００４，４００５，４００６は、前記音素集合を構成する音群（例えば、子音／母音）に従う前記音素集合の異なる部分を示すものである。列４００７は、対応する例示単語を示すものであり、ここでは対応音素集合が前記単語の発声の一部を構成する。例えば、音素集合「ｔａｒ」４００８は単語「ｓｔａｉｒ」の一部４００９を構成する。列４０１０は、対応する単語を入力するキー押しの回数の推定例を示すものである（本発明の本実施形態によれば一回のキー押しは単語の各部分の先頭文字に対応する）。例えば、単語「ｕｎｔｉｌ」４０１１を入力するのに、ユーザは先ず文字「ｕ」に対応するキー３３０１（図３３参照）を押し、好ましくは同時に「ｕｎ」と喋る。彼は、そこで再度文字「ｔ」に対応するキー３３０１を押し、また好ましくは同時に「ｔｉｌ」と喋る。単語を終了するため、ユーザはそこでスペースキーを押す等して単語終了信号をシステムへ報知する。単語「ｕｎｔｉｌ」は、ユーザの発声と共に二回のキー押し（単語終了信号を除く）により入力された。先に説明した原理に基づく本実施形態に従い、その直前或いは直後の母音をもたない子音音素は単語発声の個別部分と見なすことができる。例えば、単語「ｓｔｕｄｙ」４０１２の始端における「ｓ」と単語「ｕｎｄｅｒｓｔｏｏｄ」４０１３の中間における「ｓ」は、この規則に従おう。このことが、辞書内で利用可能な大半の単語を入力するのに必要な音素集合の数を極端に低減することになろう（例えば、単語の一部の開始音素／文字ごとの恐らく百程度の音素集合は、電話器型のキーパッドの使用時に例えば英語の単語の大半の認識に十分なものとなろう）。図４０は、一例として電話器型キーパッドのキー３３０１に割り当てられた「ｖ」４０１４や「ｔｈ」４０１５等の他の開始音素／文字を示すものである。前記始端音素／文字のそれぞれについては、上記原理に従う音素集合と見なすことができる。
【０２６５】
必要／所望に応じより多くの音素を有するより長い単語の文節発声部分をこのシステムの短い音素集合と見なすこともできることは、理解されたい。また、例えば、単語の複数音節を表わす音素集合はまた前述の如く対応キーと見なし割り当てることができる。また、多くの場合が非英語会話圏を母国とする人であるユーザが発音する発声のより良好な認識を果たすべく、先の実施形態に記載したより簡単な認識を行なうため、曖昧な類似の発音を有する音素集合（「ｔｏ（ただし、ｏは￣付き）」や「ｔｏ（ただし、ｏは＾付き」等）に対応する文字集合を前記全ての音素集合に対し割り当てることができる。
【０２６６】
同じ所定の（好ましくは、短い）音素群／発声モデルが、多くの言語内での単語の認識と入力を可能にすることができる。例えば音素群「ｓｈａ」は、
英語の「ｓｈａｄｏｗ」
フランス語の「ｃｈａｌｅｕｒ」
ヘブライ語の「ｓｈａｌｏｍ」
アラビア語の「ｓｈａｂａｂ」
日本語「Ｇｅｉｓｈａ」
等の単語の認識に用いることができる。
【０２６７】
前記音素群のそれぞれに対し、対応言語中の対応文字を割り当てることができる。前記した如く、斯くすることで音素群認識に基づく強力な多言語データ入力システムを提供することができる。この目的に合わせ、異なる言語中の１以上のデータベースをシステム内で利用可能とすることができる。異なる言語の異なる文章を入力する異なる方法を、検討することもできる。
【０２６８】
一方法によれば、所望言語で文章を入力すべく、一般の音素群データベースと多言語での対応文字群データベースを持たせることで、システムに所定手段によりシステムに通知することによりユーザは一つの言語モードを選択することができる。例えば、前記ユーザはモードキーを押して所望の言語モードへ入力することができる。この場合、本発明の対応する実施形態に従い前記単語の一部を入力することで単語を入力した後、システムは組み立てた文字集合の選択された対応群／列を前記選択された所望の言語に対応する単語辞書の単語と比較する。前記文字群と前記辞書の１以上の単語とを照合した後、このシステムは前記照合した（一又は複数の）単語を入力／出力する最終選択肢として選択する。選択肢が一つの単語を含む場合、該単語を最終選択肢とすることができる。選択肢が複数の単語からなる場合、そのときは前記単語をユーザ（例えば、ディスプレイにて印刷されたリスト内）に提示し、ユーザは例えば「選択」キーを用いることでそれらのうちの一つを選択することができる。
【０２６９】
別の方法によれば、システム内で利用可能な異なる言語内の全てのデータベースを同時に使用し、異なる言語での任意の単語入力が入力（例えば、同一文書）できよう。例えば、本発明の一実施形態により前記単語の一部を入力することで単語を入力した後、システムは選択された対応する群の文字をシステムにより利用可能な単語の辞典の全ての単語と照合することができる。前記文字群をシステムを用いて利用可能な異なる辞書内で利用可能な単語と照合した後、システムは前記照合した（一又は複数の）単語を入力／出力対象最終選択肢として選択する。選択肢が選択が一つの単語を含む場合、該単語を最終選択肢とすることができる。選択肢が複数の単語を含む場合、そのときは該単語をユーザに提示（例えば、ディスプレイにて印刷したリスト内）し、ユーザは例えば「選択」キーを用いてそれらのうちの一つを選択することができる。
【０２７０】
大半の母音が個別文字で表わされないヘブライ語やアラビア語等の一部言語では、このシステムはより高い精度でもって動作することさえできる。
【０２７１】
（単語辞書との比較なし）
本システムは、集成した選択された文字の組を単語辞書と比較する工程なしでも機能する。このことは、異なる言語での文書入力を、それらがシステムの単語辞書に存在するかどうかを気にせずに行うために便利である。例えば、システムがヘブライ語の辞書を備えていない場合、使用者はローマ字を使ってヘブライ語の文書を入力することができる。「Ｓｈａｌｏｍ」という単語を入力するには、使用者は存在する音素の組「ｓｈａ」と「ｌｏｍ」、及びシステム内で使用できる、それらに対応する文字の組を用いる。集成した文字の組を入力／出力するところであること、又は辞書データベースとの前記比較なしで、確認のため使用者に対して提示するところであることをシステムに対して知らせるために、モード・キーなどの手段を用いてもよい。複数の集成した文字の組が作成された場合、それらは使用者に対し提示される（例えば、ディスプレイ上に印刷されたリストで）ので、使用者は例えば「選択」キーを押してそれらのうち１つを選択することができる。
【０２７２】
本発明の単語／単語の一部の入力の実施例では、入力／出力された単語が使用者が望んだものでなかった場合、単語削除機能を１つのキーに割り当ててもよい。文字削除機能（例えば、削除、バックスペース) キーと同様に、単語削除キーを押すことは、例えば、ディスプレイ上でカーソルの前にある単語を削除することになる。
【０２７３】
本発明の別の実施例によれば、システムのほとんどの音素の組が、１つだけの子音を有していることが好ましい。図４１は、それらのいくつかを例として示す。この実施例によれば、例えば単語「ｔｅａｂａｇ」４１０１を入力するには、使用者はまず「ｔｅ」と言いながらキー３３０１を押す。次いで使用者は「ｂａ」と言いながらキー３３０２を押す。使用者は最後に「ｇ」と言いながら（又は音素「ｇ」の音声を発音しながら）キー３３０３を押す。別の実施例のように、単語の末尾で使用者はスペース・キーなどのキーを押してもよい。
【０２７４】
応答性を高め、システムの精度を増強するために、自動訂正ソフトウェアを本発明の実施例と併用してもよい。自動訂正ソフトウェアは当業者には知られている。例えば、（図３３のキーパッドを考えて）、使用者が単語「ｎｅｔｗｏｒｋ」を入力しようとするとき、使用者はまず、文字「ｎ」が割り当てられているキーパッドのキー３３０８を押して、同時に「ｎｅｔ」と言う。同一のキー３３０８には文字「ｍ」も割り当てられている。時としてシステムは使用者の音声を「ｍｅｔ」と誤認識して前記音声に対し「ｍｅｔ」などの文字の組を選択することがある。使用者は次の音節の入力に進み、それは前記音節の最初の文字「ｗ」に対応するキー３３０４を押し、「ｗｏｒｋ」と言う。システムは、使用者によって発音された音素の組「ｗｏｒｋ」を認識して、対応する文字の組「ｗｏｒｋ」を選択する。そこでシステムは２つの選択された文字の組を集成し、単語「ｍｅｔｗｏｒｋ」を得る。この単語をシステムの単語データベースの辞書に存在している単語と比較した結果、システムは前記集成した単語を、前記データベースの前記単語のいずれとも一致させることができない。システムは次いで、前記集成した単語を最も類似した単語に一致させようとする。この場合、１つの仮説に従って、システムは文字「ｍ」を文字「ｎ」で置き換えて、前記辞書で使用できる単語「ｎｅｔｗｏｒｋ」を提供することができる。別の仮説に従って、「ｍ」と「ｎ」が音声認識システムによって誤認識された可能性があり、両方とも同一キー上に配置されていると考えて、システムは、音素の組「ｍｅｔ」を音素の組「ｎｅｔ」で置き換えて、音素の組「ｎｅｔ」に割り当てられた文字の組「ｎｅｔ」を選択する。次いで、文字の組「ｍｅｔ」を文字の組「ｎｅｔ」で置き換えることにより、単語「ｎｅｔｗｏｒｋ」が集成される。前記単語はシステムの単語辞書で使用できる。それが最終的に選択される。
【０２７５】
もうひとつの例では、「ｔｈａｔ」という入力が、システムにより「ｖａｔ」と認識されることがある。同様の手順が前記単語を明確にし、正しい単語「ｔｈａｔ」をもたらす。
【０２７６】
もうひとつの例では、システムが、集成した文字群を辞書中の単語と一致させられなかった場合、システムの自動訂正ソフトウェアが、対応する部分（例えば、音節）内における及び／又は前記集成した文字群の中での、前記集成した文字の組の（互いに対する）文字の位置を評価して、前記文字の群を辞書中の単語と一致させようとする。例えば、前記文字の連鎖／群内で１つの文字が欠けていれば、辞書中の単語との前記比較により、システムはエラーを認識し、正しい単語を出力／入力する。例えば、使用者が単語「ｕｎ−ｄｅｒ−ｓ−ｔａｎｄ」（例えば４つの部分に分けて）を入力していて、前記単語の「ｓ」の部分を入力し忘れた場合、集成した文字の群の１つは、「ｕｎｄｅｒｔａｎｄ」という文字の連鎖となり得る。前記文字の連鎖の文字を考慮し、それらの前記連鎖の中での互いに対する位置を考慮し、前記文字の連鎖を辞書中の単語と比較することによって、システムは、意図していた単語は「ｕｎｄｅｒｓｔａｎｄ」という単語であることを認識することができ、最終的に、前記単語を入力／出力するか、又は使用者の判断を仰ぐため使用者に前記単語を提示するかのいずれかをすることができる。本システムの自動訂正ソフトウェアは、当業者には知られている別の自動訂正ソフトウェアの機能の一部又は全てを付加的に含んでいてもよい。
【０２７７】
同じ発音を持つ（例えばその上、同一キーに割り当てられている）「ｔｏ」、「ｔｏｏ」又は「ｔｗｏ」といった単語は、特別な処理に従うことができる。例えば、これらの単語のうち最もよく使われる単語は、「ｔｏ」という単語である。この単語は本発明の実施例に従って入力されてよい。この操作の出力は、デフォルトでは単語「ｔｏ」であってよい。単語「ｔｏｏ」は、「ｔｏｏ」と言いながら文字「ｔ」に対応するキーを押して、（「ｔｏ」と「ｏ」の二つの部分に分けて）入力されてよい。「単語の末尾」キーを押す前に、使用者は、「ｏ」と言いながら文字「ｏ」に対応するキーを押して、もう１つの文字「ｏ」も入力することができる。 そこで使用者は末尾点キーを押してよい。単語「ｔｏｏ」が認識され入力されることになる。単語「ｔｗｏ」を入力するには、システムは文字ごとにそれを入力するか、又は、前記単語に、「ｔｒｏ」などの特別な話声を割り当てて、この実施例を用いてそれを入力するかのどちらかである。さらに例えば、「ｔｗｏ」を入力するには、使用者はキー３３０１を押して長く「ｔｏｏ」と発音する。数字の「２」を入力するには、使用者は対応するキー３３０２を押して、前記数字を発音する。ここに示した例は、実例として示していることが理解されよう。実質的に同じ発音を有した単語の別の入力方法は、当業者により考案されることができる。
【０２７８】
非常に興味深い論点について丁度述べた。例えば、「ｆｉｖ」と言って、単語「ｆｉｖｅ」の先頭文字に対応するキー３３０９を押すことにより、単語「ｆｉｖｅ」が入力される。興味深いことに、「ｆｉｖ」と言って、数字の「５」に対応するキー３３０５を押すことにより、数字「５」が入力される。二つの別々の記号に対応する単語を言ってキー押しを使用することにより、使用者の意図が明瞭化する。このことは、使用者の意図が話声／話声認識システムによって考慮されない話声によるデータ入力の欠点の１つである。さらに例えば、同一の数字に対し、複数の話声を割り当ててもよい。例えば数字の「４」に対し、「ｆｏｕｒ」と「ｆｏｒｔｙ」という２つの話声を割り当てることができる。使用者は、対応するキーを押しながら「ｆｏｕｒ」、「ｆｉｖｅ」と言うことによっても数字の「４５」を作成できるし、又は同じキーを押しながら「ｆｏｒｔｙ ｆｉｖｅ」と言うことによっても数字の「４５」を作成できる。さらに使用者がキー３３０６を押して「ｓｅｖｅｎ」と言えば、数字の「７」が入力される。これは、単語「ｓｅｖｅｎ」を入力するためには、使用者はキー３３０６を押して「ｓｅ」と言えばよいからである。次いで使用者はキー３３０１を押して「ｖｅｎ」と言えばよい。
【０２７９】
数字「７」の話声が１つの音節を備えているフランス単語などの他の言語では、明瞭化を期すため、２つの音節を有した特別に作った話声を、文字の組「ｓｅｐｔ」に割り当ててもよい。例えば、単語「ｓｅｐｔｏ」が使用者により作成され、単語辞書に追加されることができる。この単語は、辞書内の単語「ｓｅｐｔ」を示す。使用者が単語「ｓｅｐｔｏ」を（本発明の現実施例に従って）入力すると、システムは前記単語をシステムの単語辞書内に見つける。前記単語を入力／出力する代わりに、システムは単語「ｓｅｐｔｏ」が示す単語を入力／出力する。前記単語は単語「ｓｅｐｔ」である。辞書データベース内の単語を示している作成された記号を別個のデータベースに配置してもよい。
【０２８０】
別の方法によれば、数字を、キーとの第１モードの相互作用に対して割り当てることができ、前記数字を表している文字の組を、前記キーとの別モードの相互作用に対して割り当てることができる。例えば、数字「７」を、キー３３０６への（例えば、それを話しながらの）一度押し動作に対して割り当てることができ、文字の連鎖「ｓｅｐｔ」を、同じキー３３０６への（例えば、それを話しながらの）二度押し動作に割り当てることができる。
【０２８１】
本発明の分節話声レベルデータ入力システムは、少なくとも単語の一部の話声（例えば、単語の分節話声）の認識に基づいていてよいことに留意するべきである。１つ又は複数の言語の中の多くの単語が、共通の分節話声を有していることを考慮すると、音素の組を微修正／追加して、対応する文字を前記音素の組に割り当てることにより、多言語データ入力システムを使えるようにすることができる。例えば、英語、ドイツ語、アラビア語、ヘブライ語、さらに中国語までもの多くの言語は、発音が同じである部分／音節を有した単語を備えている。
【０２８２】
使用者は、システムの辞書データベースに、新たな標準単語又は特別に作った単語及び対応する話声を追加してもよいことが理解されよう。したがって、システムは対応するキー押しの値及び話声モデルを作成して対応するデータベースに追加することができる。
【０２８３】
前述したように、単語を入力するには、使用者は、単語の先頭部分の先頭文字／字に対応するキーを押し、 前記部分（の音素）を話す。前記単語が複数の部分に分けて話された場合、使用者は、前記単語の残りの部分のそれぞれに関してこの手順を繰り返せばよい。
【０２８４】
本発明の一実施例によれば、使用者が単語の一部分（音節など）の先頭文字に対応するキーを押して前記部分を話すと、発声／話声認識システムは前記使用者の話声を聞き、前記話声の少なくとも一部（好ましくは、少なくとも、先頭部分）を、前記キーに割り当てられた音素の組に一致させようとする。一致度が最も高い音素の組が選び出され、対応する文字の組がシステムにより選択される。前記単語の各部分（例えば音節）に関して同じ手順を繰り返して単語全体を入力した後で、前記単語の各部分（例えば音節）に関して１つ又は複数の文字の組がそれぞれ選択されてもよい。システムはそこで、単語の各部分（例えば音節）に関して１つ又は複数の文字の組を有してもよく、各文字の組は前記音節の文字の少なくとも一部（好ましくは、先頭部分）を備えている。システムは次いで、前記文字の組それぞれを、システムの単語辞書データベース中の単語の対応する音節の（例えば、先頭）文字に一致させようとする。一致度が最も高い単語が選択されることができる。多くの場合、辞書からの一単語のみが選択される。前記単語が入力／出力される。複数の使用可能な単語が選択された場合、前記単語は使用者に対して提示され（例えば、 ディスプレイ上に印刷されたリストで）、使用者は例えば「選択」キーを押すことにより、それらのうち１つを選択できる。
【０２８５】
例えば、図３７の表と図３３のキーパッドを用いて、単語「ｔｒｙｉｎｇ」（例えば音素の組「ｔｒｉ−ｉｎｇ」）を入力するには、使用者はまずキー３３０１を押して「ｔｒｉ」と言う。システムは使用者の話声を、前記キー３３０１に割り当てられた対応する音素の組に一致させ、対応する文字の組（例えば、この例においては、「ｔｒｙ」、「ｔｒｉ」）を選択する。使用者は次いで文字「ｉ」に対応しているキー３３０３を押して「ｉｎｇ」と言う。この場合、システムは使用者の話声の先頭を、キー３３０３に割り当てられた音素の組「ｉｎ」に一致させ（例えば、音素の組「ｉｎｇ」は代表的なデータベースには存在しないので、そのため前記キーに割り当てられていない）、対応する文字の組「ｉｎ」を選択する。使用者はそこでその単語の入力を終了し、スペース・キーを押す、又は、話さずに任意のキーを押す（例えば、話さずにキーを押すことを、句読点、ＰＣ機能等、その他といった文字に割り当てることができる。この件については、本発明者により既に提出されているＰＣＴ出願に既に説明されている）といった、末尾点（例えば、その単語の末尾）記号を入力する。システムはそこで、所望の単語の各部分／音節の先頭文字の少なくとも一部である可能性のある文字をそれぞれ備えた、異なる文字群を作成することができる。この例では、２つの文字群が作成され得る。前記文字群は、
「ｔｒｉ−ｉｎ」
及び、
「ｔｒｙ−ｉｎ」
である。第２の文字群（例えば、「ｔｒｙ ｉｎ」）のみが、英語の辞書に存在する単語に対応するが、前記単語はその第一音節の先頭に文字「ｔｒｙ」を備え、さらに、前記単語のもう１つの（例えば第二）音節の先頭に文字「ｉｎ」を備えている。前記単語は、「ｔｒｙｉｎｇ」という単語である。
【０２８６】
このシステムにおいては、多くの単語全体の認識に必要な音素の組／話声モデルの量は劇的に減らすことができる。他方では、前記音素の組を表す文字の組の数が増えることがあるが、必要なメモリ容量に対し甚大な影響を与えることはない。
【０２８７】
多くの場合、前記集成された文字のうち１つのみが辞書中の１つの単語に一致することができる。前記単語は入力／出力される。複数の文字の組の集成が、辞書で使用できる複数の単語に対応した場合、前記単語は使用者に対し提示され（例えば、ディスプレイに印刷されたリストで)、 使用者はそのうち１つを、例えば「選択」キーを押すことにより選ぶことができる。
【０２８８】
前述したように、システムは、前記単語の話声／分節話声に対応する、１つ又は複数の前記選択された文字／音素の組に従って１つ単語を選択することができる。
【０２８９】
場合によっては、システムは１つ又は複数の前記選択された文字／音素の組を、それらがシステムにより誤って選択されたと考えて、考慮しないことがある。さらに、必要に応じて、システムは、システムによって選択された音素の組／文字の組の音素／文字の一部のみ（好ましくは、先頭部分）を考慮することがある。例えば、使用者が「ｄｅｍｏｎｓｔｒａｔｉｎｇ」という単語を、「ｄｅ−ｍｏｎｓ−ｔｒａ−ｔｉｎｇ」という四つの部分に分けて入力して、システムがある認識方法（例えば、前記文字の組を、辞書中の単語と比較）に従って誤って「ｄｅｓ−ｍｏｎｔｈ−ｔｒａ−ｔｉｎｇ」という文字の組を選択したとすると、システムは前記文字の組の集成に対応する単語を見つけることができない。システムは次いで、第１の選択された文字の組の字「ｄｅ」（例えば、先頭の字を少し）及び第２の文字の組の字「ｍｏｎ」（例えば、先頭の字を少し）を考慮し、さらに、第３と第４の文字の組を考慮して、意図した単語は、「ｄｅｍｏｎｓｔｒａｔｉｎｇ」という単語であろうと気付くことができる。さらに必要に応じて、辞書中の一致度が最も高い単語に一致させるために、システムは集成した（選択された文字の組の）文字の連鎖に文字を追加してもよいし、前記文字の連鎖から文字を削除してもよい。例えば、使用者が「ｓｉｔ−ｔｉｎｇ」という単語を、２つの部分に分けて入力しようとして、システムがある認識方法（例えば、前記文字／音素の組を、辞書中の単語と比較）に従って誤って「ｓｉ−ｔｉｎｇ」という文字の組を選択したとすると、システムは、単語「ｓｉｔｔｉｎｇ」に一致させるためには、前記文字の連鎖の中で文字「ｉ」の後に文字「ｔ」を追加しなければならないと決定することができる。もう１つの例では、使用者が「ｍｅｅ−ｔｉｎｇ」という単語を、２つの部分に分けて入力しようとして、システムがある認識方法（例えば、前記文字／音素の組を、辞書中の単語と比較）に従って誤って「ｍｅｅｔ−ｔｉｎｇ」という文字の組を選択したとすると、システムは、単語「ｍｅｅｔｉｎｇ」に一致させるためには、前記文字の連鎖の中で文字「ｅ」の後の文字「ｔ」を削除しなければならないと決定する。
【０２９０】
ある単語の部分の末尾（例えば、前記単語は、複数の部分／音節を有している）及び／又は前記単語の後続部分の先頭に同じ音素があれば、システムによる認識精度を高めることを可能にすることができる。
【０２９１】
本発明の一実施例によれば、例えば、母音などの音素で終わる音素の組 （１つのキーに割り当てられている）に対し、前記音素の組と末尾に子音などの別の音素とを備えた別の音素の組が考慮され、前記キーに対し割り当てられてよい。これで認識精度を高めることができる。例えば図３３を参照すると、２つの部分「ｃｏ−ｍｉｎｇ」を備えた単語「ｃｏｍｉｎｇ」を入力するには、使用者はキー３３０２を押して「ｃｏ」と言い、次いで使用者は即座にキー３３０８を押して「ｍｉｎｇ」と言う。分節話声の最初の部分は短か過ぎるので、音素の組「ｃｏｍ」が、音素の組「ｃｏ」が割り当てられているのと同じキー３３０２に割り当てられていなければ、前記キーを押して「ｃｏ」と言っている間に、システムは使用者による前記部分の話声を誤認識し、「ｃｏｌ」といった誤った音素の組（例えば、文字の組「ｃａｌｌ」が割り当てられている）を選択するということが起こり得る。他方では、音素の組「ｃｏｍ」も前記キーに割り当てられていれば、「ｍｉｎｇ」の部分の先頭の音素「ｍ」は、音素の組「ｃｏｍ」の末尾の音素「ｍ」と同じになる。この場合、システムは二つの音素の組「ｃｏｍ−ｍｉｎｇ」及びそれらの対応する文字の組（例えば、「ｃｏｍ／ｃｏｍｅ」及び「ｍｉｎｇ」）を選択することができる。集成した文字の組を辞書中の単語と比較した後で、システムは、前記集成した文字の組の１つから、「ｍ」を一個除去することを決定し、前記集成した文字の組を、辞書データベースの単語「ｃｏｍｉｎｇ」と一致させる。
【０２９２】
多くの場合、非英語圏の出身者である使用者によって発音された話声の、より良い認識を可能にするため、紛らわしくほぼ同じ発音を有した音素の組（「ｖｏ」及び「ｔｈｏ」などの）に相応に割り当てられた文字の組を、前記音素の組全てに対して割り当てることができる。例えば、各音素の組「ｖｏ」及び「ｔｈｏ」に対し、同じ（例えば、共通の）文字の組「ｔｈｏ」、「ｖｏ」及び「ｖａｕ」その他を割り当てることができ、そこで、システムによる前記文字の組の選択、及び相応に、異なる組の文字の作成の場合、前記組をシステムの辞書データベース中の単語と比較することが、前記辞書の所望の単語の選択につながり得る。
【０２９３】
文書などのデータを小型のキーパッドで入力することはデータ入力速度をひどく減少する。単語の各部分／音節の１つのキーを、前記部分／文節を話しながら押すことに基づいた本発明のデータ入力システムは、データ入力速度を劇的に増加させる。本システムは別の利点をも有している。本システムの利点の１つは、システムは単語の認識を（高精度で）、前記単語の各部分（例えば音節）につき多分１つのキーを押すことにより行うということである。 システムの別の大きな利点は、特に単語予測データ入力システムにおいては単語全体の誤認識／非認識につながる、単語のミススペル／ミスタイプ（例えば各部分の最初の文字をタイプすることにより）をすることを使用者が気にしなくていいということである。システムのさらに別の大きな利点は、使用者が単語の一部の最初の文字に対応するキーを押す際、使用者は前記キー押し中に（前記部分を）話すということである。単語の末尾で、使用者は句読点（キーに割り当てられている）などのデフォルト記号を、話すことなく前記キーを押すことにより入力できる。前述したように、このキー押しは、単語の末尾の合図として使われることができる。例えば、使用者は単語「ｈｉ」を、キー３３０３を押して同時に「ｈｉ」と言って入力することができる。次いで使用者は話さずにキー３３０６を押すことができる。このことが、単語の入力が終了したので前記単語の最後に記号「，」を加えなければならないことを知らせる。 最終的な入力／出力は、文字の組「ｈｉ」となる。
【０２９４】
本発明に記載されたデータ入力システムは、本発明者により提出されたＰＣＴ及び米国特許出願に記載されたデータ入力システムの偏移である。以前の出願に記載された、完全なＰＣのキーボード機能を提供する文字ごとのデータ入力システムと、前記ＰＣＴ出願及び本出願に記載された単語／単語の一部レベルのデータ入力システムとの併用は、小型電子装置の、数を減らしたキー（例えば、キーパッド）を有したキーボードを介した迅速なデータ入力を可能にして、モバイル（及び、固定でも）の環境において完全高速で、容易で自然なデータ入力を提供する。
【０２９５】
前述したように、本発明のデータ入力システムはＰＣのキーボードなどの任意のキーボードを使用できる。さらに前述のように、本発明のデータ入力システムによれば、キーボードのキー上の記号は、話さずに前記キーを押すことにより入力されてよい。本発明のデータ入力システムは、１つの記号が、１つ又は複数のキーへの所定の押し動作に割り当てられている、標準型ＰＣのキーボードなどのキーボードで最適に機能する。図４２に示すようなコンピュータのキーボードを使っている人々には知られているように、例えば、ＰＣのキーボード４２００のキー４２０１を押すことにより、文字「ｂ」は入力されてよい。さらに例えば、同時にシフトキー４２０２とキー４２０３を押すことにより、記号「＃」は入力されてよい。
【０２９６】
本発明のデータ入力システムをそのようなキーボードと組み合わせることにより、一方では使用者は前記キーボードを通常通り、所望のデータに対応するキーを、前記データを話さずに押して使うことができ（これで１つの文字、句読点文字、数字、コマンド等の入力を話さずに行うことが可能になる）、他方では、前記使用者は、所望のデータ（例えば、単語／単語の一部）を、前記データを話して、（好ましくは同時に）対応するキー（群）を押すことにより入力できる。例えば、ＰＣのキーボードなどのキーボードを使って文字「ｂ」を入力するには、使用者はキー４２０１を話さずに押せばよい。「ｂａｎｄ」という単語／音節を入力するには、使用者はキー４２０１を押して（好ましくは 同時に）「ｂａｎｄ」と言えばよい。モード変更のための追加操作の必要なしで、これは一方では、使用者がキーボードを通常通りに動かすことを可能にし、他方では、前記使用者が、単語／単語の一部などのマクロの入力を、前記マクロを話して（好ましくは同時に）対応する１つ又は複数のキーを押して行うことにより可能にする。さらに、例えば、「ｂｉ」及び「ｂｌｅ」という２つの部分（例えば、２つの音節）からなる「ｂｉｂｌｅ」という単語を入力するには、使用者は（前述したように、本発明のデータ入力システムの原則に従って）、キー４２０１を押して「ｂｉ」と言えばよい。次いで使用者はキー４２０１を押して「ｂｅｌ」と言えばよい。
【０２９７】
前述したように、以前の出願に記載された完全なＰＣキーボード機能を提供する文字ごとのデータ入力システムと、前記ＰＣＴ出願及び本出願に記載された単語／単語の一部レベルのデータ入力システムの併用は、完全高速で、容易かつ自然なデータ入力システムを提供する。
【０２９８】
単語の話声は、これも１文字に対応する１つ又は複数の分節話声からなっていることがある。例えば、図３３を参照すると、使用者がキーパッド３３００のキー３３０２を押して「ｂ」と言うと、入力された前記データは、文字「ｂ」、単語「ｂｅ」及び単語「ｂｅｅ」に対応し得る。一実施例によれば、システムは、（例えば、この例においては、文字「ｂ」）を、最終的に使用者に対し入力／提示される第一候補と考えて、最高優先度を文字レベルのデータに対して割り当てる。これが、使用者が入力を意図したものでなかった場合、次いで使用者は単語の残りの部分を文字ごとに入力続行するか、又は、使用者は前記単語の入力を終了するために終了キーを押して、次いで例えば、別の選択肢（例えば、この例においては「ｂｅ」と「ｂｅｅ」）の間で行き来するために選択キーを操作して希望する方を選ぶことができる。
【０２９９】
この方法によれば、さらに、例えば、単一文字に対応していて最終的には前記キーに割り当てられた単語／単語の一部の話声にも対応する分節話声で開始する単語／文字の連鎖を入力しながら、前記文字に最高優先度が与えられ、ひいては対応する装置のディスプレイ上に、使用者が単語の末尾の合図を入力する前であっても、印刷される。入力された前記話声／分節話声の次の部分もまだ／更に単一文字に対応する場合、この手順が繰り返される。スペース・キーなどの単語の末尾の合図が発生すれば、前記文字の連鎖は最高優先度を与えられ、ディスプレイ上に残る。次の単語の入力などの次のタスクに進むことは、使用者による前記文字の連鎖の受諾確認と見做される。入力された同じデータが、システムにより一致を見た１つ又は複数の単語にさらに対応すれば、前記単語はさらに使用者に対し使用可能になり／提示される。前記印刷された単一文字の連鎖が、使用者が入力を意図したものでなかった場合、使用者は前記単語の間で行き来するために選択キーを用い、希望するものを選ぶ。
【０３００】
本発明の本実施例を引き続き説明すると、単語／単語の一部の入力中に入力されたデータ（話声／話声の一部及び／又はキー押し）の１つが単一文字に対応せずに、単語の末尾の合図が入力されてしまうと、そのときは前記表示された文字は削除され、代わりに、最高優先度の単語（前記データに対応する）が使用者に対し提示される。入力された同じデータがさらに多くの単語に対応すれば、前記単語も、使用者が望めば使用者に対し提示される。この場合、使用者は、例えば、選択キーを用いて前記単語の間で行き来し、所望の単語を選ぶことができる。
【０３０１】
標準型電話キーパッドと本発明のシステムのデータ入力を使うと、英語には、複数の音節を有していて前記音節の全話声が、対応するキー上の単一文字にも対応するような単語は存在しないことに気付くであろう。
【０３０２】
対応するキー上の単一文字（例えば、「ｂ、ｂｅ、ｂｅｅ」又は「ｔ、ｔｅａ、ｔｅｅ」）に対応する一音節の単語はいくつかある。前述のように、それらの場合は、前記単一文字に対し最高優先度が付与されることができる。
【０３０３】
上述の原則によれば、例えば、
−「ｂ」を入力するには、使用者は前記字に対応するキーを押し、「ｂ」と言う。
−「ｂｍｘ」を入力するには、使用者は対応する字を発音しながら対応するキーを押す。
−「ｂｍｘ９５」を入力するには、使用者は対応するキーを押して対応する文字を発音する。
−単語「ｂｅｆｏｒｅ」を入力するには、使用者は対応する字を発音しながら対応するキーを押す（文字ごとのデータ入力）か、又は、例えば、使用者はまず字「ｂ」に対応するキーを押し、（好ましくは 同時に）「ｂｅ」と言い、次いで使用者は字「ｆ」に対応するキーを押して「ｆｏｒ」と言う。最後に、使用者はスペース・キーを押すなどして単語の末尾の合図を入力する（例えば、単語／単語の一部のデータ入力システム）。
【０３０４】
この方法の利点は、使用者は異なるモード間で切り替えなくても、本発明の文字ごとのデータ入力と本発明の単語／単語の一部のデータ入力システムを併用することができるということである。
【０３０５】
本発明のデータ入力システムは、如何なる時でも使用者に、文字、数字、句読点文字、（ＰＣ）コマンドといった記号を備えた任意の文字の連鎖を入力することを可能にする、又は辞書データベースに入っている単語を入力することを可能にする完全なデータ入力システムである。
【０３０６】
本発明の一実施例によれば、システムにより選択された文字の組（単語／単語の一部の話声に対応する）は、集成及び辞書データベースの単語との比較の手続きが開始する前に使用者に対し提示されることができる。例えば、単語の一部のそれぞれの入力の後で、前記入力されたデータに対応する文字の組が即座に使用者に提示されてよい。この方法の利点は、単語の一部を入力したすぐ後に、使用者は前記単語の前記部分がシステムに誤認識されているかどうかを検証できることにある。この場合使用者は前記部分を削除して、前記部分に対応する正しい文字が入力されるまで前記入力を繰り返す（又は必要ならば、前記部分を文字ごとに入力する）ことができる。入力された単語の一部に対応する文字を一つ一つ削除する代わりに、前記部分に対応する文字全体を削除できる１つのキーを配設してもよい。本発明の一実施例によれば、同じ１つのキーを、単語全体及び／又は単語の一部を削除するために用いてよい。例えば、前記キーの一度押しが、入力された単語の一部削除する結果になる（例えば、 システム／使用者によって前記部分の直後に配置されたカーソルは、前記部分が削除されるはずであることを示す）。明らかに、同じ押し動作をさらに続けるたびに、前記カーソル前の単語の一部をさらに続けて削除することになる。さらに例えば、前記キーの二度押しは、前記単語に関して入力された全ての部分を削除する結果になる（例えば、カーソルが削除対象部分の直後に配置されることで、システムに対し、前記カーソルの前に配置されている単語の全ての部分が削除されなければならないことを知らせることができる）。
【０３０７】
使用者が、単語全体と単一文字とを備えた「ｓｙｓｔｅｍＸＢ５」などの文字の連鎖を入力したい場合が発生し得る。
【０３０８】
一実施例では、前記文字の連鎖の一部分に対応するデータの各入力の後に、又は前記文字の連鎖全体の入力の最後に、システムは、前記単語の各部分に対応する、選択された文字の組に対応する単語が辞書にはないことを認識することがある。他方では、システムは、連続した選択された文字の組のいくつかを集成したものが辞書データベース内の単語に対応するが、他は単一文字に対応することを認識することがある。この場合、システムは、前記文字と単語からなる出力を単一の文字の連鎖として形成する。上記の例では、「ｓｙｓｔｅｍＸＢ５」という単語は、「ｓｙｓ−ｔｅｍ−ｘ−ｂ−５」という５つの部分に分けて入力されてよい。
【０３０９】
例えば図３３に示すような電話キーパッドを用いて、キー押しと各部分の話声に対応して選択された文字の組は以下のようになる。
部分 ｓｙｓ ｔｅｍ ｘ ｂ ５
文字の組 ｓｉｓ／ｓｙｓ ｔｅｍ／ｔｈｅｍｅ ｘ ｂ／ｂｅ／ｂｅｅ ５
前記文字の組を集成して辞書中の単語と比較した後で、システムは、前記選択された文字の組の集成に一致する単語がデータベース内に存在しないことを認識することがある。それでシステムは、一方では単一文字に対応する部分がいくらかはあり、他方では単一の文字の組又は連続した別の文字の組の組み合わせが前記データベース内の単語に対応することを認識する。システムは前記組み合わせを入力／出力する。この例においては、システムは第１と第２の文字の組「ｓｙｓ」と「ｔｅｍ」の集成が「ｓｙｓｔｅｍ」という単語に一致することを認識する。第３と第５の文字の組はそれぞれ文字「ｘ」と「５」に対応する。第４の部分は、字「ｂ」又は単語「ｂｅ」及び「ｂｅｅ」に対応し得る。
【０３１０】
システムは以下の選択肢を、優先度に従って使用者に対し提示する。
「ｓｙｓｔｅｍｘｂ５」
「ｓｙｓｔｅｍｘｂｅ５」
「ｓｙｓｔｅｍｘｂｅｅ５」
単一文字及び単語全体からなる文字の連鎖の認識手順を容易化するには、使用者は前記連鎖内の前記単語／文字の先頭／末尾を、所定のキーを押すなどの所定の合図により合図することができることが理解されよう。
【０３１１】
本発明の一実施例によれば、入力のために複数の部分に分割される単語は、可能な場合は前記部分の話声が母音で始まるような形式に分割されることが好ましい。例えば、単語「ｍｅｒｃａｎｄｉｚｅ」は「ｍｅｒｃｈ−ａｎｄ−ｉｚｅ」という部分に分割されてよい。さらに例えば、単語「ｍａｎｉｐｕｌａｔｅ」は、「ｍａｎ−ｉｐ−ｕｌ−ａｔｅ」に分割されてよい。
【０３１２】
さらに、良い結果を期すために、単語の一部の話声に対応する音素の組に対応する選択された文字の組は、前記文字の組が辞書データベース中の単語と比較される際に、対応する音素の組を考慮する。例えば英語では、「ａｒ」という音素の組に対応する文字の組は、「ａｉｒ」、「ａｒ」及び「ａｒｅ」などの文字の組である。音素の組の「ａｒ」に対応する文字の組は、「ａｒｅ」及び「ａｒ」とすることができる。この例では、両方の音素の組は類似した文字の組「ａｒｅ」及び「ａｒ」を有している。入力の誤認識の場合は、システムは（例えば、逆）一義化又は訂正手順を試みる。どの音素の組に文字の組が関連するかを知っていることは、システムが前記手順を進める助けとなろう。例えば、使用者が「ａｒ」という単語を入力するつもりであって、システムは誤って前記話声を「ａｂ」（例えば、この例においては意味をなさない）と認識する。前記誤って認識された音素の組向けの前記関連した文字の組は、「ａｂｅ」、「ａｂ」といった文字の組であろう。前記音素の組を考慮して、システムは、「ａｎ」、「ａｍ」（例えば、音素「ａ」に関連している）といった単語よりは、「ａｉｍ」、「ａｉｌ」、「ａｉｒ」など（例えば、音素「ａ」に関連している）といった単語に向けられる。
【０３１３】
前述したように、１つの単語の複数の音節を表している音素の組もまた考慮されて１つのキーに割り当てられ、本発明の実施例により入力される（例えば、２つの音節を持つ単語の一部分に対応する音素の組は、それを話して前記一部分の最初の文字に対応するキーを押すことによって入力されてよい）。さらに前述したように、ある単語の全体を、それを話して同時に前記単語の最初の音素／文字に対応するキーを押すことにより入力してもよい。単語の連鎖をも、１つのキーに割り当てて既に述べたように入力することができる。システムが、複数の分節話声（例えば音節）を有した単語の音素の組（例えば分節話声）を認識しないということが起こり得る。この場合、前記単語の二つ以上の連続した分節話声（例えば、音節）を、１つのキーに割り当てることができる。図３３を参照すると、例えば、「ｄａ−ｔａ」という単語（例えば、システムが例えば音素の組「ｔａ」を誤認識する)を、キー３３０９に割り当てることができる。前記単語を入力するには、使用者はキー３３０９を押して「ｄａｔａ」と言う。
【０３１４】
本発明の釦押し話声データ入力システムは、単語の入力を可能にするので、単語の末尾手続きはシステム又は使用者によりそれぞれ自動でまたは手動で管理される。
【０３１５】
前述のように、入力される異なる種類の単語があり、それらは以下である。
−一度の分節話声／話声（例えば、１つの音節を有した単語）により１つの部分で、対応するキー押しとの併用で入力される単語
−複数の部分に分かれており（例えば、複数の音節を有した単語、又は、１つの音節を有しているが、複数の連続した子音又は母音を備えている単語）、各部分に関して対応するキー押しとの併用で、各部分に対応する分節話声／話声により、入力される単語
【０３１６】
本発明の一実施例によれば、言語上の単語のデータベース内に存在している単語に対応している単語全体が入力されて、使用者が「単語の末尾」キーを押すなどの単語の末尾の合図を入力すると、そこで前記単語は、入力された前記データの結果として、入力／出力される対象として考慮される。所定のシステム設計／モードに従って、システムは前記結果の最後にスペース文字などの文字を追加するかしないかを考慮する。システム又は使用者が、前記単語の後にスペース文字や入力機能などの記号を入力しない場合、次に入力された単語／文字が前記単語の最後に付けられることができる。
例
「ＦＯＲ」の後に「単語の末尾」キーが続く（スペースなしで）と、「ＦＯＲ」となる
【０３１７】
本発明の別の実施例によれば、言語上の単語のデータベース内に存在している単語に対応している単語全体が入力されて、使用者が、前記単語の最後に、少なくとも１つのスペース文字、少なくとも１つの句読点、又は少なくとも１つの「入力」機能といった追加記号を入力すると、次いで前記単語及び前記記号が入力される。
例
「ＦＯＲ」の後に「 」が続くと、「ＦＯＲ」となる
「ＦＯＲ」の後に「，」が続くと、「ＦＯＲ，」となる
「ＦＯＲ」の後に「．」が続くと、「ＦＯＲ．」となる
【０３１８】
本発明の一実施例によれば、使用者が、言語上の単語辞書データベース内に存在している単語に対応している単語を入力して、次に前記使用者が、こちらも辞書に存在している単語に対応している次の単語を（前記２つの連続する単語の間にスペース文字などの単語の末尾の合図を入力せずに）入力したが、前記２つの単語の集成が単語辞書データベース内の単語に対応しない場合、システムは前記２つの単語の間に自動的にスペースを入れる。
例：「ＦＯＲ」の後に「ＳＯＭＥ」が続くと、「ＦＯＲ ＳＯＭＥ」となる
【０３１９】
本発明の一実施例によれば、使用者が、言語上の単語辞書データベース内に存在している単語に対応している単語を入力して、次に前記使用者が、こちらも辞書に存在している単語に対応している次の単語を（前記二つの連続した単語の間にスペース文字などの単語の末尾の合図を入力せずに）入力し、前記２つの単語の集成も単語辞書データベース内の単語に対応すれば、そこでシステムは２つの選択肢を使用者に提示することができる。第１の選択肢は、前記２つの単語の集成（それらの間にスペース文字なし）であり、第２の選択肢は、前記２つの単語がその間に１つ（または複数の）スペース文字を備えたものである。事前定義されたシステム設計、前記単語の集成後の意味及び単独での意味、語句の概念、などの因子に従って、システムは前記選択肢の１つに対し最高優先度を与え、使用者の確認を仰ぐために、対応する装置のディスプレイ上にそれを印刷してもよい。すると使用者は、どれを選ぶかを決定する。例えば、次の単語／文字の入力に進むということは、使用者に対し、第１の選択が確認されたことを知らせる。
例１
「ＦＯＲ」の後に「ＧＩＶＥ」が続くと、第１の選択肢「ＦＯＲＧＩＶＥ」となる
「ＦＯＲ」の後に「ＧＩＶＥ」が続くと、第２の選択肢「ＦＯＲ ＧＩＶＥ」となる
例２
「ＷＯＲＫ」の後に「ＭＡＮ」が続くと、「ＷＯＲＫＭＡＮ」となる
「ＷＯＲＫ」の後に「ＭＡＮ」が続くと、「ＷＯＲＫ ＭＡＮ」ともなる
【０３２０】
上述の手順は、こちらも同じ原則に対応している次の単語などの単語に適応し得る。
例
「ＷＯＲＫＭＡＮ」の後に「ＳＨＩＰ」が続くと、「ＷＯＲＫＭＡＮＳＨＩＰ」となる
「ＷＯＲＫＭＡＮ」の後に「ＳＨＩＰ」が続くと、「ＷＯＲＫＭＡＮ ＳＨＩＰ」ともなる
【０３２１】
本発明の一実施例によれば、言語上の単語のデータベース内に存在している単語に対応している最初の単語が入力されて、使用者が、前記第１の単語の末尾に次の単語／単語の一部を（それらの間にスペース文字を入れずに）入力した場合で、前記次の単語／単語の一部は辞書に存在している単語に対応しないが、前記次の単語／単語の一部と前記最初の単語を集成したものは辞書中の単語に対応するならば、システムは前記最初の単語と前記次の単語／単語の一部を自動的に付けて、１つの単一単語を作る。
例:
「ＦＯＲ」の後に「ＣＩＮＧ」が続くと、「ＦＯＲＣＩＮＧ」となる
「ＦＯＲＧＩＶＥ」の後に「ＮＥＳＳ」が続くと、「ＦＯＲＧＩＶＥＮＥＳＳ」となる
【０３２２】
本発明の一実施例によれば、最初の入力された単語／単語の一部が、言語上の単語のデータベース内に存在せず、使用者が次の単語／単語の一部を入力すると、システムは前記最初の部分と次の部分を集成し、前記集成を辞書中の単語と比較する。前記集成が前記辞書中の単語に対応すれば、システムは前記単語を選択し、最終的にそれを、確認のため使用者に対し提示する。
例
「ＳＹＳ」の後に「ＴＥＭ」が続くと、「ＳＹＳＴＥＭ」となる
【０３２３】
より良い結果を期すため、さらに、紛らわしさを低減するために、自動的な単語の末尾手続きが、使用者の介入と併用されてもよいことが理解されよう。例えば、ある部分の末尾で事前定義されたキーを押すことは、システムに対し、前記部分はそれに先行した少なくとも１つの部分と集成されなければならないことを知らせる。 そのように定義されている場合、システムはさらに前記集成した単語の末尾にスペース文字を配置してもよい。
例１：使用者の介入がない場合、以下の状況が発生する。
「ＦＯＲ」の後に「ＧＩＶＥ」が続くと、第１の選択肢「ＦＯＲＧＩＶＥ」となる
「ＦＯＲ」の後に「ＧＩＶＥ」が続くと、第２の選択肢「ＦＯＲ ＧＩＶＥ」ともなる
例２：使用者の介入がある場合、以下の状況が発生する
「ＦＯＲ」の後に「ＧＩＶＥ」が続き「」が続くと、１つの選択肢「ＦＯＲＧＩＶＥ 」となる
【０３２４】
システムを手動／半自動／自動的単語の末尾モード／手順にすることは任意である。使用者は、モード釦などの手段を使って、システムに対し前記手順に入ること及びそれを終了することを知らせることができる。これは、多くの場合、使用者は単語の末尾の事項は手動で処理することを好むと思われるからである。
【０３２５】
前の実施例で述べたように、使用者は、文字の連鎖の中の１つ又は複数の単語を任意に入力したいと望むことがある。この事項については、本発明の前の実施例のうちの１つで既に説明した。
例：「９１ＳＹＳＴＥＭｅｐ７」
【０３２６】
本発明の一実施例によれば、システムは使用者に対し、現在入力されている単語／単語の一部を、その入力（例えば、話声及び対応するキー押し）の後（例えば直後）及び「単語の末尾」の合図が入力される前に提示することができる。システムは前記部分を辞書中の単語と一致させ、前記部分を前の単語／単語の一部、現在の語句の文脈などと関連付けて、使用者に対しどの出力を提示するかを決定する。システムは前記部分をそのままの状態で使用者に対し提示してもよい。この手順は、使用者が単語を、間にスペースを入れずに入力することも可能にする。例えば、使用者に対して提示された選択結果（例えば、単語）が使用者によって選択された後で、使用者は、前記最初の単語と前記次の単語／単語の一部の間にスペース文字を加えずに、次の単語／単語の一部の入力に進んでよい。システムが前記２つの単語を付ける。
例：「ＰＲＥＳＳ」の後に「ＳＰＥＡＫ」が続くと「ＰＲＥＳＳＳＰＥＡＫ」となる。
【０３２７】
辞書の標準の単語に加えて、システムの単語のデータベースは、略語、特殊文字を備えた単語（「ｉｔ’ｓ」）、使用者が作った単語などをも備えていてよい。
【０３２８】
図３３を参照すると、例えば、使用者がキー３３０３を押して「ｉｔｓ」と言うと、システムは、前記キー及び前記話声（の一部）に割り当てられた単語である「ｉｔｓ」及び「ｉｔ’ｓ」を選択することができる。システムは前記単語のうち１つを（例えば、語句の概念、前の単語などに従って）最終選択肢として自ら選択するか、又は、前記選択された単語を、最終選択のため使用者に対し提示する。この場合システムは例えば、対応する装置のディスプレイに最高優先度を持つ単語（例えば、ｉｔｓ）を印刷してもよい。 それが使用者の入力したかったものであれば、そこで使用者は、事前定義されたキーを押すことや、次のデータ（例えば、文書）入力へ進むといった事前定義された確認手段を用いてよい。次のデータ（例えば、文書）入力へ進むことは、システムにより現在提案されている単語の受諾の確認と見做されることができる。前記印刷された／提案された単語が、使用者が入力を意図したものでなかった場合、そこで使用者は別の選択された単語（例えば、「ｉｔ’ｓ」）を、システム内に設けられた選択手段により選択してもよい。別の実施例によれば、２つの単語が類似した発音である場合、前記単語のうち１つ（例えば、上記の例での単語「ｉｔｓ」）を表している音素の組を、キーとの第１の種類の相互作用（例えば、一度押し）に対し割り当てることができ、さらに、別の単語を表している同様な音素の組（例えば、単語「ｉｔ’ｓ」）を、前記キーとの第２の種類の相互作用（例えば、二度押し）に対し割り当てることができる。
【０３２９】
前述したように、記号（例えば、話声／音素の組／文字の組など）を、話す／話さないと併用した、１つのキーの例えば二度押しなどのモード／動作に対して割り当てることができる。本発明の一実施例によれば、あいまいな単語／単語の一部を、モード／動作に対して割り当てることができる。例えば、単語「ｔｏｍ」と「ｔｏｎｅ」（同一のキー３３０１に割り当てられている）は、それらが使用者により発音される際、紛らわしさを引き起こすことがある。それらを一義化するための１つの解決策は、それらのそれぞれを、前記キーとの異なるモード／動作に対して割り当てることであろう。例えば、例示の文字の組「ｔｏｍ」を入力するには、使用者はキー３３０１を一度押し（例えば、一回押す）して、「ｔｏｍ」と言う（例えば、音素の組「ｔｏｍ」は前記キーとの前記モードの相互作用に対して割り当てられている）。さらに、例示の文字の組「ｔｏｎｅ」を入力するには、使用者はキー３３０１を二度押して、「ｔｏｎ」と言う（例えば、音素の組「ｔｏｎ」は前記モードの前記キーとの相互作用に対して割り当てられている）。
【０３３０】
さらに例えば、母音で終わる第１の音素の組（例えば、単語の話声の少なくとも一部に対応する）は、その先頭に前記第１の音素の組を備えていて別の音素も含む第２の音素の組とまぎらわしくなり得る。前記第１の音素の組と前記第２の音素の組を、２つの異なるモードでのキーとの相互作用に対して割り当てることができる。このことは、騒がしい環境での音声／話声認識精度を顕著に増加させる。例えば、「ｍｏ」という文字の組に対応する音素の組は、「ｍａｌｌ」という文字の組に対応する音素の組との間で、それらが使用者により発音されたとき紛らわしさを引き起こすことがある。より明確にするために、それらそれぞれを異なるモードに対して割り当てることができる。例えば、文字の連鎖「ｍｏ」）の音素の組を、対応するキーの一度押しに割り当てることができ、文字の連鎖「ｍａｌｌ」の音素の組を、前記対応するキーの二度押しに割り当てることができる。
【０３３１】
本発明の別の実施例によれば、紛らわしさを引き起こす記号（例えば、音素の組）を、異なるキーを押すことなどの異なる対応するモード／動作に対して割り当てることができる。それは明らかに便利ではないものの、上述の例では、第１の音素の組（例えば、「ｍｏ」は例えばキー３３０８などの第１のキーに割り当てられ、第２の音素の組（例えば、「ｍａｌｌ」）は、別のキーに割り当てられてよい。
【０３３２】
さらに、本発明の一実施例によれば、前記第１の音素の組の先頭の音素を表している少なくとも１つの文字により表される第１の音素の組を、第１の動作／モードに対して割り当て（例えば、対応するキーで）、前記第２の音素の組の先頭の音素を表している少なくとも１つの文字により表される第２の音素の組を、第２の動作／モードに対して割り当てる（例えば、対応するキーで）、等にしてもよい。例えば、代表文字「ｓ」で始まる音素の組を、キー３３０１の一度押しに割り当て、「ｓｈ」などの代表文字で始まる音素の組を、同じキー３３０１又は別のキーの二度押しに割り当てることができる。
【０３３３】
本発明の一実施例によれば、単一文字（例えば、「ａ」から「ｚ」まで）を、第１のモード／動作（例えば対応するキーとの）に割り当てることができ、単語／単語の一部を、第２のモード／動作に割り当てることができる。例えば、単一文字を、対応するキーの一度押し（例えば、使用者による前記文字の話声と組み合わせて）に割り当てることができ、単語／単語の一部を、対応するキーの二度押し（例えば、使用者による前記単語／単語の一部の話声と併用して）に割り当てることができる。この例によれば、使用者は文字ごとのデータ入力と単語／単語の一部のデータ入力を併用することができる。この目的のため、一方では前記使用者は、前記文字を話しながら入力対象文字に対応するキーを一度押すことにより文字ごとのデータ入力をなし、他方では、前記単語／単語の一部を話しながら入力対象の単語／単語の一部に対応するキーを二度押すことにより単語／単語の一部のデータ入力をなすことができる。
【０３３４】
本発明の一実施例によれば、釦押しなどの手段を、上述の目的のために配設してもよい。例えば、モード釦を押すことによってシステムは文字ごとのデータ入力システムに入ることができ、同一の釦を再度押すことによって、又は、別の釦を押すことによって、システムは単語／単語の一部のデータ入力システムに入ることができる。この実施例において、対応するモードでは、使用者例えば、文字又は単語／単語の一部を、対応するキーを一度押して、対応するキャラクター（例えば、字）又は単語／単語の一部を話すことにより入力することができる。
【０３３５】
さらに、類似した発音を有した単語／単語の一部（明らかに、それらの対応する音素の組をも）、例えば、一般的な優先度又は現在の語句の文脈による優先度に従って、異なるモードに対して割り当てることができる。この場合、例えば、第１の単語／単語の一部を、対応するキーの一度押しなどのモードに対して割り当て、第２の単語／単語の一部を、二度押しなどのモードに対して割り当てる、等ができる。例えば単語「ｂｙ」と「ｂｕｙ」は類似した発音を有している。使用者は、「ｂｙ」という単語を、文字「ｂ」に割り当てられたキーを一度押して「ｂｉ」と言うことにより入力することができる。前記使用者は「ｂｕｙ」という単語" （例えば、一般には優先度が低い）を、文字「ｂ」に対応するキーを二度押して「ｂｉ」と言うことにより入力することができる。さらに例えば、「ｂｉ」という音節／文字の組（こちらも「ｂｉ」と発音される）を、キーの３度打ちなどの第３のモード、その他に割り当てることができる。少なくとも前記単語／単語の一部の１つを、別のキーとの相互作用のモード（そして明らかに前記単語／単語の一部の話声と組み合わせて）に割り当てることができることが理解されよう。
【０３３６】
前述したように、ある単語の少なくとも一部の話声に関連している、選択された文字の組の別々の集成は、辞書データベース内の複数の単語に対応することがある。さらに前述したように、それらの一致した単語の中から意図する単語を選択するために、「選択キー」などの選択手段が用いられてよい。より高い優先度（複数の選択された単語がある場合に）は、単語に対し、それが属している語句の文脈に従って割り当てることができる。また、より高い優先度（複数の選択された単語がある場合に）は、単語に対し、単語の一部／単語の前及び／又は後のうち少なくとも一方の文脈に従って割り当てることができる。
【０３３７】
本発明の一実施例によれば、前記単語／単語の一部のそれぞれを、本発明のデータ入力システムの異なるモード（例えば、相互作用）に対して割り当てることができる。例えば、使用者が字「ｂ」に対応するキーを押して「ｂｅ」と言えば、「ｂｅ」と「ｂｅｅ」という２つの単語がシステムにより選び出される。例えば「選択」キーの使用を避けるために、この実施例によれば、例えば、第１の単語「ｂｅ」を、一度押しモードなどのモードに対して割り当てることができ、第２の単語「ｂｅｅ」を、二度押しモードなどの別のモードに対して割り当てることができる。この実施例によれば、上の例において、使用者は文字「ｂ」に対応するキーを一度押して「ｂｅ」と言うことにより単語「ｂｅ」を出すことができる。使用者はさらに、同一キーを二度押して「ｂｅ」と言うことにより単語「ｂｅｅ」を出すことができる。
【０３３８】
本発明の一実施例によれば、スペース空けの事項のいくつかも、一度押しモードや二度押しモードといった（例えば、キーとの相互作用の）モードに対して割り当てられることができる。例えば、自動スペース空け手順では、（例えば単語／単語の一部を）付ける／外す機能を、一度押し又は二度押しモードに対して割り当てることができる。この実施例によれば、 例えば、二度押しモードに対して割り当てられた入力対象単語／単語の一部は、前記既に入力された単語／一部の前及び／又は後に付けられてもよい。例えば、使用者が単語「ｆｏｒ」などの単語を、一度押しにより（例えば、その単語を話しながら）入力すると、スペース文字が前記単語の前（又は後に、あるいは、前と後の両方に）に自動的に設けられる。同じ単語が二度押しにより（例えば、その単語を話しながら）入力されると、前記単語は前の単語／単語の一部、又はその後に入力される単語／単語の一部に付けられる。
【０３３９】
上の例では、さらに例えば、単語／単語の一部の入力後の二度押しも、同じ結果を生むことができる。
【０３４０】
本発明の一実施例によれば、対応する音素の組に割り当てられた単語／単語の一部のうちいくつかは、自動スペース空けの目的で、その末尾に少なくとも１つのスペース文字を含むことがある。この場合、前記スペースが必要でない場合、それはシステムにより自動的に削除される。単語の末尾に入力される句読点などの文字は、前記スペースの前に（例えば、システムにより）配置される。例えば、
「ｗｏｒｄ」の後に「，」が続くと「ｗｏｒｄ，」となる。
【０３４１】
本発明の別の実施例によれば、対応する音素の組に割り当てられた単語／単語の一部のうちいくつかは、自動スペース空けの目的で、その先頭に少なくとも１つのスペース文字を含むことがある。この場合、前記スペースが必要でない（例えば、行の最初の単語には）場合、それはシステムにより自動的に削除される。そのスペース文字は該単語の先頭に位置しているため、単一文字又は句読点などの文字は、通常通り、単語の最後に入力される（それに付けられる）。
【０３４２】
本発明の一実施例によれば、自動スペース空け手順を含んだデータ入力中に、現在の部分／単語を前の／次の部分／単語に付ける、事前定義されたキー押しなどの動作を配設してもよい。例えば、スペースが２つの（例えば、現在及び次の）単語／一部の間に自動的に入れられた場合、キー押しなどの事前定義された動作が前記スペースを除去し、前記２つの単語／部分を付ける。
例
「ｆｏｒ」＋「ｇｉｖｅ」＋事前定義されたキー押し は、「ｆｏｒｇｉｖｅ」となる
本発明の別の実施例によれば、母音で終わる単語／音節／単語の一部で、前記母音の発音が長めに続くと、本発明の話声認識によるより良い一義化手順をもたらすことができる。例えば、より長大な時間をかけて発音すると、「ｖｏ」と言うときの母音「ｏ」は、入力されようとしている単語／単語の一部は、「ｖｏ」であって、例えば「ｖｏｌ」という単語／単語の一部ではないことをシステムに対して知らせる。
【０３４３】
本発明の一実施例によれば、事前定義されたキー押しなどの事前定義された手段を使うことにより、入力されるデータは大文字になる。例えば、「Ｃａｐｓ Ｌｏｃｋ」キーを押すことにより、それ以降に入力される文字／単語／単語の一部は、大文字で入力／出力される。前記「Ｃａｐｓ Ｌｏｃｋ」キーをもう一度押す動作で、システムを小文字モードに戻すように切り替える。前記機能（例えば「Ｃａｐｓ Ｌｏｃｋ」）を、話声モードに割り当ててもよいことが理解されよう。例えば、大文字化手順を開始させるために、使用者は「Ｃａｐｓ Ｌｏｃｋ」記号に対応するキーを押して、前記記号に割り当てられた対応する話声を発音する（「ｃａｐｓ」、「ｌｏｃｋ」又は「ｃａｐｓ ｌｏｃｋ」などと）。
【０３４４】
本発明の一実施例によれば、小文字の文字／単語／後の一部を、対応するキーの一度押しなどの第１のモード （例えば、前記文字／単語／単語の一部の話声あり／話声なしと併用して）に割り当ててよく、大文字の文字／単語／単語の一部を、対応するキーの二度押しなどの第２のモード （例えば、前記文字／単語／単語の一部の話声あり／話声なしと併用して）に割り当ててよい。例えば、「ｔｈｏｕｇｈｔ」という単語（例えば、文字の組）を出すには、使用者はキー３３０１を一度押して「ｔｈｏｕｇｈｔ」と言えばよい。「ＴＨＯＵＧＨＴ」という単語（例えば、文字の組）を作成するには、前記使用者はキー３３０１を二度押して「ｔｈｏｕｇｈｔ」と言えばよい。このことが、入力を局所的に大文字化することを可能にする。
【０３４５】
さらに、同様の原則に基づき、最初の文字が大文字で残りの部分は小文字である単語／単語の一部を、一度押しモード、二度押しモードなどのモードに対して割り当てることができる。
【０３４６】
本発明の一実施例によれば、文字ごとのデータ入力に関する以前の出願に記載したように、文字／単語／単語の一部を、二つのキーを同時に押すなどの複数の単一動作に対して割り当てることができる。例えば、「ｔｈ」で始まる単語／単語の一部を、「ｔ」と「ｈ」に対してそれぞれ割り当てられている２つの異なるキーを同時に押し、（最終的に）前記単語／単語の一部を話すことに対して割り当てることができる。同じ原則を、「ｃｈ」、「ｓｈ」又は、アルファベット（例えば、「ａ」、「ｂ」）の中の任意の他の文字で始まる単語／単語の一部に対して割り当てることができる。
【０３４７】
本発明の一実施例によれば、１つの文字で表される音素で始まる単語／単語の一部を、対応するキーの一度押しなどの第１のモードに対して割り当てることができ、複数の文字で表される音素で始まる単語／単語の一部を、対応するキー（それは異なるキーであってよい）の二度押しなどの第２のモードに対して割り当てることができる。例えば、「ｔ」で始まる単語／単語の一部を、（例えば、前記単語の話声と併用して）対応するキーの一度押しに対して割り当てることができ、「ｔｈ」で始まる単語／単語の一部を、（例えば、前記単語の話声と併用して）前記対応するキーの二度押し、又は、別のキーに対して割り当てることができる。
【０３４８】
前述したように、本発明の異なる実施例によって、異なるカテゴリーにおいては、異なる１つ又は複数の言語内の単語辞書、音節／単語の一部（文字の組）の辞書、（例えば、音節／単語の一部の）話声モデルの辞書といった異なる辞書が使われてよい。必要ならば、各分野又は全分野からの２つ以上の辞書を統合してもよい。例えば、単語辞書と、単語の一部の辞書とを統合してもよい。
【０３４９】
前述のように、本発明のデータ入力システムは任意のキーボードを使用でき、さらに、マルチタップ・システム、単語予測システム、仮想キーボードといった多くのデータ入力システムで機能する。例えば、一方では使用者は前記別のシステムを用いて、対応するキーボードのキーを押して文書（例えば、文字、単語）を、（例えば、前記システムでは通例であるように）話さずに入力でき、他方では、前記使用者は文書（例えば、文字、単語／単語の一部）などのデータを、対応するキーを押して前記データ（例えば、文字、単語／単語の一部、また、そのように指定される場合、句読点などの別の文字）を話すことにより入力できる。
【０３５０】
前述したように、本発明のデータ入力システムは、文字、単語／単語の一部、語句などの話される記号を認識する任意の発声／話声認識システム及び方法を用いてよい。本システムは、異なるモードのキー押し、指認識、指紋認識、指動作認識（例えばカメラを用いて）などの使用者の行動認識システムと併用した、読唇、目の読み取りなどの別の認識システムを用いてもよい。これらの認識システムと使用者の行動については本発明者により提出された以前の特許出願に説明されている。前記以前の出願（例えば、記号ごとのデータ入力に関する）の全ての特徴は、本発明のマクロ（例えば、単語／単語の一部ごと）データ入力システムにも適用できる。
【０３５１】
本発明の別の実施例によれば、（文字ごとの入力レベルに関する以前の出願に記載したように）、本システムは、文書を入力するために、使用者が対応するキーを押さずに単語／単語の一部を話せるような設計になっていてもよい。他方では、前記使用者は、話声（例えば、文字、単語の一部、単語、語句など）の終了／開始、句読点、機能その他をシステムに対して知らせるためにキーを押してもよい。
【０３５２】
本発明のデータ入力システムは、一単語を超える配列などのマクロの入力、又は、語句入力システムの入力にまで適用できる。例えば、使用者は２つの単語を（例えば、同時に）に話して、前記２つの単語のうちの最初の単語の最初の字に対応するキーを押してもよい。
【０３５３】
本出願及び以前の出願の多くの段落において、データ入力の目的のため、使用者の音声／話声と併用したキー押しが例として挙げられてきたが、本発明のデータ入力システムは別のデータ入力手段 （例えば、文字、単語／単語の一部などを割り当てることができる、使用者の指などの物体）に適用されてもよく、使用者の別の挙動及び対応する認識システムを用いてもよい。例えば（本発明者により提出された以前の特許出願に既に記載されているように）、キーボードのキーへの押し動作を分析する代わりに（又はそれと併用して）、 システムは（例えばカメラを使って）、空間における使用者の指の動きを認識してもよい。例えば、使用者は、自分の右手の親指（そこに例えば、文字「ｍ、ｎ、ｏ」が割り当てられている）でテーブルをかるく打って、「ｍｉｌｋ」と言うことができる（例えば、「ｍｉｌｋ」という単語は事前定義で右手の親指に割り当てられている）。この例においては, 前記使用者の話声と併用した前記使用者の指の動きが、「ｍｉｌｋ」という単語を入力するために用いられる。
【０３５４】
同じ原則に従った別の例では、前記別のデータ入力手段は使用者の、文字などの手書きの記号（例えば、落書き）であってよく、前記挙動は使用者の話声であってよい。例えば、手書き文字認識システムを用いたペンに基づく装置（ＰＤＡ，ペン入力など）を使用することによって、使用者は文字などの記号を書き、前記文字を話して、認識システムの精度を増すことができる。別の例では、前記使用者は、単語／単語の一部の話声の少なくとも最初の音素に対応する少なくとも１つの文字を書いて、前記単語／単語の一部を話す。前記使用者が前記文字を書くと、装置の手書き文字認識システムは前記文字を認識し、前記少なくとも１つの文字（又は記号）に割り当てられた単語／単語の一部及び／又は音素の組にそれを関連付ける。システムが使用者の声を聞くと、システムはそれを、前記音素の組の少なくとも１つに一致させようとする。前記音素の組の中に、前記話声に一致する１つの音素の組があれば、システムは、前記音素の組に対応している文字の組を選択する。それ以降の手順（例えば、最終単語を見つける手順）は、本出願中の異なる実施例及び本発明者により以前に提出された諸出願に記載されたものと同様である。
【０３５５】
一実施例によれば、本出願及び本発明者により提出された以前の諸出願に記載された本発明のデータ入力システムは以下のように要約される。
【０３５６】
少なくとも１つの言語の、少なくとも英数文字、及び／又は単語、及び／又は単語の一部、句読点, 機能などを表している事前定義された個数の記号を、一般にキーなどの事前定義された個数の物体に割り当てることができ、前記記号は文書などのデータの入力システムに用いられ、データ入力システムにおいて記号は、前記記号に対応している少なくとも１つの追加情報の存在下で、対応する物体との事前定義された相互作用を提供することにより入力されてよく、前記追加情報は、一般に前記物体との相互作用なしで提供され、前記追加情報は、通常は前記記号に対応する話声の存在であるか、又は最終的には前記話声が存在しないことであり、前記物体は、使用者の指、使用者の目、キーボードのキーなどの物体であってもよく、前記使用者の挙動は、使用者の話声、使用者の指の動きの方向（不動も含む）、使用者の指紋、使用者の唇又は目の動きなどであってよい。
【０３５７】
少しの文字を入力するために多数回のキー押しが用いられる他の諸データ入力システムとは対照的に、本発明のデータ入力システムは、多くの文字の入力を提供するために少数回のキー押しを用いる。
【０３５８】
（キーパッドへの記号の配置方法）
記号の配置の異なる方法は、本発明者により提出された以前の諸特許で提案されている。図４３は、キーパッドのキー４３００への記号の割り当て方法を示す。
【０３５９】
従前のように、文字ａ〜ｚ及び数字０〜９は電話型キーパッド上の標準位置に配置されており、対応するキーを、それらを話しながら押すことによって入力される。
【０３６０】
こちらも従前のように、多くの句読点文字及び機能が前記キーパッドのキーに割り当てられており、対応するキーをそれらを話さずに押す（又は二度押す）ことにより入力される。
【０３６１】
この配置では、使用者により必然的に話される、「＋」記号４３０１などの句読点のうちいくつかが、いくつかのキーに割り当てられており、該対応するキーを押してそれを話すことにより入力されることができる。
【０３６２】
またこの配列では、文脈によって意味が異なることがあり、文脈によって発音されるか、又はデータの文脈によっては発音されない「−」記号４３０２などの記号のうちいくつかは、２つの位置で１つのキーに配置される。それらは、入力時に話すことが必要な記号と一旦グループ化され、さらに、入力時に話されない記号ともグループ化される。話声が必要な記号に対しては、１つまたは複数の話声を、データの文脈に従って割り当てることができる。例えば、キー４３０３に割り当てられた「−」記号４３０２は異なる諸方法で入力されることができる。
−使用者はキー４３０３を押して「ｍｉｎｕｓ」と言えばよい
−使用者はキー４３０３を押して「ｄａｓｈ」と言えばよい
−使用者は話さずにキー４３０３を押せばよい
【０３６３】
（キーパッドのキー上の紛らわしい記号の交換）
前述したように、キーパッド／キーボードの同じキーに割り当てられた文字などの或る種の記号は実質的に同じ発音であることがある。このことは、本発明の発声／話声認識システムに紛らわしさをもたらすことがある。図４３ａは、標準的な電話型キーパッド４３００を示す。キー４３０１に割り当てられた２つの文字「ｄ」と「ｅ」は、前記キーが押されて前記文字のうち１つが発音されたときに、本発明の発声／話声認識システムに紛らわしさをもたらすことがある。隣のキー４３０２に割り当てられた２つの文字「ｍ」と「ｎ」も、どちらかが発音されたときに、双方の間で紛らわしさをもたらすことがある。他方では、文字「ｅ」又は「ｄ」は、文字「ｍ」又は「ｎ」とは容易に区別されることができる。各対の文字のうち１つの割り当てを、別の対の対応するキーと交換することにより、前記４つの文字の認識上の課題（例えば本発明の釦押し話声データ入力システムを用いた）を解決することができる。このことは、キーパッドのアルファベット順の配置を微修正することになるが、データ入力精度を劇的に増す。図４３ｂは、前記修正後のキーパッド４３１０を示す。
【０３６４】
（自動スペース空け方法）
前述したように、単語／単語の一部を付ける／外す自動スペース空け手順を、一度押しモード又は二度押しモードなどのモードに対して割り当てることができる。既に述べたように、使用者は、少なくとも単語の一部などの記号の入力を（例えばその終わりにスペース文字を設けずに）、前記記号（本発明の文字ごとのデータ入力システムにおいては、前記先頭文字は一般に前記記号である）の先頭文字／音素に対応しているキー（例えば前記記号が割り当てられている）を押しながら前記記号を話すことにより行う。前記手順によれば、さらに例えば、使用者は少なくとも単語の一部（例えば、その末尾のスペース文字を含む）などの記号を、前記記号の先頭文字／音素に対応している前記キーを二度押しながら前記記号を話すことによって入力する。単語を入力するのに多回数のキー押しを必要とするデータ入力システムにおいては、自動スペース空けは特に有利であろう。
【０３６５】
上述の原則に従って、例えば、本発明の文字ごとのデータ入力システムでは、ある文字は、前記文字を話して／話さずに、例えば、 対応するキーを一度押ししながら入力されて先行文字に付けられてよい。二度押し動作を含む同じ動作により、前記文字を入力し、それを前記先行文字に付けてもよいが、スペース文字を現在の文字の後に付けてもよい。入力される次の文字は前記スペース文字の後に配置される（例えば、前記スペース文字に付けられる）。例えば、「ｓｅｅ ｙｏｕ」という単語を入力するには、使用者は先ず「ｓ」と「ｅ」を、それらに対応するキーを一度押してそれらを言いながら入力する。次いで使用者は対応するキーを二度押ししながら「ｅ」と言う。使用者は次いで対応するキーを一度押ししながら「ｙ」及び「ｏ」と言って入力する。次いで使用者は、対応するキーを二度押ししながら「u」と言う。
【０３６６】
本発明の別の実施例によれば、前記現在の文字の後に前記スペース文字を配する代わりに、システムは前記現在の文字の前に前記スペース文字を配してもよい。
【０３６７】
スペース文字の代わりに、前記文字の後又は前に、任意の別の記号（又は記号群）が考慮されてよいことが理解されよう。もちろん、文字というものは単語の一部であることを考慮して、前述したように、同じ手順を、本発明の単語の一部／単語レベルのデータ入力システムに適用してもよい。さらに例えば、使用者は「ｐｒｅｐａｒｅ ｉｔ」という単語を、まず部分「ｐｒｅ」を例えば文字「ｐ」に対応するキーを一度押ししながらそれを言うことによって入力してよい。次いで使用者は、文字「ｐ」に対応するキーを二度押しながら「ｐａｒｅ」と言うことによって、「ｐａｒｅ」（例えば、その末尾のスペースを含めて）入力してよい。使用者は次いで、文字「ｉ」に対応するキーを二度押ししながらそれを言うことによって、単語「ｉｔ」（さらに、その末尾のスペースを含めて）入力してよい。
【０３６８】
（キーの数を減らしたキーパッド上のＱＷＥＲＴＹ配列）
本発明の一実施例によれば、キーパッド上の文字の配置及び／又は割り当ては、ＱＷＥＲＴＹキーボード上の文字配置によるものである。このことは、データ入力に電話型キーパッドを用いない多くの人々を、彼らが標準的な電話型キーパッド上のアルファベット順文字配置に不慣れであるという単純な理由により引き付けるであろう。本発明の一実施例によれば、本発明のデータ入力システムと併用してそのようなキーパッドを用いると、本発明の発声／話声認識システムによる認識精度をさらに高めることができる。
【０３６９】
図４４ａは一例として、アルファベット文字がＱＷＥＲＴＹキーボード上の前記文字の配置に従ってそのキーに配置／割り当てられている、電話型キーパッド ４４００を示す。 そこに示すように、ＱＷＥＲＴＹキーボードの文字キーの上段にある文字は、前記キーパッド４４００の下段４４０４のキー４４０１〜４４０３に、前記ＱＷＥＲＴＹキーボード上の前記文字と同じ順（互いに対して）で分配されている。ＱＷＥＲＴＹキーボードの中段の文字列に位置している文字は、前記キーパッド４４００の第２の列４４０５のキー上に、前記文字がＱＷＥＲＴＹキーボード上に配置されているのと同じ順（互いに対して）で分配されている。最後に、ＱＷＥＲＴＹキーボードの下段の文字列上の文字は、前記キーパッド４４００の第３の列４４０６のキー上に、それらがＱＷＥＲＴＹキーボード上に配置されているのと同じ順（互いに対して）で分配されている。
【０３７０】
この実施例を引き続き参照すると、前記アルファベット文字は前記キーパッド上のキー上に、紛らわしい文字を異なるキーに配置するような形式で配されていてもよい。図４４bは一例として、微修正を加えたＱＷＥＲＴＹ配列のキーパッド４４０７を示す。前記キーパッドでは、文字「Ｍ」４４０８及び「Ｚ」４４０９のキー割り当ては、文字「Ｍ」と「Ｎ」の間の紛らわしさをなくするような方式で交換されている。この例においては、ＱＷＥＲＴＹ配列は微修正されているが、前記キーパッドを本発明のデータ入力システムと併用することにより、認識精度が高められるであろう。別の文字配列及び修正を考慮してもよいことが理解されよう。
【０３７１】
示したとおり、本発明のＱＷＥＲＴＹキーパッドは、句読点、文字、数字、機能といった別の記号を備えていてよい。それらは、本出願及び本発明者により提出された以前の諸出願に記載されている本発明のデータ入力システムにより入力されてよい。
【０３７２】
ＱＷＥＲＴＹ（又は任意の別の）配列のアルファベット文字を、キーの数を減らした任意のキーボードのキーに対して割り当てることができることに留意するべきである。前記キーボードは、本発明のデータ入力システムと組み合わせて併用することができる。精度向上のため、標準的配列を修正してもよいことが理解されよう。
【０３７３】
（６つのキーへのＱＷＥＲＴＹ配列）
本発明の一実施例によれば、本発明のデータ入力システムは、ＱＷＥＲＴＹ配列を有したアルファベット文字がその６つのキーに対して割り当てられたキーボード／キーパッドを使用してもよい。 明らかに、単語／単語の一部も、本発明のデータ入力システムの原則に従って前記キーに対し割り当てられてよい。
【０３７４】
周知のように、アルファベット文字は、ＱＷＥＲＴＹと呼ばれる配置順に従ってＰＣのキーボードの３列になったキーの中のキーに配置される。図４５は、文字ＡからＺが、前記キーボードの３列になったキー４５０７，４５０８，４５０９に配置されているＱＷＥＲＴＹキーボード４５００を示す。通常、使用者は前記キーボードを（タッチ）タイプするためには両手の指を使う。左手の指を使って、使用者は例えば、前記キーボード４５００の左側４５０１に示すアルファベット・キーをタイプし、右手の指を使って、使用者は例えば、前記キーボード４５００の右側４５０２に位置するアルファベット・キーをタイプする。これらの原則に従って、ＱＷＥＲＴＹキーボードのアルファベット・キーは、３つの行４５０７，４５０８，４５０９掛ける２つの列４５０１〜４５０２の表に従って配置されていると考えることができる。
【０３７５】
本発明の一実施例によれば、数を減らした６つ組のキー（例えば３ｘ２）のキーボードは、ＰＣのキーボードの前記ＱＷＥＲＴＹ配列を自らの上に複製するために用いられ、本発明のデータ入力システムと併用することができる。図４５ａは一例として、自らの上に前記ＱＷＥＲＴＹ配列を複製するために好ましくは３つの行４５１７〜４５１９と２つの列４５１１〜４５１２に配置されている６つのキーを示す。一例として、左上のキー４５１３は、図４５のＱＷＥＲＴＹキーボード４５００の上列４５０７の左側４５０１にあるキーに配置された文字に対応している文字「ＱＷＥＲＴ」を含む。前記６つ組のキーの別のキーは同じ原則に則しており、前記ＰＣのキーボードの、対応する行及び側のキー上に配置される。
【０３７６】
ＱＷＥＲＴＹキーボードの使用者は、各文字の位置を通常正確に知っている。運動反射が、使用者にＱＷＥＲＴＹキーボードで速くタイプすることを可能にする。ここと上記で述べた、ＱＷＥＲＴＹ配列を６つのキーに複製することは、使用者が、キーの数を減らしたキーボードでタッチタイプ（速打ち）することを可能にする。前記使用者は例えば、データ入力のために両手の親指（左列には左手、右列には右手）を使うことができる。これは、速いデータ入力を可能にするＰＣのキーボードに入力しているかのようである。
【０３７７】
上記の例で述べたキーボード上の左側の文字及び右側の文字の定義づけは、一例として示したに過ぎないことが理解されよう。前記定義づけは使用者の習慣に従って再考されてよい。例えば、文字「Ｇ」は、左側というよりは右側に属すると考えられてもよい。
【０３７８】
本発明の一実施例によれば、アルファベット文字を含んだ少なくとも６つのキーを有し、ＱＷＥＲＴＹ配列 が（上述のように）前記キーに対して割り当てられているキーパッドが、 本発明の文字ごとの／少なくとも単語の一部ごとのデータ入力システムと併用されてもよい。既に述べた利点に加えて、前記配置は以下のような他の利点も備えている。
−同じキーに配置された文字は、本発明の発声／話声認識システムにより通常区別できる。
−データ入力の高精度、極めて数を減らした文字キー、及び、前記文字の前記キーパッド上での極めて馴染み深い配列（例えば、ＱＷＥＲＴＹ）は、使用者に対し、キーパッドや、対応する装置の表示ユニットを頻繁に見なくても速いデータ入力システムを可能にする。
【０３７９】
精度を向上させるため、この配列への修正を考慮してもよい。例えば、図４５ｂは、前述のようなＱＷＥＲＴＹ文字配列の少なくとも６つのキーを有したキーパッド４５２０を示し、そこで、文字「Ｚ」４５２１と「Ｍ」４５２２は、文字「Ｍ」４５２２を文字「Ｎ」４５２３から隔てるために交換されている。これは一例に過ぎず、別の形の修正も考えられてもよいことが理解されよう。
【０３８０】
上述した少数のキーに割り当てられたＱＷＥＲＴＹ配列は、一例として示し、述べたに過ぎないことに留意するべきである。別の配置のアルファベット文字（任意の言語の）を、任意の形状のキーボード（例えば、任意のキーパッド）上の任意のキー配列形式に配置された任意の数のキーに対して割り当て、本発明の釦押し話声データ入力システムと併用してもよい。さらに、句読点記号、数字、機能などの別の記号を、前記キー、又は、前記キーパッドの前記アルファベット・キー又は別のキーを備えたキーパッドの別のキーの間に分配し、本出願及び本発明者によって以前に提出された諸出願に記載された本発明のデータ入力システムに従って入力してもよいことが理解されよう。
【０３８１】
本発明の一実施例によれば、さらに少ない数のキーを、アルファベット文字（及び前述のような別の記号）を収容するために用い、本発明の釦押し話声データ入力システムと併用してもよい。図４５ｃは一例として、英語のアルファベット文字を割り当てた４つのキー４５３０〜４５３３を示す。この配列を馴染み深いものにしておくため、図４５ｂのキーパッド４５２０の上の二列の文字のＱＷＥＲＴＹ配列は維持され、図４５ｂの前記キーパッド４５２０の最下列の文字は、前記４つのキー４５３０〜４５３３の対応する列（例えば、左、右）のキー内に、「ほぼＱＷＥＲＴＹ」キーボードの馴染み深さを本発明の音声認識システムの高精度とともに維持するような方式で分配されている。例えば、図４５ｂのキーパッド４５２０の最下段の右のキーに配置されていた文字「ｎ」４５３７及び「ｍ」４５３８は、ここでは隔離されてそれぞれキーパッド４５３２の右のキー４５３３と４５３２に割り当てられている。句読点、数字、機能などの別の記号を、前記キー、又は、前記アルファベット・キーを備えた別のキーパッドのキーの間に分配し、本出願及び本発明者により以前に提出された諸出願に記載された本発明のデータ入力システムに従って入力してもよいことが理解されよう。
【０３８２】
認識精度に影響しない限り、さらに数少ないキーを用いて全てのアルファベット文字を収容し、本発明の釦押し話声データ入力システムと併用してもよいことも理解されよう。図４５ｄは、英語のアルファベット文字を割り当てた（例えば、キーパッドの）２つのキー４５４１〜４５４２を示す。前記キーパッドは、本発明の釦押し話声データ入力システムと併用してもよいが、同一キー上の文字でほぼ同じ発音の場合は紛らわしが出てくることがある。
【０３８３】
理論的には、全てのアルファベット文字を１つのキーに対して割り当てることができるが、それは認識制度を極度に落とす可能性がある。
【０３８４】
キーを押して、前記キーに割り当てられた所望の記号を話すことは、前記記号の入力には十分ではあるが、或る種の記号を話したくないといった或る種の理由で、本出願及び、本発明のデータ入力システムに関連した以前の諸出願に記載された例のようないくつかの方法を配設してもよい。上述のように、記号は、前記記号を話さずにキーを押すことにより入力されてよい。例えば、図４５ｃを参照すると、使用者は話声なしでキー４５３０を押して、スペース文字を出すことができる。別の方法によれば、記号は、第１のキーを押し、前記キーを押したまま保ち、同時に第２のキーを押すことにより入力されてよい。別の方法によれば、スペース文字などの特殊文字を、前記記号に対応するキーを放す前に事前定義されたキー（例えば、前記特殊文字に対応する）を押すことにより、文字などの記号の後に配設してもよい。
【０３８５】
データ入力用に少ないキーを有している場合、迅速なデータ入力を期すため、スペース文字などの、使用頻度が高い話されない記号の入力を、話声なしでの事前定義されたキーの二度押しに対して割り当てることができる。前記モードでは字などの別の話される文字が割り当てられている釦の一度押しといったモードが、スペース文字に対して割り当てられている場合、話される文字を入力した後で、（発声／話声認識システムを混乱させないために）、使用者は前記スペース文字を入力するためにそのキーを（話さずに）押す前に短時間中断しなければならないので、このことは効果的である。話されない記号が二度押し動作に対して割り当てられている、キーの二度押しモードに対してスペース文字を割り当てることは、その課題を解決する。中断して前記キーを一度押す代わりに、使用者は前記中断なしで単に前記キーを二度押す。前述のように、 別の解決策は、話される記号と話されない記号を別々のキーに割り当てることであるが、それはより多くのキーを必要とするであろう。
【０３８６】
さらに、上述したような、一群のキーへの文字のＱＷＥＲＴＹ配列は、一例として挙げたということが理解されよう。アルファベット順、別の個数のキー、又は任意のキー配列といった別の記号の配置を考案してもよい。例えば、本発明の一実施例によれば、キーパッドは使用頻度が最も高い文字を割り当てるための２つのキーを含み、使用頻度がそれほど高くない文字が割り当てられる別の２つのキーを有していてもよい。
【０３８７】
今日、データ入力が可能なほとんどの電子装置は電話型キーパッドを装備している。前述のようなアルファベット文字の配置及び割り当てが、電話型キーパッドのキーに適用されてよい。
【０３８８】
図４６ａは一例として、ＱＷＥＲＴＹ配列を有したアルファベット文字が前記キーパッドの隣り合った列４６０１，４６０２の６つのキーに対して割り当てられている（例えば、前述のように）、電話型キーパッド４６００を示す。隣り合った列上にあることにより、片手の（親指）による文字の入力はより容易になる。さらに、前述したように、使用者は速くデータ入力するためには両手の親指（左の列には左の親指、右の列には右の親指）を使うことができる。句読点、数字、機能などの別の記号を、前記キーパッドのキーの間に分配し、本出願及び本発明者により以前に提出された諸出願に記載された本発明のデータ入力システムに従って入力してもよいことが理解されよう。
【０３８９】
図４６ｂは、ＱＷＥＲＴＹ配列を有したアルファベット文字が前記キーパッドの外側の２列４６１１，４６１２の６つのキーに対して割り当てられている（例えば、前述のように）、電話型キーパッド４６１０を示す。２つの外側の列にあることにより、両手（の親指）による文字入力はより容易になる。さらに、前述したように、使用者は片手を使ってデータ入力してもよい。この例では、本発明の発声／話声認識システムの精度を向上させるために、微修正を施している。例えば、文字「ｍ」及び「ｋ」は、文字「ｍ」と「ｎ」間の紛らわしさをなくするために対応するキー４６１３，４６１４で交換されている。さらに、文字「ｆ」及び「ｚ」は、文字「ｆ」と「ｓ」間の紛らわしさをなくするために対応するキーで交換されている。配置への別の変更を考えてもよいことが理解されよう。データ入力を速めるため、スペース文字などの或る種の文字をいくつかのキー４６１３，４６１６に割り当てることができる。
【０３９０】
図４６ｃは、前述して図４５ｃに示した原則に基づいたアルファベット文字配列が、前記キーパッドの４つのキーに割り当てられている別の電話型キーパッド４６２０を示す。
【０３９１】
キーパッドのようなキーボードの少数（例えば、６、４、２など）のキーへの文字のＱＷＥＲＴＹ配列は、例として述べられたことが理解されよう。アルファベット順といった別種の文字配列も考慮され、２／３／４／５／６等といった少数のキーに割り当てられてよい。
【０３９２】
明らかに、本発明の文字ごとのデータ入力及び／又は、単語／単語の一部ごとのデータ入力システムといった本発明の全てのデータ入力システム （及びそれらの対応するアプリケーション）は、述べたばかりの上記に挙げたキーパッド（例えば、４つから６つのキーといった、少数のキーを持つ）を用いてよい。
【０３９３】
（パーソナル・モバイル・コンピュータ／通信装置）
モバイル装置は、携帯性の容易さを提供するためには小型でなければならない。データ（例えばテキスト）入力及び／又はデータ通信を必要とする理想的なモバイル装置は、小型のデータ入力装置（例えば、最大限でも少数のキーのみ）及び、大型（例えばワイド）ディスプレイを有している。
【０３９４】
少数のキーへのアルファベット文字（及びその他の記号）の配列と、本発明のデータ入力システムにより前記少数のキーを介して提供される迅速かつ正確・完全なデータ入力の能力は、現行製品のうちいくつかを、より効率よい製品とするため設計再考する可能性を与えることになる。
【０３９５】
そのような製品のひとつは、文書通信やインターネットなどのタスクに現在用いられており、モバイル・コンピュータ装置になると予測されている携帯電話である。実際の携帯電話は上述の原則に反した設計となっている。その理由は、携帯電話の（複雑な）データ入力システムが、多くのキーの使用を要し、電話の表面の大部分を使い、遅いデータ入力を提供し、小型（例えば、狭小な）ディスプレイ装置のための小さな面積を残しているからである。
【０３９６】
コンピュータの最も一般的なアプリケーションのひとつはワード・プロセッサ操作である。インターネットの使用とともに、手紙を書くこともモバイル・コンピュータ／通信装置の最も一般的なアプリケーションとなるであろう。前記アプリケーションは、文書の下書き、書式設定及び好ましくは幅いっぱいでの一覧が可能になるように、広幅のディスプレイが必要である。例えば手紙を編集しているとき、使用者は前記文書を左から右にスクロールさせる必要なく、その幅いっぱいに見ることができなければならない。
【０３９７】
本発明の一実施例によれば、大型ディスプレイと、迅速なデータ入力能力を有した小型のデータ入力装置とを備えたモバイル・コンピューティング／通信装置のような電子装置を提供することができる。図４７ａは、２列のキー４７０１及び４７０２を有し、アルファベット文字（例えば、好適には前述したようにＱＷＥＲＴＹ配列を有した）がそれらのキーに割り当てられているモバイル・コンピューティング／通信装置４７００を示している。数字、句読点、機能、等のその他の記号も、前述のように前記キー（または他のキー）に割り当てられてもよい。前記通信装置の前記キーは、本発明の釦押し発声データ入力システムと併用されて、完全で迅速なデータ入力を提供することができる。データ入力のために少数のキーを使うことは（例えば２列のみ）前記装置内に大型ディスプレイ４７０３を一体化することを可能にする。前記モバイル装置の幅 （及び明らかには、前記表示ユニットの幅）は、一覧するためのほぼ実物大（例えば幅）の文書を提供するために、おおよそＡ４用紙の幅であってよい。前記モバイル・コンピューティング／通信装置は、文書を上方向／下方向や左／右にスクロールさせたり、カーソル４７０６を前記ディスプレイ４７０３内で行き来させたり、送信／終了機能等のための、釦４７０４，４７０５のような他の釦を有していてもよい。さらに、前記装置は、例えばその背面や任意の他の面などの内部にマウス（例えば指示装置）を備えていてもよい。本発明者により提出された幾つかの特許出願（「ペン入力コンピュータ」（stylus Computer）や、「データ入力を促進する機能」には、ディスプレイのマウス／閲覧の課題及び他のデータ入力促進手段が記載されている。前記出願の前記課題／機能は、それらの間で組み合わせてもよく、及び／又は本発明のデータ入力システム及びデータ通信装置と組み合わせてもよい。
【０３９８】
図４７ａの引き続いた記載として、前記通信装置４７００の左側及び右側にある２列になったキー４７０１，４７０２の配列により、使用者は前記装置４７００を持ちながら両手で親指打ちすることができる。前記装置において他のキー配置の文字やその他の記号の他の設定を考慮してもよいことが理解される。例えば、前記記号（例えば文字）が割り当てられた、１列のみに配列された少数のキーのみを前記装置が備えていてもよい。
【０３９９】
また、前述され、対応する特許出願に記載されているように、マウス（不図示）を前記装置の背面に配設して、前記マウスのキーが好ましくは前記電子装置の反対側（例えば、前面側）に来るようにすることにより、使用者は親指で関連する釦を押しながら、例えば人差し指を用いて前記マウスを操作してもよい。
【０４００】
また、前述したように、前記装置は電話機として用いられてもよい。それは少なくとも１つのマイクロフォン４７０７と少なくとも１つのスピーカー４７０８を備えていてよい。
【０４０１】
前記マイクロフォンと前記スピーカーの、前記装置上の位置間の距離は、使用者の口と耳の間の距離に対応していてもよい。
【０４０２】
図４７ｂは一例として、その入力ユニットが２つの列４７１１と４７１２に配列された、４つのみのキーを有し、既に述べた原則に従ってアルファベット文字と通例は数字が前記キーに対して割り当てられている、図４７の装置と同様な装置４７１０を示す。別の記号及び機能（不図示）が、既に述べた原則に従って、前記キー及び／又は別のキーに割り当てられてもよい。使用者は自らの両手の親指４７１３、４７１４を用いてタイプしてもよい。
【０４０３】
図４７ｃは一例として、前記電子装置の一方の側に配置された２つの列４７２１と４７２２に配列された４つのみのキーを有し、既に述べた原則に従ってアルファベット文字と通例は数字が前記キーに割り当てられている、図４７ｂの装置と同様な装置４７２０を示す。別の記号及び機能（不図示）が、既に述べた原則に従って、前記キー及び／又は別のキーに割り当てられてもよい。使用者は片手（または両手）を使ってデータ入力できる。前記４つのキーの配列の中心に、中心点４７２３を設けて、キーパッドを見ずにデータ入力できるようにしてもよい。
【０４０４】
図４７ｄは一例として、前記電子装置の一方の側に配置された２つの列４７３１と４７３２に配列された４つのキーを有し、既に述べた原則に従ってアルファベット文字と通例は数字が前記キーに割り当てられている、図４７ｃの装置と同様な装置４７３０を示す。前記第１の２列のキー（この例では４７３１）のうち一方を複製した第３のキー列４７３３が、前記電子装置４７３０の反対側の端に配置されている。このキー配列は、使用者が好みのままには片手（または両手）でデータ入力することを可能にする。別の記号及び機能（不図示）が、既に述べた原則に従って、前記キー及び／又は別のキーに割り当てられてもよい。
【０４０５】
図４７ｅは一例として、本出願で記載された原則に従って設計され、前述の実施例と類似しているが、必要時は大型ディスプレイを可能にするために、前記電子装置内に伸張可能／引き込み可能／折り畳み式ディスプレイ４７４１を配設してもよい点が異なる電子装置４７４０を示す。例えば有機発光ダイオード（ＯＬＥＤ）を用いれば、前記電子装置は、一個の伸張可能なディスプレイを装備できる。前記ディスプレイは好きなだけ伸張できることが理解されよう。例えば、前記表示ユニットは数回展開して大型ディスプレイを提供することができる。好きなだけ展開できるように、それは巻き込み／展開ディスプレイであってもよい。本発明の前記データ入力システムのキーは、前記電子装置の前記表示ユニットの表面内に装備されたソフトキーであってよいことが理解されよう。
【０４０６】
本発明の一実施例によれば、図４７ｆに示すように、前述したような電子装置４７５０は、内蔵型の印刷部（不図示）を備えていてよい。前記装置の幅は任意のものでよいが、好適には、前記電子装置の設計（例えば、この例ではほぼＡ４用紙の幅がある）は、例えばＡ４用紙を使用する印刷／スキャナ／コピー部が前記装置に内蔵されることができるようなものであってよい。例えば、使用者はページを印刷するためにＡ４用紙４７５１を給紙することができる。
【０４０７】
モバイル・コンピューティング／通信装置のための完全なソリューションを提供することは、多くの状況において非常に有用であり得る。例えば、使用者は手紙などの文書を編集し、即座に印刷することがある。また例えば、セールスマンは顧客の契約を記したインボイスなどの文書を編集して即座に受け渡しできるために印刷するかもしれない。
【０４０８】
前記モバイル・コンピューティング／通信装置を小型化しつつ、Ａ４用紙などの一般サイズ用紙の印刷も可能とするために、前記一般サイズ用紙の半分のサイズに対応する装置が提供してもよい。
【０４０９】
図４７ｇは、Ａ４用紙などの標準白紙文書４７６０を示す。 図４７ｈに示すように、前記用紙は真ん中で半分に折畳み、２つの片面４７６１，４７６２をもたらすようにしてもよい。図４７ｉに示すように、前記折畳んだ文書４７７１を本発明のモバイル・コンピューティング／通信装置のような電子装置４７７０の印刷部に給紙して、編集済の手紙などの文書のページを片面４７６１，４７６２の両方に印刷して、標準サイズの印刷された手紙をもたらすことができる。このことは、標準サイズ文書を印刷することができる小型モバイル電子装置の製造を可能にする。
【０４１０】
（環状キーボード）
本発明の一実施例によれば、キーパッドの少なくとも一部のキーは、 前記キーパッド上に、環状形態を形成するような形で配置されてよい。 図４８は一例として、中心のキー４８０７のまわりに配置された６つのキー４８０１〜４８０６を備えたキーパッド４８００を示す。前記中心のキー４８０７は、前記別の６つのキーとは物理的に異なっていてよい。例えば、前記キー４８０７は、別のキーよりも大きくてもよいし、その上に中心点を有していてもよい。例えばＱＷＥＲＴＹ配列を有したアルファベット文字が、 前記キーに分配されていてもよい。スペース文字が、中心に配置されたキー４８０７に割り当てられてもよい。もちろん、前記キーは、本出願内で以前に記載した、及び以前の諸出願で記載した数字、句読点、機能などの別の記号を備えていてもよいし、本発明のデータ入力システムによって用いられてもよい。キーパッド上のキー配列のこの種の利点（例えば、環状）は、前記中心のキーを触って認識することにより、使用者はキーパッドを見ずに前記キーをタイプすることができるということである。
【０４１１】
（手首装着型通信装置）
本発明のデータ入力システムは、完全で迅速なデータ入力能力を持つ小型電子装置の製造を可能にすることができる。将来有望な通信装置の１つは、手首装着型通信装置である。
【０４１２】
実行可能な手首装着型通信／オーガナイザー装置を製造するために多くの努力が払われてきた。これらの装置の主要な問題は、実現可能な比較的速いデータ入力システムである。データ入力のために音声／言語認識技術を用いた手首装着型電話の試作品を提供した製造業者たちもいる。もちろん、そのような装置のハードウェア及びソフトウェアの限界が、質の悪いデータ入力結果をもたらした。本出願及び本発明者により以前に提出された諸出願に記載されたように少数のキーと併用した本発明のデータ入力システムは、この課題を解決し、非常に小型の装置で迅速なデータ入力を可能にすることができる。図４９は一例として、少数のキー（例えばこの例では、２つの列４９０１と４９０２に配列された、４つのキー）を備えた、本発明のデータ入力システムの原則に従ってアルファベット文字と、数字と、句読点その他などの記号が前記キーに割り当てられている、手首装着型電子装置４９００を示す。前記装置は、少なくとも前記キーを用いる本発明のデータ入力システムを含む。前記キーは、携帯電話の標準キーに類似した任意の種類のものであってもよく、タッチ式のものであってもよい。タッチ式のキーは一方の手の２つの指４９０３，４９０４でのタッチ・タイピングを可能にする。入力されたデータ、受け取られたデータ等を一覧するために表示ユニット４９０５が配設されてもよい。時計部４９０６が前記手首装着型装置に組み込まれていてもよい。前記手首装着型装置は、送信／終了などの機能のための別の釦４９０７，４９０８を備えていてもよい。より迅速なデータ入力のため、使用者は手首装着型装置を手首から外し、両手の親指でそれぞれ１キー列のキーを押してもよいことに留意するべきである。別の個数のキー（例えば前述のような６つのキー）または別のキー配列（例えば、前述のような環状キー配列）を考慮してもよいことが理解されよう。
【０４１３】
手首装着型通信／オーガナイザー装置のための別の種類の設計を考慮してもよいことも理解されよう。例えば、図４９ａに示すように、手首装着型装置４９１０に、フリップ・カバー部４９１１が配設されてもよい。前記装置４９１０は例えば、データ入力に用いられるキー４９１３の大部分を備え、前記フリップ・カバー４９１１は表示ユニット４９１２を備えていてもよい（または逆も同様）。図４９ｂに示すように、前記フリップ・カバーの別の側に、時計部の表示ユニット４９２１が装着されていてもよい。閉じた状態では、前記手首装着型装置は、腕時計に似ており、腕時計として使われることができる。
【０４１４】
上記に示し、記載した手首装着型装置は、一例として示したに過ぎないことが理解されよう。少数のキーのみの使用を必要とする本発明の釦押し発声データ入力システムとの併用で、別の種類の手首装着型装置を考慮してもよい。例えば、図５０ａに示すように、少ない個数のキー５００３を用いている本発明のデータ入力システムを備えた手首装着型通信装置５０００は、時計部５００２のブレスレット５００１に着脱自在に装着／一体化されていてもよい。図５０ｂは、図５０ａの手首装着型装置５０００と同様の手首装着型装置５０１０を示すが、違いは、この場合表示ユニット５０１１とデータ入力キーは分離されており、それぞれフリップ・カバー５０１３と装置本体５０１４（または、その逆）に配置されていることである。前記キーと前記時計部とは、使用者の手首のまわりに、反対向きの関係で配置されていてもよいことが留意される。
【０４１５】
前述のように、本発明のデータ入力システムは、数少ない個数のキーを持つ装置内に一体化されてもよい。ＰＤＡは、手書き文字認識システムまたは小型仮想ＱＷＥＲＴＹキーボードを通常用いた電子オーガナイザーであるが、両方法とも、遅くてもどかしいデータ入力手順をもたらす重大な欠点がある。通常、ほとんどのＰＤＡ装置は少なくとも４つのキーを含む。本発明のデータ入力システムは、前述した原則に従って前記キーを用いてＰＤＡ装置のための迅速かつ正確なデータ入力を提供する。タブレットＰＣなどの別の装置も本発明のデータ入力システムを用いてよい。さらに、例えば, 前述の別の方法に従って、図４９ａに示すような数個の大型仮想（例えば、ソフト）キー（例えば４、５、６、８等）がＰＤＡ、タブレットＰＣ等の電子装置の表示ユニットに指定されて、本発明のデータ入力システムと併用されてもよい。一例として、タブレットＰＣの表示ユニットのような大型ディスプレイ上のキー配列と配置は、図４７a〜図４７ｄに示すものに類似していてもよい。
【０４１６】
（データ入力のための動作追尾）
アルファベット文字、数字、句読点、機能等の一群の記号を少数のサブグループに分け、それらを本発明の釦押し発声システムと併用すれば、他の使用者の、その動作認識のような、挙動認識システムと置き換えることによって次第に、釦押し動作の使用を排除することが可能になる。前記動作は例えば使用者の指、目、顔等の動作であってよい。このことは、使用者が持つモータ能力が限られたものである場合、あるいは、もっと離散したデータ入力システムを必要とする環境においては非常に有利であり得る。例えば、４つのキーを使うかわりに、使用者の１本または複数の指、または目などの体の部位の４つの動作指示を考慮することができる。
【０４１７】
本発明の一実施例により、また、図４５ｃを参照し、１例としてデータ入力システムの記号が４つの区域に配列されていると考えると、使用者は、目（または、顔面追尾システムの場合は顔面、あるいは指追尾システムの場合は指）を右上方に動かして「Ｙ」と言い、前記文字を入力することができる。発声なしの同じ動作を、例えば、句読点「.」４５３５に割り当てることができる。文字「ｓ」を入力するには、使用者は目を左下方に動かして「ｓ」と言えばよい。所望の記号を話すなどの（本発明のデータ入力システムの）特徴と組み合わせて、記号のいくつかのサブグループへ割り当てられた使用者の、極少数の明確に／容易に認識できる動作のみを用いることにより、本発明のデータ入力システムは、ハードウェアの操作（例えば、釦）を必要とせずに、迅速で正確なデータ入力を提供する。気付かれるように、本実施例では、使用者の体の部位の事前定義された動作で、別の実施例におけるキー押しを置き換えることができる。本発明のデータ入力システムの残りの手順はそのままであってよい。
【０４１８】
以前の諸出願に記載したように、キーのかわりに、感応性キーパッドまたは使用者の指などの別の物体が、前記記号のサブグループをそれらに割り当てるために用いられても良いことが理解されよう。例えば、所望の記号を入力するために、使用者は（前記記号が割り当てられている）自らの指を机上で軽く打ち、前記指及び前記動作に割り当てられた文字を話す。また、使用者の声（例えば音声）を認識するかわりに、別の使用者の挙動及び／又は読唇システムなどの挙動認識システムが用いられてもよい。
【０４１９】
少なくとも単語の一部のレベル(例えば、音節レベル) での本発明のデータ入力の主な課題のひとつは、外部の雑音があった場合、及び前記単語の一部の発話が母音で終了した場合、システムは前記発話を誤認識し、通常は所望の部分の開始部分には対応しているが、一定のもので終了する出力を提供することがある。例えば、使用者が（文字「ｍ」に対応したキーを押しながら）「ｍｏ」と言えば、システムは「ｍａｌｌ」のような出力を提供することがある。この問題を排除するために、発明のデータ入力システムに或る種の方法を適用することができる。
【０４２０】
本発明の一実施例によれば、以前提案したように、母音の発音で終了する単語／単語の一部は、先頭の発音は類似しているが、子音で終わる単語／一部に分類されてもよい。前記単語／部分が入力された後、辞書比較及び句構造が、入力すべき所望の部分を決定する。例えば、同じキーに割り当てられている単語／単語の一部「ｍｏ」及び「ｍａｌｌ」は、同じカテゴリーに分類されることができ、つまり、使用者が前記キー押して、前記の場合それぞれについて「ｍｏ」または「ｍａｌｌ」と言えば、システムは両方の音素の組の、対応する文字の組を考慮する。前記２つの音素の組「ｍｏ」及び「ｍａｌｌ」の発音は（特に騒がしい環境では)、実質的に同じで音声認識システムにより誤認識される可能性があると考えるべきであるからである。
【０４２１】
本発明の一実施例によれば、アルファベット文字が、例えば２列になったキーに配列されたキーパッドが、本発明の、少なくとも、「少なくとも単語の一部のレベル」（例えば、音節レベル）のデータ入力システムに用いられてよい。
【０４２２】
図５１は一例として、アルファベット文字が２列のキー５１０１と５１０２に配列されたキーパッド５１００を示す。前記配列は、声門閉鎖発音である文字/音素を異なるキーに配置している。前記配列は、少し修正を施したＱＷＥＲＴＹ配列を想起させる。この例では、中列は文字キャラクターを有していない。前述したような、本発明の、少なくとも単語の一部のレベル（例えば、音節レベル）のデータ入力システムの異なる方法は、前記の種類のキーパッドを用いてもよいし、または、図４５ａ〜図４５ｄといった以前の図に示した、少数のキーを有した別のキーパッドを用いてもよい。
【０４２３】
前述したように、本発明の一実施例によれば、ある単語／単語の一部が母音で終われば、使用者は前記単語／単語の一部の先頭音素／文字に対応する前記キーパッドのキーを押し、入力するためにその単語／単語の一部を話せばよい。必要ならば、前記部分に関してより多くの情報を提供するために、使用者は前記部分を構成している文字の少なくとも一部に対応する別のキーを押してもよい。例えば、前記単語／単語の一部が子音音素で終われば、使用者は、前記子音に対応した別のキーを押せばよい。
【０４２４】
システムに、単語／単語の一部の先頭文字／音素に対応するキー押しと、例えば、前記単語／単語の一部の最後の文字／音素に対応するキー押しとを区別させるようにするには、これ以降に記載する方法の如き異なる方法が提供されることができる。
【０４２５】
本発明の一実施例によれば、使用者が、単語／単語の一部の先頭音素／文字に対応する最初のキーを話しながら押す際、使用者は前記キーを押したままで、前記単語／単語の一部の別の文字（好ましくは最後の子音）に対応する、少なくとも１個の別のキーを押せばよい。
【０４２６】
前記別の文字が同じ先頭キーに配置されていた場合、使用者は前記単語／単語の一部を話しながら前記キーを二度押すことができる。
【０４２７】
図５１ａは、（大文字で示した）アルファベット文字が２列のキー５１１１と５１１２に配列されたキーパッド５１００を示す。前記アルファベット文字を包含した前記キーのそれぞれは、（小文字で示した）アルファベット文字をも包含し、それらは同じ列の反対側のキーに割り当てられている。
【０４２８】
本発明の一実施例によれば、使用者が単語／単語の一部を入力しようとするとき、使用者は、大文字で印刷された前記単語／単語の一部の先頭文字／音素（例えば、前記キー上に大文字で印刷された）を押し、前記単語／単語の一部を話す。前記使用者が、前記単語／単語の一部の別の文字に対応するキーを押すなどして、より多くの情報を提供したい場合、（前記最初のキーを押したままで）前記使用者は、前記単語／単語の一部の前記別の文字（例えば、前記反対側の列のキー上に大文字または小文字で印刷された）に対応する反対側の列に配置されたキーを押してもよい。例えば、使用者が単語「ｆｕｎｄ」を入力したいとすると、まず、キー５１１３を押して前記単語を話し、（前記キー５１１３を押したままで）、前記使用者は例えば子音「ｎ」及び「ｄ」に対応する２つの別のキー５１１４及び５１１５を引き続いて押す。
【０４２９】
図５１ｂは、図５１ａのキーパッドと類似したキーパッド５１２０を示すが、違いは、こちらの場合２つの列５１２１と５１２２は単語／単語の一部の先頭音素／文字に対応する文字／音素に割り当てられており、別の列５１２３は、前記単語／単語の一部の先頭文字とは異なる少なくとも１つの文字に対応している１つのキーを押すことにより、前記単語／単語の一部に関するより多くの情報を提供するために用いられることである。 このことは、片手のみでのデータ入力を可能にすることができる。例えば、使用者が単語「ｆｕｎｄ」を入力したいとすると、まず、キー５１２４を押して前記単語を話し、（前記キー５１２４を放した後で）、前記使用者は例えば子音「ｎ」及び「ｄ」に対応する２つの別のキー５１２５及び５１２６を引き続いて押す。
【０４３０】
本発明の別の実施例によれば、上述のように、（入力のためには）話声を必要とする記号は、第１の事前定義された個数のオブジェクト／キーに割り当てられ、話声なしで入力される記号は、前記第１の事前定義された個数のキーとは別個に、別の事前定義された個数のキーに割り当てられることができる。
【０４３１】
本発明の別の実施例によれば、文字を提供するキーが話される記号のみを備えている場合、使用者は前記単語／単語の一部の最初の文字／音素に対応するキーを押し、好ましくは同時に、前記単語／単語の一部を話してもよい。次いで使用者は、前記単語／単語の一部を構成している別の単語に対応する別のキーを、話さずに押してもよい。システムは、話声を伴わないキー押しは、前記単語／単語の一部の別の文字に関する追加情報に対応することを認識する。例えば、図５１を参照し、前記キーパッドの文字を提供するキーに対しては話される記号のみが割り当てられていることを考慮すると、使用者が単語「ｆｕｎｄ」を入力したいとすると、使用者はまず「ｆｕｎｄ」と言いながら文字「ｆ」に対応するキーを押し、前記キーを放した後で、前記使用者は、文字「ｎ」及び「ｄ」に対応した２つの別のキーを話さずに引き続いて押す。
【０４３２】
前述したように、本発明の単語／単語の一部データ入力システムは、集成した選択された文字の組を、単語／単語の一部の辞書と比較する工程なしで機能することができる。使用者は単語を部分ごとに入力処理して、それらを直接入力させることができる。前述のように、このことは、異なる言語の単語／単語の一部を、それが単語／単語の一部の辞書に存在するかを気にせずに入力するために便利である。モード・キーなどの手段が、集成した文字群が前記比較なしで入力／出力される予定であることを、システムに対し知らせるために用いられることができる。集成した文字群が複数できた場合、それらは使用者に対し提示される（例えば、ディスプレイに印刷されたリストで）ことができ、使用者は例えば「選択」キーを押してそれらのうち１つを選択することができる。別の実施例では、集成した文字群が複数できた場合、優先度が最高である集成した文字群が、例えば、次の単語／単語の一部、句読点、「入力」などの機能、その他の入力に進むことにより自動的に入力されることができる。
【０４３３】
さらに、本出願において前述した前記原則に従って、単語は、単語辞書との比較工程ありでもなしでも、部分ごと入力処理して入力されることができる。さらに前述のように、前記部分は文字でもよいし単語の文字群（マクロ）であってもよい。
【０４３４】
本発明の一実施例によれば、アルファベット文字に加えて、本発明の文字ごとのデータ入力システムは、小さなメモリ容量と、より早い処理を必要とする迅速かつ正確なデータ入力システムを提供するために、限定された個数の、頻繁に使われる単語の部分（例えば、「ｔｉｏｎ」、「ｉｏｎ」、「ｓｉｏｎ」、「ｍｅｎｔ」、「ｓｈｉｐ」、「ｅｄ」等）及び／又は限定された個数の、頻繁に使われる単語 （例えば、「ｔｈｅ」、「ａｎｄ」、「ｗｉｌｌ」等）を用いてもよい。前記限定数の単語／単語の一部は、本出願及び以前に提出された諸出願に記載されるように、本発明のデータ入力システムの原則に従って、キーパッドの対応するキー（と相互作用して）に対して割り当てられることができる。さらに、明らかにそれらは、本出願及び以前に提出された諸出願に記載されるように、本発明のデータ入力システムの原則に従って入力されることができる。本実施例によれば, 例えば、使用者は「ｐｏｒｔｉｏｎ」という単語を、「ｐ」、「ｏ」、「ｒ」及び「ｔｉｏｎ」という４つの部分に分けて入力することができる。そうするためには、例えば図４５ｃのキーパッドを用いて、前記使用者はまず「ｐ」と言って（好ましくはほぼ同時に）対応するキー４５３３を押す。使用者は次いで、「ｏ」と言って（好ましくはほぼ同時に）対応するキー４５３３を押す。次いで、前記使用者は「ｒ」と言って（好ましくはほぼ同時に）対応するキー４５３０を押す。そして最後に、使用者は「ｓｈｅｎ」（例えば、「ｔｉｏｎ」という単語の部分の発音）と言い、（好ましくはほぼ同時に）、「ｔｉｏｎ」という部分が割り当てられているキー４５３０（例えば、「ｔｉｏｎ」という単語の部分の最初の文字「ｔ」に対応している）を押す。
【０４３５】
前述のように、本発明の本実施例は、以前の諸出願で記載したような、入力した文字を単語辞書と比較する工程ありでもなしでも処理することができる。前記比較工程を用いない場合、データは部分ごとに入力／出力されることができる。
【０４３６】
前述のように、本発明の本実施例は、本発明のデータ入力システムを、メモリ容量とプロセッサのスピードに限界がある小型装置（例えば、手首装着型電子装置、携帯電話）に一体化するために有利である。頻繁に使われる単語／単語の一部の前記リストに加えて（またはその代わり）、使用者は自分の好みの単語／単語の一部を前記リストに追加してもよい。
【０４３７】
前述したように、本発明のデータ入力システムは少ない数のキーを用いて完全なデータ入力をすることができる。前記少数のキーのかわりに、異なる事前定義されたセクションを有した単一のマルチモーダル／マルチセクション釦であって、前記マルチモード／マルチセクション釦の前記異なる事前定義されたセクションそれぞれへの使用者の動作／接触に対し、各セクションが異なる反応をするマルチモーダル／マルチセクション釦を配設してもよいことが理解され、本発明に記載の文字／音素の組／文字等は、前記事前定義されたセクションで前記動作／接触に割り当てられる。図５２は、一例としてマルチモード／マルチセクション釦５２００（例えば多くの電子ゲーム、携帯電話、テレビのリモート・コントローラ等に用いられているマルチモード釦に類似した）を示し、前記釦の５つのセクション５２０１〜５２０５は、使用者の前記セクションへの指動作（例えば押し）／接触に対しそれぞれ異なった反応をする。一例としては、異なるアルファベットや数値の文字や句読点が、前記セクションのうち４つ５２０１〜５２０４に割り当てられ、スペース文字が真ん中のセクション５２０５に割り当てられてもよい。前記釦５２００は、楕円形等の異なる形状であってもよく、また、異なる個数のセクションを有して、異なる記号の配列が前記部分のそれぞれに割り当てられてもよいことが理解されよう。
【０４３８】
前述のように、さらに、図４７ａ〜図４７ｉの例に示すように、本発明のデータ入力システムにより、大型ディスプレイと、迅速なデータ入力能力を有した小型データ入力ユニットとを備えたモバイル・コンピューティング／通信装置などの電子装置が提供されることができる。 さらに前述のように、前記電子装置は、別の釦を備えていてもよい。図５３は、文書入力及び対応機能のためのキー５３０２,５３０３（この例では双方向キー）と、電話番号をダイアル（例えば前記数字を話さずに）したり、ディスプレイ内を行き来したり、通話を送受信したり、といった別の機能を入力するための別の釦列５３０４，５３０５を備えた電子装置５３００を示す。本発明に記載された、少なくとも文書入力のための一群の記号が、キー５３０２〜５３０３のような双方向キーの各側を押すことに割り当てられてもよい。双方向キーは、２つの別個のキーに対応することができる。双方向キーを操作することは、２つの別個のキーを操作することよりも容易に思われる。本実施例の例では、使用者は自らの両手の親指５３０６,５３０７を用いてデータを入力することができる。
【０４３９】
本特許出願中の別の段落、及び本発明者により提出された以前の特許出願に記載したように、仮想 (ソフト) キーなどの別の種類のキーが、本発明のデータ入力システムに用いられてもよいことが理解されよう。さらに、本特許出願及び本発明者により出願された以前の特許出願に記載された別のデータ入力特性の少なくとも一部が、本発明のコンピュータ／通信装置に一体化されてもよい。例えば、伸張可能な（例えば、着脱可能な）マイクロフォン／カメラ／アンテナ５３０１、及び前記装置の背面内蔵マウス（不図示）（例えば、使用者の人差し指で操作されるべきもの）を装備して、その対応するキーは、前述したように前記コンピュータ／通信装置の前面または任意の別の側に来るようにしてもよい。
【０４４０】
前述したように、完全なデータ入力のために利用可能な記号の一部／全ては、少数のキーに割り当てられることができ、 本発明のデータ入力システムと併用されて完全、迅速かつ容易なデータ入力を提供することができる。前記少数のキーは、キーパッドのキーの一部であってもよい。図５４は、ＰＣのキーボードの記号の少数のキー５４００への割当ての別例を示す。この例においては、ディスプレイ上のカーソル（例えば、文書の中の）の行き来のための矢印は、話声モードに割り当てられてよい。例えば、使用者はキー５４０１を一度押しし、「左」と言って、（例えば、ディスプレイ上に印刷された文書内にある）ディスプレイ上のカーソルを単一文字分左へ移動させることができる。カーソルを数文字分左へ移動させるには、前記使用者は「左」と言いながらキー５４０１を押し、前記キーを押したまま保てばよい。カーソルは、使用者が前記キー５４０１を放すまで左に移動し続けることになる。前記カーソルを右に移動させるには、前記使用者は上記に記載したばかりの手順で、例えば「右」と言いながらキー５４０２を押せばよい。同様な手順を使って、対応するキーを押して対応する単語を言うことにより、カーソルを上下に移動させることができる。
【０４４１】
本発明の一実施例によれば、カーソルをいくつかの方向（左、右、上下など）に移動させることを、少なくとも１つのキーに割り当てることができる。図５４を引き続いて参照すると、一例としてはカーソルを異なる方向に移動させることを、１つのキー５４０３に割り当てることができる。例えば、使用者はキー５４０３を押して「左」と言えば前記カーソルを左に移動させることができる。前記カーソルを右、上、または下に移動させるには、前記使用者はキー５４０３を押して、それぞれ「右」、「上」、または「下」と言えばよい。
【０４４２】
この例において、（完全なデータ入力のために使用可能な記号の一部／全てが割り当てられることができる対象である)キーの個数は、一例として説明したに過ぎないことが理解されよう。前記キーの個数は、電子装置の設計などの必要に応じて異なっていてよい。
【０４４３】
本発明の一実施例によれば、少数のキーを有した本発明のキーパッド／データ入力ユニットは、マイクロフォン、スピーカー、カメラ等の追加機能を備えていてもよい。前記キーパッドは、対応する電子装置に接続された独立型ユニットであってよい。前記独立型キーパッドは、前記電子装置の側部を実質的に覆う表示ユニットを一体化することを可能にする。図５５ａは、完全なデータ入力のために使用可能な記号の一部／全てをデータ（例えば文書）入力に割り当てることができる対象である、少なくとも少数のキー（または、少なくとも前記少数のキーに対応する多方向キー）５５０１、５５０７、５５０８、５５０９を有した本発明の独立型キーパッド５５００を示す。前記キーパッドは、マイクロフォン５５０２、スピーカー５５０５、カメラ５５０３等の追加機能をも備えていてもよい。前記追加機能は前記キーパッド内に一体化されていてもよいし、または、前記キーパッドに装着／接続等されていてもよい。図５５ｂに示すように、前記キーパッド５５００（その側面図を示す）は、前記キーパッドを、使用者の指／手首等の別の物体に装着するための装着手段５５０４を備えていてもよい。前記キーパッドは対応する電子装置に（無線または有線で）接続されていてよい。図５５ｃは、記載したばかりの原則に従った独立型キーパッド５５１０を示す。前に述べたように、完全なデータ入力のために本発明のデータ入力システムと少数のキーを併用することにより、短期間の練習の後で、使用者は文書などの完全なデータを、前記少数のキーで前記キーを見ずに入力することができる。この原則に基づき、本発明のデータ入力システムの原則に従って、使用者は前記キーパッド５５１０を手（例えば掌）５５１１に保持し、（手を口元に持ってくることにより）口近くにキーパッドを配置して、その記号（例えば、前記キー押しに対応する文字、字、単語／単語の一部、機能）を話さずに／話しながら、キーを見ずに所望のキーを押すことができる。前述のように、前記キーパッドは、対応する電子装置に無線または有線で接続されていてよい。この例では、キーパッドは対応する装置（不図示）に導線５５１２で接続されている。さらにこの例では、マイクロフォン５５１３が前記導線５５１２に取り付けられている。データ入力のため、前記キーパッド５５１０を口元に近づけた手（例えば掌）に保持することは、以下のような多くの利点がある。
−使用者は頭装着型マイクロフォンを装着する必要がない
−前記使用者はマイクロフォンに非常に接近して話すことができる。したがって使用者は離散的に話すことができる。
−使用者の掌の空洞が、マイクロフォンによる使用者の声の受信度を際立たせることができる
−話している間の外部雑音を使用者の手（例えば掌）が実質的に除去する
−使用者の手（例えば掌）が使用者の声の拡散を防止する（例えば他者の妨げにならない）
【０４４４】
本発明の独立型キーパッド／データ入力ユニットは、本出願及び本発明者により提出された以前の特許出願に記載された特徴の一部／全てをも備えていてもよいことが理解されよう。例えば、前記独立型キーパッド／データ入力ユニットは、例えば、本発明の読唇システムと併用されるカメラを備えていてもよい。また、本発明の歯認識システムに基づく手段を備えていてもよい。前記キーパッドは、前記キーパッドを対応する装置に接続するための電池、無線手段等の別の機能をも備えていてよい。前記キーパッドにアンテナも装備されていてよい。有線接続の場合は、前記線はキーパッド及び／又は対応する電子装置のアンテナ・システムをも備えていてよい。
【０４４５】
本発明の一実施例によれば、図５５ｄに示すように、本発明の独立型キーパッド５５２０はネックレス／ペンダントとして用いられてもよい。このことは、本発明のキーパッド／データ入力ユニットの、容易かつ個別での携帯性及び使用を可能にする。
【０４４６】
本発明の一実施例によれば、図５５ｅに示すように、本発明の独立型キーパッド５５３０は、ＰＤＡ／タブレットＰＣのディスプレイといった触知ディスプレイのペンに装着／一体化されていてよい。このことは、本発明のキーパッド／データ入力ユニットの、容易かつ個別での携帯性及び使用を可能にする。
【０４４７】
本発明の一実施例によれば、図５５ｆに示すように、少数のキーを有した本発明のキーパッドはマルチセクション・キーパッド５５４０（閉じた状態で示されている）であってよい。これは、前記キーパッドのサイズをさらに小型化することを可能にし、完全なデータ入力を提供することができる極めて小型のキーパッドを提供する。マルチセクション・キーパッドは本発明者により既に発明され、特許出願が提出されている。前記出願に記載された記載及び特性の一部／全ては、少数のキーを有した本発明のマルチセクション・キーパッドに適用されることができる。
【０４４８】
本発明の一実施例によれば、図５５ｇに示すように、少数のキーを有した本発明のキーパッド／データ入力ユニット５５５０は、指示ユニット（例えば、マウス）を前記キーパッドの背面（または別の面）内に備えていてよい。前記指示ユニットはパッド型５５５１またはボール型（不図示）などの任意の型でよい。前記指示ユニットのキーは、前記データ入力ユニットの前面に配置されていてよい。データ入力ユニットの背面などの面に配置された指示及びクリック（例えば、マウス）ユニットは、本発明者により既に発明され、相応に特許出願が提出されている。 前記出願に記載された記載及び特性の一部／全ては、少数のキーを有した本発明のマルチセクション・キーパッドに適用されることができる。例えば、前記キーパッドのキーのうち少なくとも１つは、前記キーパッドの背面に配置されている前記指示ユニットのキーとしても機能してよい。
【０４４９】
図５５ｈは、少数のキー５５６５〜５５６８を備えたデータ入力ユニット５５６１を有した本発明のデータ入力装置５５６０を示す。前記装置は、完全なデータ入力とデータの操作のために前記データ入力ユニットと併用して稼働する指示及びクリック（例えば、マウス）ユニットをも有する。前記装置及びその表面上での動作は、従来のコンピュータ・マウス装置に類似している。前記一体型装置は、コンピュータなどの対応する電子機器に無線または導線５５６２により接続されていてよい。図５５ｉに示すように、指示（例えば、マウス）ユニット５５６９は、前記の前記データ入力ユニット５５６１の背面などの面（ここには示さないが、前記装置の別の面に配置）に配置されていてよい。前記指示（例えば、マウス）ユニット５５６９は、トラック・ボール型マウスであってよい。使用者は、本発明のデータ入力システムと組み合わせた前記一体型データ入力装置５５６０を、従来のＰＣのキーボード及びマウスの代替として操作／使用することができる。マウスのキーは、５５６３，６６６４（図５５ｈ参照）などの従来のキーであってよく、又は、その機能は、前記データ入力ユニット５５６１の前記少数のキー（この例では５５６５〜５５６８）に割り当てることができる。
【０４５０】
本発明の一実施例によれば, 本特許出願及び本発明者により提出された以前の特許出願で述べたように、本発明のデータ入力システムは、単語予測ソフトウェアと組み合わせてもよい。例えば、使用者は、対応するキーを押しながら、本発明のデータ入力システムを用いて単語の少なくとも１つの先頭文字を（例えば、少なくとも１つの文字に対応する単語の一部を話すことにより）入力し、前記単語の残りの部分に対応するキーを、それを話さずに押し続けてよい。前記単語の先頭文字の正確な入力（本発明の正確なデータ入力システムによる）に伴った、前記単語の残りの文字の対応するキー押し（発声なし）は、正確なデータ入力システムを可能にすることができ、さらに話声も少しで済ませることができる。本実施例では、文字以外の記号は好ましくは別個のキーに割り当てられるか、または、別個の相互作用が同じキーに割り当てられてもよいことが理解されよう。
【０４５１】
本発明の一実施例によれば、少数のキーを有した本発明のキーパッド／データ入力ユニットは、携帯電話などの電子装置の従来のイヤホンに装着／一体化されていてもよい。図５５ｊは、使用者により使用されている従来のイヤホン５５７０を示す。このイヤホンは、 スピーカー５５７１、マイクロフォン５５７２及び本発明のキーパッド／データ入力ユニット５５７３（この例においては、マルチセクション・キーパッド）を備えていてよい。本発明のキーパッド／データ入力ユニットは、使用者の対応する話声の入力用に別個のヘッド・ マイクロフォンが使われながら、キー押しを入力するための対応する電子装置と共に用いられてよいことが理解されよう。
【０４５２】
（本発明のデータ入力システムと組み合わせた一掃手順）
前述したように、本発明のデータ入力システムは、少数のキー、１つまたは複数のマルチモード（例えば、多方向）キー、１つまたは複数の感応性パッド、使用者の指などの任意の種類の物体を用いてよい。さらに前述のように、前記キーのような前記物体は、従来の携帯電話型のキー、タッチ式のキー、それに対する２つ以上のレベルの圧力（例えば、触れるレベル、及びより圧力がかかったレベル）に応答するキー、ソフトキー、光学認識と組み合わせた仮想キー、等の任意の種類のものであってよい。 
【０４５３】
前述したように、単語の一部を本発明のデータ入力システムに従って入力する際、認識を高めるために、前記部分の最初の文字／音素に対応する情報を提供すること（例えば、キー押し及び話声）に加えて、使用者は、前記一部の末尾の文字及び／又は中間の文字などのより多くの文字に対応する追加情報を提供してもよい。
【０４５４】
本発明の一実施例によれば、図５６に示すように、区域／キー５６０１〜５６０４のような少数の事前定義された区域を有した触知表面／パッド５６００が配設され、本発明のデータ入力システムと協働してもよい。前記区域／キーのそれぞれに対し、本発明のデータ入力システムによる一群の記号を割り当てることができる。本実施例の目的は、本発明の単語／単語の一部 （例えば、文字ごとを含む）データ／文書入力を強化することである。この実施例によれば、単一文字データ入力をするために、使用者は例えば、話声あり／話声なしと組み合わせて、対応する区域／キーを一度押し／二度押し（前述したように、本発明のデータ入力システムに従って）することができる。少なくとも２文字を有した単語／単語の一部を入力するには、 使用者は前記単語／単語の一部を話しながら、前記単語／単語の一部の文字のうち少なくとも１つに関連した前記面の区域／キーの少なくとも１つの上を指またはペンで、例えば一掃すればよい。この一掃手順は好ましくは、前記単語／単語の一部の第１の文字に対応する区域から開始すればよく、さらに好ましくは、最終的には前記単語／単語の一部の１つまたは複数の中間文字に対応する区域を通過しながら、前記単語／単語の一部の最後の文字に対応する区域で終了すればよい。前記単語／単語の一部に対応する情報の入力は、前記使用者が前記面／感応性パッドから前記指（または前記物体）を外した（例えば持ち上げた）ときに終了する。使用者の話声は、前記対応する一掃動作が終了する前に終了するが、システムは前記全ての対応する一掃動作を考慮することができることが理解されよう。
【０４５５】
本発明の別の実施例によれば、単語／単語の一部を入力するため、使用者はその単語を話しながら、入力対象の前記単語／単語の一部の全ての文字に対応する区域／キーの上に指を一掃（１つ以上の続き文字が同一区域／キーで表されていれば、それ相応に、前記同一区域／キーの上を幾つかの異なる方向に一掃）させてよい。図５６ａを参照すると、例えば「ｆｏｒ」という単語／単語の一部を入力するには、使用者はその単語を言いながら、例えば指またはペンを、文字「ｆ」、「ｏ」及び「ｒ」にそれぞれ対応している区域／キー５６１２、５６１４及び５６１１上で一掃（多方向の矢印５６１５で示している）すればよい。次いで使用者は、前記面（例えば、感応性パッド）から指を持ち上げ、システムに対し前記単語／単語の一部に対応する情報入力の終了を知らせる。
【０４５６】
本発明の別の実施例によれば、より迅速な相互作用を期して、単語を入力するために使用者は、入力対象の前記単語／単語の一部のいくつかに対応する区域の上で指を一掃してもよい。図５６ｂを参照すると、例えば「ｆｏｒ」という単語／単語の一部を入力するには、使用者はその単語を言いながら、例えば指またはペンを、区域５６２２，５６２１（矢印５６２５で示している）の上で、区域５６２２（例えば文字「ｆ」に対応している）から開始して、文字「ｏ」に対応している区域５６２４を通過せずに、区域５６２１（例えば文字「ｒ」に対応している）で終了するように一掃してもよい。
【０４５７】
感応性パッド上の一掃手順の、従来の非感応性キー（例えば、従来の電話のキーパッドのキー）の押し／解放動作に対する利点は、一掃手順を使えば、使用者は、単語／単語の一部の文字のいくつか（または全て）に対応する区域／キー上の一掃を終了した後にのみ、前記感応面から指を持ち上げてよいことである。対応する一掃動作を終える前に、使用者が前記部分を話し終えたとしても、システムは、対応する一掃動作全体（例えば、使用者が最初に前記面の第１の区域／キーを触ったときから、使用者が前記面から指を持ち上げたときまで）を考慮する。 前記面を指で触る／一掃する及びそこから指を持ち上げることもまた、システムに対し、対応する話声（例えば、前記話声は前記タイム・リミットにほぼ収まることが好ましい）の開始点と終了点を知らせることになる。
【０４５８】
要するに、本発明の一実施例によれば、一掃相互作用（例えば、少なくとも２つの文字を有する単語に対応する）の、前記相互作用に応答する所定数の区域／キーを有する面での軌跡は、以下の点（例えば、軌跡点）を備えることになり、前記点それぞれは前記単語／単語の一部の文字に対応している。
１）単語／単語の一部の最初の文字に対応している開始点
２）前記単語／単語の一部の（存在するならば）中間の文字に対応している一掃方向転換点（例えば、必須ではなく、２文字のみの単語には存在しない）、
３）前記単語／単語の一部ｐ２７１（（好ましくは、発音できる）末尾の）の追加文字に対応している終了点。
【０４５９】
図５７は、一例として、４つの区域／キー５７０１〜５７０４を有した面５７００上の、「ｂｒｉｎｇ」という単語に対応する一掃動作の軌跡５７０５を示す。開始点５７０６はシステムに対し、前記単語の最初の文字は区域／キー５７０３に配置されていることを知らせる。他の３つの点／角度５７０７〜５７０９は、一掃動作の方向転換及び終了に対応し、システムに対し、前記単語は、区域５７０１,５７０４及び５７０２に割り当てられた文字のうち１つにより表される少なくともあと３つの文字を備えていることを知らせる。 好ましくは、前記単語内の前記文字の順序（例えば、この例においては「ｂｒｉｎｇ」）は、前記軌跡点の順序に対応する。方向転換に対応する前記角度は際立ったものではなく、湾曲形状などに形成されていることが理解されよう。図５７ａは一例として、単語「ｔｉｍｅ」に対応した一掃軌跡（湾曲した角度５７１５を有した矢印５７１４で示す）を示す。この例においては、一掃動作は字「ｔ」（例えば、キー／区域５７１１により提示される）、 「i」（例えば、キー／区域５７１２により提示される）、及び「ｍ」（例えば、キー／区域５７１３により提示される）により行われる。使用者は、一掃しながら前記単語（例えば、この例においては「ｔｉｍｅ」）を話すことが理解されよう。
【０４６０】
本発明の軽く叩く／押す及び／又は一掃するデータ入力システムは、ある文字と、前記字で開始していて発音が類似している単語どうしの紛らわしさを大幅に低減する。記述したばかりの原則に基づいて、例えば、字「ｂ」、及び、単語／単語の一部である「ｂｅ」及び「ｂｅｅ」を入力するには、以下の手順を考慮することができる。
−文字「ｂ」を入力するには、図５８ａに示すように、使用者は通常通り、文字「ｂ」に対応する感応区域／キー（例えば、この例においては区域／キー５８０１）を、その字を発音しながら１度押し／触れ（一掃せずに）ればよい。
−単語／単語の一部「ｂｅ」を入力するには、図５８ｂに示し前述したように、使用者は前記単語／単語の一部を発音しながら、字「ｂ」に対応する区域５８１１から開始して、字「ｅ」に対応する区域５８１２を通過／そこで終了しながら、感応面５８１０上を一掃すればよい。矢印５８１３は、対応する一掃経路／軌跡を示す。
−単語／単語の一部「ｂｅｅ」を入力するには、図５８ｃに示し前述したように、使用者は前記単語／単語の一部を発音しながら、字「ｂ」に対応する区域５８２１から開始して、（例えば、最初の）字「ｅ」に対応する区域５８２２上を通過／一掃し、（例えば、２番目の）字「ｅ」に対応する同じ区域５８２２上で一掃方向を転換しながら感応面５８２０上を一掃すればよい。同一区域／キー上に軌跡点が２つあることは、（例えば、この例においては中間点と終了点）、システムに対し、前記単語／単語の一部の少なくとも２つの字が、前記区域／キーに配置／割当てられており、前記単語／単語の一部内の前の区域／キーに対応した文字の後に配置されていることを知らせる。矢印５８２３は、対応する一掃経路を示す。
【０４６１】
図示したように、一掃方向の各方向は、単語の中の対応する追加文字に対応している。区域から区域へ一掃しているうちに、使用者は意図せぬ区域を通過するかもしれない。例えば、前記区域への一掃軌道が顕著なものでなかった場合（例えば、図５８ｃの区域／キー５８２５内の一掃経路５８２４参照）、及び／又は、前記区域に角度（例えば、方向転換）がなかった場合は、システムは前記通過を考慮しない。混乱を減らす及び／又は取り除くために、区域５８２６などの横断（例えば中立）区域が考慮されてもよい。
【０４６２】
前述したように, 本発明の文字ごとのデータ入力システム及び、本発明の単語／単語の一部ごとのデータ入力システムは併用されてもよい。さらに本発明の一掃及び押しの実施例を組み合わせてもよい。例えば、「ｓｔｏｐ」などの単語を書くには、使用者は「ｓ」と「ｔｏｐ」という２つの部分に分けて入力してもよい。文字「ｓ」を入力するには、使用者は文字「ｓ」に対応する区域／キーを、前記文字を発音しながら、（一度）触れる／押す。次いで、部分「ｔｏｐ」を入力するには、使用者は前記部分を発音しながら、上述した本発明の一掃手順の原則に従って、対応する区域／キーの上で例えば指を一掃（例えばドラッグする）すればよい。
【０４６３】
感応面の区域／キーへの偶発的な接触という紛らわしさを低減または取り除くため、触知機能に加えて、各区域／キーに、クリック／重圧システム（従来の携帯電話キーパッドのキーに配設されているような）別の機能を配設してもよい。この場合、例えば、１個の記号を入力するには（例えば、本発明の文字ごとのデータ入力システムに従って）、使用者は前記記号を入力するために、対応する区域／キーに僅かに触れるというよりも、もっと強く押す。本発明の単語／単語の一部ごとのデータ入力システムに進むために、使用者は前述したような一掃手順を、例えば指を対応する区域／キーの上で僅かに（例えば僅かな圧力を用いて）一掃することにより、用いることができる。
【０４６４】
単語／単語の一部が１つの区域／キーで表された文字を含んでいれば、前記単語／単語の一部を話しながら、使用者は例えば指を前記区域／キー上で、何度か続けて異なる方向に（例えば、少なくとも１方向に、そして最大でも、前記単語／単語の一部を構成している字数（ｎ）−１に等しい数の方向（例えばｎ−１方向）） に一掃してもよい。例えば、単語「ｙｏｕ」を入力するには、図５９ａに示すように、前記単語を話すことに加えて、使用者は、システムに対し、前記単語／単語の一部のうち少なくとも２文字が前記区域／キーに割り当てられていることを知らせるために、区域／キー５９０１上で（例えば、好ましくは、一つの真直ぐ／ほぼ真直ぐな方向５９０２に）指を一度軽く叩いてよい（本発明の一実施例によれば、１つのみの文字の入力は前記区域／キー上を軽く叩くことによって表される）。同じ単語を、システムに対しより多くの情報を与えながら入力するには、図５９ｂに示すように、前記使用者は、前記単語／単語の一部に対応する少なくとも３つの文字（例えば、この例においては、単語「ｙｏｕ」を構成している全ての字）に対応している区域／キー５９１１上を、前記区域／キーから指を外さず（例えば持ち上げず）に（例えば、この例においては、３つの軌跡点、すなわち、１つの開始点、１つの中間点、１つの終了点を提供している）、２つの連続した異なる方向５９１２、５９１３に指で一掃してよい。
【０４６５】
前述のように、単語／単語の一部を入力するには、使用者は前記単語／単語の一部を話し、単語／単語の一部の対応する記号（例えば、字）を表した区域／キーの少なくとも一部を、指などの物体で一掃してよい。本発明の一実施例によれば、好ましくは、使用者は、前記単語／単語の一部の最初の字、（例えば、存在するならば）中間の字の少なくとも１つ、及び最後の字を表した区域／キーを一掃してよい。 好ましくは、交換と考えられた最後の文字は、単語／単語の一部の中の最後の発音可能な音素である可能性がある。例えば、「ｗｒｉｔｅ」という単語で、交換される最後の文字は、文字「ｅ」（例えば、この例においては、文字「ｅ」は発音されない）というよりは文字「ｔ」（例えば、発音可能である）であると考えられる。希望により、使用者は文字「ｔ」及び「ｅ」両方に従って一掃してもよいことが理解されよう。
【０４６６】
別の例によれば、使用者は単語／単語の一部の最初の文字、及び前記単語／単語の一部の残りの子音のうち少なくとも１つに従って一掃することができる。例えば, 「ｆｏｒｃｅ」という単語を入力するには、使用者は文字「ｆ」、「ｒ」及び「ｃ」に従って一掃すればよい。
【０４６７】
１つの単語を少なくとも２つの部分に分けて入力するには、本発明の一実施例によれば、使用者はまず、前記区域／キー上を前記最初の部分に従って、前記部分を話しながら一掃（例えば、指を使って）する。次いで使用者は、システムに対し、前記部分（例えば、この例においては最初の部分）の入力が終了したことを知らせるために、感応面から指を持ち上げ（例えば外す）ればよい。使用者は次いで、同じ原則に従って次の部分（など）の入力に進む。単語の末尾で、使用者は、スペース・キーを押し／触れるなどの動作を与えてよい。
【０４６８】
１つの単語を少なくとも２つの部分に分けて入力するには、本発明の別の実施例によれば、使用者はまず、前記区域／キー上を前記最初の部分に従って、前記部分を話しながら一掃（例えば、指を使って）する。次いで使用者は、（感応面から指を持ち上げず／外さずに）、同じ原則に従って次の部分（など）の入力に進む。単語の末尾で、使用者はシステムに対し、前記単語の全ての入力が終了したことを知らせるために、感応面から指を持ち上げ（例えば外す）ればよい。次いで使用者は、スペース・キーを押す／触れるなどの動作を与えてよい。本実施例では、前述のように、書き込み面から指を持ち上げることが、単語全体の入力の終了に対応する。したがって、前記単語の前後にスペース文字が自動的に与えられることになる。
【０４６９】
好ましくは、区域／キー一掃の順序、及び、必要ならば、前記区域／キー内の異なる方向は、対応する単語／単語の一部内の対応する文字の位置の順序に対応していてよい（例えば、左から右、右から左、上から下、といったように）ことが理解されよう。例えば、単語／単語の一部を英語で入力しているときに使用者は、前記単語／単語の一部内で左から右に配置された文字に対応して及び／又は従って区域／キー上を一掃してよい。別の例では、 単語／単語の一部を例えばアラビア語またはヘブライ語を入力しているとき、使用者は、前記単語／単語の一部内で右から左に配置された文字に対応して及び／又は従って区域／キー上を一掃してよい。前述のように、さらに、前に説明したように、使用者は、前記単語／単語の一部の全ての文字に従って／対応して区域（及び方向）を一掃してもよいし、または、前記単語／単語の一部の一部の文字に従って／対応して一掃してもよいことが理解されよう。
【０４７０】
前述したように、本特許出願及び本発明者により以前に提出された特許出願に記載されたシステム、方法、特徴の一部又は全てが、異なる実施例／製品をもたらすために組み合わされてもよい。例えば、前述したように、（例えば、本発明の一掃データ入力を用いて）ある単語を部分ごとに入力した後で、部分の各入力に対して複数の関連文字連鎖が、システムにより選択されてよい。この場合、前述したように、前記選択の異なる集成が提供され、単語辞書中の単語と比較されてよい。前記集成が前記辞書の複数の単語と対応した場合、それらは、最も頻繁に使われる単語から始まって最も頻繁に使われない単語へと、使用頻度に従って使用者に提示される。この事項については、前に詳細に記載している。
【０４７１】
本発明の自動スペーシング手順は、本発明の一掃方法を用いたデータ入力システムに適用されてもよい。
【０４７２】
前述のように、異なる自動スペーシング手順が考慮され、本発明のデータ入力システムと併用されてよい。本発明の（前述された）一実施例によれば、各単語／単語の一部は、以下に記載のもののように、特殊なスペーシング特性を有していてよい。
−単語の一部は、好ましくはデフォルトとして、先行の単語／単語の一部に付けられる種のものである（例、「ｉｎｇ」、「ｍｅｎｔ」、「ｔｉｏｎ」等）
−単語の一部は好ましくは、先行の単語／単語の一部に付けられ、さらには、自らに付けられる次の単語／単語の一部をも必要とする種のものである。（例えば、「ｉｎｆｏｒｍａｔｉｏｎ」という単語における「ｍａ」）
−単語の一部は、先行の単語／単語の一部に付けられることのない独立して意味を持つ単語である。デフォルトとして、スペース文字が前記単語／単語の前または後に自動的に入れられるが、例外は例えば、使用者または語句の文脈が、前記先行の／次の単語／単語の一部にそれを付けることを必要とする場合である。（例えば「ｆｏｒ」や「ｌｅｓｓ」）
−別段定めない限り、字、数字、句読点等の単一文字は（例えばデフォルトとして）、先行の／次の単語／単語の一部に自動的に付けられると考えられる。
【０４７３】
本発明の一実施例によれば、本発明の文字ごとのデータ入力システムに基づき、字のような単一文字の入力は、話声あり／話声なしと組み合わせた、触知表面の対応する区域／キーを押すこと／軽く叩くことに対して割り当てることができ、さらに、単語／単語の一部の入力は、前記単語の先頭文字が割り当てられている区域／キーへの一方向の一掃動作（例えば、ほぼ真直ぐな方向）をしながら、前記単語／単語の一部を話すことに対して割り当てることができる。例えば、 字「ｚ」を入力するには、前記字を発音しながら、使用者は前記字「ｚ」が割り当てられているキーを（一掃はせずに）押し／触れればよい。「ｚｏｏ」という単語／単語の一部を入力するには、前記単語／単語の一部を発音しながら、使用者は、前記の字「ｚ」（例えば、単語「ｚｏｏ」の先頭の字に対応する）が割り当てられている区域／キーを一掃すればよい。このことは、文字入力手順又は単語／単語の一部入力手順という使用者の意図を、システムが容易に理解することを可能にする。
【０４７４】
既に記載及び／又は示したように、本発明のデータ入力システムは、本発明者により提出された特許出願に記載の原則に基づく多くの実施例を提供する。前記原則に基づき、かつ本発明の異なる実施例に従って、例えば、異なる個数のキー及び／又は異なるキーマップ（例えば、キーパッド上の記号の異なる配列）を有した異なるキーパッドが考慮されてもよい。電子装置は前記異なるキーパッド及び／又は異なるキーマップのうちいずれかを必要とする、複数の前記実施例を備えていてもよい。前記キーパッド及び／又はキーマップを同一の電子装置内に配設することを可能にするため、 物理的及び／又は仮想キーパッド及び／又はキーマップを配設してもよい。
【０４７５】
本発明の一実施例によれば、電子装置上の本発明の現実施例による異なるキーパッド及び／又はキーマップは、前記電子装置の表示ユニット上に自動的に配設されてよい。使用者は、例えば必要に応じて、または自らの好みによって、前記電子装置内にある異なる実施例群から一実施例を選択することができる。このため、前記使用者により、前記実施例のうち一つを選択し、それに沿って対応するキーパッド及び／又はキーマップを選択するために用いられることができるモード（例えば）などの手段を、前記電子装置内に配設してもよい。
【０４７６】
別の実施例によれば、例えば、キーパッド 及び／又はキーマップを印刷するために電子装置の表示ユニットを使用するかわりに、前記装置のキーパッドのキー（例えば、前記電子装置が電話ならば、そのキーパッドのキー）が、前記キーパッドのキーのうち少なくともいくつかの上に異なるキーマップを表示するために用いられてもよい。この目的のため、前記キーパッドの前記キーは、電子的に修正可能な印刷キーキャップ（例えば、キー表面）を備えていてよい。
【０４７７】
さらに、別の実施例により、また、前の実施例を参照し、電子的に修正可能な印刷キーキャップを有するキーパッドを使用するかわりに、対応するデータ入力実施例による異なるハード・キーマップを配設して前記電子装置に配備してもよい。図６０は一例として、物理的キーキャップ（通常、携帯電話の製造業者によりゴム素材で製造されている）に対応したいくつかの空洞（例えば、穴６００１など）を有した交換可能な携帯電話（例えば前面）カバー６０００を示す。前記携帯電話及び交換可能なカバーに加えて、本発明の関連する実施例に対応した異なる交換可能なハード（例えば、物理的）キーマップ（例えば、キーマップ６０１１〜６０１３などの）を配設してもよい。データ入力システムの所望の実施例を選択したあとで、使用者は手で前記カバー（及び前記電話）内の対応するキーマップを交換してもよい。
【０４７８】
異なる事前定義された区域を有した１枚のパッドのかわりに、前記区域に対応した異なる複数枚の事前定義されたパッド、タッチキー及び／又は押圧感応キーなどを配設してもよいことが理解されよう。また、本出願及び以前に提出された諸出願に記載されたような触知表面又は任意の別の指認識システム（光学走査など）と組み合わせた前記指に対して、前記記号群及び前記一掃動作を割り当てるために、使用者の指が用いられてもよい。同じ結果をもたらすために、例えば、２段階の圧力といったあらゆる種類の技術及び相互作用が、本発明の一掃データ入力方法の代わりに用いられてもよいことに留意するべきである。
【０４７９】
さらに、任意の種類及び個数の、キーなどの物体を用いてよい。これらの事項は、本特許出願及び本発明者により提出された以前の特許出願に既に記載されている。
【０４８０】
本発明の一実施例によれば、少数のキー及び前記キーの操作方式の代わりに、記号及びその配置（例えば、別の諸出願に記載された）を、使用者の少数の指、及び使用者の前記指の操作といった別の物体に割り当てることができる。前記使用者の前記指はキーパッドのキーに取って代わり、前記指の前記動作は、一度押し及び／又は二度押し、一掃手順等の異なるモードに取って代わる。前記指及び前記指の前記操作は、使用者の音声及び／又は唇の動きといった挙動とともに用いられてよい。前記物体を認識するための異なる認識システム（例えば、指、指の一部、指紋認識システム、走査システム、光学システムその他）及び、前記挙動を認識するための異なる認識システム（例えば、音声及び／又は唇認識システム）が、前述のように、及び以後述べられるように本発明の異なる実施例を提供するために用いられてよい。
【０４８１】
本発明の一実施例により、及びデータ入力に４つのキーを用いるシステムの実施例を参照すると、４つのキーのかわりに、前記キーに割り当てられている記号を割り当てるために、使用者の４本の指を用いてもよい。また、例えば、光学認識システム及び／又は感応面といった手段が、前記指の相互作用／動作を認識するために用いられてもよい。例えば、「ｔｏ」という字を入力するには、使用者は、表面に字「ｔ」が割り当てられている自らの指の一本を、前記字を発音しながら軽く叩けば（例えば、一度叩き）よい。さらに本発明のデータ入力システムに基づき、使用者の話声を認識し、システムが正確な出力を供給するのを助けるために、音声認識システムといった別の認識手段が用いられてもよい。
【０４８２】
（単語／単語の一部のデータ入力のための多方向釦又はトラック・ボールの使用）
単語／単語の一部を入力するために、少数の事前定義された区域／キーを有した触知表面／パッドを本発明の一掃手段と併用するかわりに、少数の（例えば４つの）事前定義された押圧区域／キーを有したトラック・ボール又は多方向釦といった別の手段を本発明のデータ入力システムに配設してもよい。そのようなシステムの原則は、本発明の前記一掃手順及び他のデータ入力システムに記載のものと同様である。
【０４８３】
本発明の一実施例によれば、回転動作を有するトラック・ボールで、その回転動作は前記トラック・ボールの周囲の一群の事前定義された点／区域の方向に向いており、前記事前定義された点／区域それぞれに対し、本発明のデータ入力システムによる一群の記号を割り当てることができるトラック・ボールを、本発明のデータ入力システムと併用することができる。前述のように、前記システムの原則は、少数の事前定義された区域／キーを有した触知表面／パッドを用いた一掃手順に関して記載した原則と同様である。 これらの２つのシステムの違いは、トラック・ボールは前記触知表面／パッドに取って代わり、前記トラック・ボールの、前記事前定義された点／区域に向けた回転動作は、前記触知表面／パッドの前記事前定義された区域／キーへの一掃／押し動作に取って代わるということである。前述したような、少数の事前定義された区域／キーを有した触知表面／パッドへの一掃手順を用いた本発明のデータ入力システムの全ての記述は、前記トラック・ボールを用いた前記データ入力システムに適用できる。図６１ａは、例として、４つの事前定義された区域６１０１〜６１０４に向けて回転されるトラック・ボール・システム６１００を示し、そこで、前記区域それぞれに対し、本出願及び本発明者により提出された以前の特許出願に記載された本発明のそれぞれ異なる諸データ入力システムによる、英数文字、単語／単語の一部等といった事前定義された記号群を割り当て、本発明の話声／非話声と組み合わせた押し／一掃データ入力システムの原則と併用することができる。前記トラック・ボールとの相互作用を高めるため、前記区域及びそれらに割り当てられた前記記号を表示ユニットに印刷してもよく、前記トラック・ボールは前記表示ユニット及び前記区域上でポインタを操作してもよい。別の方法によれば、前記トラック・ボールは各使用の前後において所定位置に位置合わせされ、前記トラック・ボールの中心はポイント標示６１０５によりマークされていてもよい。記号を入力するには、使用者はまず前記ポイントに指（例えば、親指）を置き、次いで入力対象の記号に従った方向に動き始める。
【０４８４】
現実施例を引き続き参照すると、図６１ｂに示すように、例えば［ｒａｍ］という単語／単語の一部を入力するには、使用者はトラック・ボール６１１０を、文字「ｒ」「ａ」及び「ｍ」に対応している区域６１１１，６１１２及び６１１３に向けて回転させ、好ましくは同時に単語／単語の一部「ｒａｍ」を話す。
【０４８５】
本発明の別の実施例によれば、少数の（例えば４つの）事前定義された押し区域／キーを有し、前記区域／キーのそれぞれに、本発明のデータ入力システムによる一群の記号が割り当てられている多方向釦を本発明のデータ入力システムと併用してもよい。前記多方向釦は、２種類の情報を本発明のデータ入力システムに提供することができる。第１の情報は前記釦への押し動作に対応し、第２の情報は、前記押し動作が作用する前記釦のキー／区域に対応する。使用者は、前記記号(例えば最初の文字)に対応している前記釦の１つの区域／キーを、前記記号の話声あり／話声なしで押すか、または、前記記号の最初の文字に対応している前記釦の区域／キーを押して、前記キーを続けて押し位置に保ちながら、また好ましくは同時に前記記号を話しながら、前記釦の異なる区域／キーに指を一掃する(例えば一掃実施例で記載したように、前記記号が複数の文字を有している場合、前記記号を構成している文字に関するより多くの情報を提供するために)。前記記号の入力手順の終わりに、使用者は前記キーの引き続いた押し動作を解放してよい。前述のように、本発明の本実施例の原則は、少数の事前定義された区域／キーを有した触知表面／パッドを用いる一掃手順で記載したものと同様である。この２つのシステムの違いは、こちらでは、多方向釦が前記触知表面／パッドに取って代わり、前記多方向釦の前記事前定義された区域／キーへの一度の／繰り返した押し動作が、前記感応面／パッドの前記事前定義された区域／キーの一掃／押し動作に取って代わることである。前述のような、少数の事前定義された区域／キーを有した触知表面／パッドへの一掃手順を用いた本発明のデータ入力システムの全ての記載を、前記多方向釦を用いた本発明の現データ入力システムに適用することができる。図６１ｃは一例として、ここで記載した多方向釦６１２０を示し、前記釦は４つの事前定義された区域／キー６１２１〜６１２４を備え、前記区域／キーのそれぞれに対し、本発明の異なるデータ入力システム（本出願及び本発明者により提出された以前の特許出願に記載された）に従って、英数文字、単語／単語の一部といった事前定義された記号群が割り当てられることができ、本発明の釦押し発声データ入力システムの原則と併用されることができる。
【０４８６】
（複数の使用者インターフェースを有したコンピュータ／通信装置）
本発明の一実施例によれば、本出願の前の部分で記載され、図４７ａ〜４７ｉなどのいくつかの図に示すようなコンピュータ／通信装置は、少なくとも電話番号をダイアルするために、その一方の側にキーパッドを備えていてよい。前記キーパッドは標準的な電話型キーパッドであってよい。図６２ａは、前述のような少数のキー（ここでは、２つの列６２０１〜６２０２に配列されている）並びに関連した表示ユニット６２０３を用いた本発明のデータ／文書入力システムを備えた携帯型通信装置６２００を示す。番号を離散的にダイアルするために、前記装置の反対側に配置された電話型キーパッドを考慮してもよい。図６２ｂは、前記装置６２００の背面を示し、前記装置の前記背面内には電話型キーパッド６２１１が一体化されている。使用者は、例えば従来のように番号をダイアルしたり、選択メニューなどの別の電話機能を提供するためにキーパッド６２１１を用いてもよい。送信／終了キー６２１２〜６２１３などの別の電話機能キーも前記面に配設されてよい。前記データ／文書入力システムの表示ユニットから離して配置された表示ユニット６２１４も、番号をダイアルしたり受けたりといった電話機操作を印刷するためにこの面に配設されてもよい。前記装置内に一体化されている（前述したように）本発明のデータ／文書入力システムに関係した指示装置６２１５も、この面に一体化されていてよい。本特許出願及び本発明者により提出された以前の特許出願で前述したように、前記指示装置に関連した（クリック）キーは、前記指示装置に関連した前記電子装置の背面などの、別の面に配置されていてよい。
【０４８７】
（手書きデータ入力システムを装備したコンピュータ／通信装置）
本発明の一実施例によれば、本発明のデータ入力システムに加えて、本発明のコンピュータ及び／又は通信装置は、少なくとも電話番号をダイアルするための手書き文字認識システムを備えていてよい。前記手書きシステムは、書き込み面への装置のペン先の音響／振動の認識に基づく手書きシステムなどの種のものであってよい。この事項は、２００１年１２月２６日に提出された「ペン入力コンピュータ」（Ｓｔｙｌｕｓ Ｃｏｍｐｕｔｅｒ）という名称のＰＣＴ出願に詳細に記載されている。手書き文字認識システムに基づくデータ入力は遅い。他方では、前記データ入力は離散的である。手書き文字認識システムは好ましくは、本発明の釦押し話声データ入力システムを備えた装置での短く離散的なデータ入力作業に使われことができる。図６３ａは、以前に説明し図４７ａ〜４７ｉといったいくつかの図に例示したようなコンピュータ及び／又は通信装置６３００を示す。この例において、前記装置は６つのキー６３０１〜６３０６を用い、前述したように、前記キーのうち４つ６３０２〜６３０５（両端側の２つ）には、少なくともある言語のアルファベット（ひいては数値）文字を割り当てることができる。２つ別のキー６３０１及び６３０６は、句読点及び／又は機能（例えば、文書編集用の）うち少なくとも一部などの別の記号を備えていてよい。
【０４８８】
前述のように、少数のキーを用いた本発明のデータ入力システムは非常に迅速かつ正確なシステムである。或る種の状況においては、一般に、電話番号をダイアルするといった短時間の努力が必要な際、使用者は離散的データ入力システムを使うことを好むであろう。通常、手書きデータ入力システムは非常に小型ではない触知表面（例えば、ディスプレイ／パッド）を必要とする。手書きデータ入力システムはさらに、前記面へ書き込むためのペンも必要とする。本発明者により発明された手書きデータ入力及び認識システムは概して前記感応面と前記ペンを必要としない。それは任意の装置に実装することができ、小型の装置では他の手書き文字認識システムと置き換えることはできない。
【０４８９】
図６３ａを引き続き参照すると、本発明者により発明された手書き文字認識システムは、前記装置６３００内に実装されていてよい。この目的のため、ペン先６３０７を、例えば前記装置の一端に配設してもよい。前記手書き文字認識システムに必要とされる少なくともマイクロフォンなどの別の形状構成が、前記装置６３００内に実装されてもよい。光学センサに基づくシステム又は加速度計を用いたシステム等の、別の手書き文字認識システムが前記装置と併用されてもよいことが理解されよう。使用者は自らの都合により、前記データ入力システムを独立して、及び／又は互いに組み合わせて使用することができる。例えば、前記使用者は手書きデータ入力システムのみを用いて番号をダイアルしてもよい。他方では、前記使用者は本発明の釦押し話声データ入力システムを用いて文書を書き込んでもよい。前記システムは、文書を書くといったデータ入力中に組み合わせてもよい。例えば、文書を書いている最中に、使用者は、本発明の釦押し話声データ入力システムを用いて前記文書の一部を書き、手書きデータ入力システム (例えば、本発明者により発明された、音響／振動書き込みを用いた前記手書きシステムなど)に切り替えることができる。使用者は、ペン先で表面に書くことにより、又は、話声あり／話声なしで対応するキーを押すことにより、あるデータ入力システムから別のデータ入力システムに切り替えることができる。
【０４９０】
前述したように、前記キーに割当てられた異なるキー配列及び異なる記号配置が、本発明の、釦押し発声あり／釦押し発声なしデータ入力システムに基づいた異なる実施例と共に考慮されてもよいことが理解されよう。図６３ｂは、本発明の別の実施例による一例として、図６３ａの装置６３００に類似した装置６３１０を示し、その違いは、こちらでは本発明のデータ入力システムは各両側６３１１，６３１２にある４つのキー（各側に１つずつの 追加のキーがあり、前記追加のキーそれぞれに対し、句読点文字及び／又は機能等の一群の記号を割り当てることができる) を用いるという点である。追加のキーがあることは、本発明のデータ入力システムにより多くの記号を考慮する一助となろう。このことは、別のキーに割り当てられた記号のうちいくつかを前記追加のキーに割り当てて、より少ない記号をシステムで使われるキーに割り当てることとなり、入力精度の向上をもたらす一助となろう。
【０４９１】
本発明の別の実施例によれば、本発明の文字ごとのデータ入力システムと本発明の単語／単語の一部のデータ入力システムを容易に区別するために、単語／単語の一部が割り当てられたもう１つのキー群とは異なる一群のキーに、アルファベット文字を割り当てることができる。このことは、データ入力の精度を顕著に高めることができる。図６３ｃは一例として、図６３ｂの装置６３１０に類似した、各側に４つ（２ｘ２）のキーを二組有した装置６３２０を示す。この例においては、キー６３２１〜６３２４は前記キー上に印刷されたアルファベット文字に相応に対応し、キー６３２５〜６３２８は前記キー上に印刷された文字で始まる単語／単語の一部に相応に対応していてよい。例えば、字「ｔ」などの単一の字を入力するには、使用者はキー６３２１を押して前記字を話す。さらに例えば、単語の一部「ｔｉｌ」を入力するには、使用者はキー６３２５を押して前記単語の一部を話す。
【０４９２】
以前に記載し説明したように、前記キーの配列は、例えば、前記電子装置に無線又は有線で接続されることができる１つ又は複数の前記キーパッド内に配置された状態などの、前記電子装置から離れた配置をとることができることが理解されよう。さらに前述のように、 また他の段落で言及されるように、本発明のどの実施例においても、前記少数のキー、装置上でのそれらの配列、記号の前記キーへの前記割当て、及び、記号の前記キーとの相互作用への割当て、前記装置そのもの等は例として示したに過ぎない。当業者により別の変形形態が考慮され得ることは明らかである。
【０４９３】
図６３ａ〜６３ｃ及び図４７ｂ〜４７ｄに示すように、本発明の一実施例によれば、本発明のデータ入力システムはペン形状をしていてもよいことに留意するべきである。さらに、前述したように、ペン形状コンピュータ／通信装置及びその形状構成は発明されており、２００１年１２月２６日に提出されている「ペン入力コンピュータ」という名称のＰＣＴ出願に記載されている。本発明のペン形状装置は、前記「ペン入力コンピュータ」というＰＣＴ特許出願の形状構成とアプリケーションの一部または全てを備えていてよい。例えば、本発明のペン形状の装置は、その表面を覆った表示ユニットを有した円筒形状の装置であってよい。さらに、例えば、本発明のペン形状の装置は、前記「ペン入力コンピュータ」のものに類似した指示及びクリック装置及び手書き文字認識システムを備えていてよい。
【０４９４】
本発明の一実施例によれば、本発明のペン形状の装置は、前記装置を使用者に、例えば使用者の服や耳につけることによって装着する装着手段を備えていてよい。図６３ｄは一例として、図６３ａの装置６３００などの電子装置の背面を示す。そこに示すように、前記装置内に、前記装置を例えば使用者のポケット又は使用者の耳に装着するための装着手段６３３１を配設してもよい。さらに、スピーカー６３３２を前記装着手段内に配設して、前記スピーカーを前記使用の耳の穴に近づけてもよい。さらに、本発明者により提案されるような指示ユニット６３３３を前記装置内に配設してもよい。
【０４９５】
現実施例を引き続き参照すると、図６３ｅに示すように、一例として、前記装置６３４０は、例えば前記使用者が歩行中又は運転中に手を使わずに会話ができるように、使用者の耳に装着されていてもよい。前記装置６３４０のペン型形状、前記装置及びその装着手段６３４３内での前記マイクロフォン６３４１及び前記スピーカー６３４２それぞれの位置が、前記マイクロフォン及び前記スピーカーを、使用者の口及び耳にそれぞれ近づけることを可能にする。前記マイクロフォン、スピーカー、又は装着手段は前記装置内の任意の別の位置に配置されてもよいことが理解されよう。
【０４９６】
（表示ユニットを備えるために少数のキーを有した本発明の独立型データ入力ユニット）
本発明の一実施例によれば、説明して図５５ａ〜５５ｊに示した、本発明の少なくとも少数のキーを有した独立型データ入力ユニットは、表示ユニットを備えて、対応する電子装置に接続されていてよい。図６４ａは一例として、表示ユニット６４０１を備えた、前述した原則に基づいた独立型データ入力ユニット６４００を示す。前記ユニット内にディスプレイを持つことの利点（特に、前記ユニットがペンダントとして携帯される場合の）は、例えば、使用者は前記電子装置（例えば、携帯電話）を例えばポケットに入れて、前記データ入力ユニットを用いたデータ入力／受信を、前記装置を介して行うことができることである。前記装置に接続されていることによって、使用者は、自らが入力（例えば、送信ＳＭＳ）又は受信する（例えば、受信ＳＭＳ）データを、前記データ入力ユニットの表示ユニットを見ることによって見ることができる。前記表示ユニットは任意の種類のものであってよく、異なるシステムに従って前記ユニット内に配置されていてよいことが理解されよう。例えば、図６４ｂに示すように、本発明の独立型データ入力ユニット６４１０の表示ユニット６４１１は、前記データ入力ユニットの内側カバー６４１２内に配置されていてもよい。本発明の独立型データ入力ユニットは、対応する実施例で前述した形状構成（例えば、埋め込み式マイクロフォン）の一部または全てを備えていてよいことが理解されよう。
【０４９７】
前述したように、少数のキーを用いた本発明のデータ入力システムは、ＰＤＡ又はタブレットＰＣなどの任意の装置内に装着されていてよい。図６５ａは一例として、少数のキーを用いる本発明のデータ入力システムを備えた、タブレットＰＣ装置６５００などの電子装置を示す。本発明のデータ入力システムの原則に基づいたキー配列及び記号割当てが前記装置内に配備されていてよい。この例において、前記タブレットＰＣ６５００は、ある言語の少なくともアルファベット文字及びひいては数値文字を割り当てることができる４つのキー６５０１〜６５０４を備えていてよい。前記４つのキーに加えて、前記装置は、例えば少なくとも、句読点及び機能などの記号が割り当てられてよいキー６５０５〜６５０６などの追加のキーを備えていてよい。物理的キー（例えば、６５０１〜６５０６）の代わりに、仮想（例えば、ソフト）キーが前記タブレットＰＣの表示ユニット上に規定され、データ入力システムと共に使われてもよいことが理解されよう。本発明のデータ入力システム、キー配列、及び前記キーへの記号の割当てについては既に詳しく述べた。前記装置内に配設されている同じキー、すなわち追加のキーは、例えば前記装置の背面内に一体化されている指示装置と併用されてもよい。この事項に関しては、本発明者により提出された別の特許出願に詳細に記載されている。前記タブレットＰＣは、オン／オフ機能等の別の目的のための別のキー６５０７を備えていてよい。図６５ｂは一例として、図６５ａのタブレットＰＣ６５００の背面を示す。示しているように、例えばデータ入力の安定性を高めるために、前記タブレットＰＣは、使用者により例えばデータ入力中に用いられる１つ又は複数のハンドル手段６５１１〜６５１２を備えていてよい。前記ハンドルは任意の種類のものであってよく、前記装置内の任意の位置（例えば、別々の側）に配置されていてよいことが理解されよう。前述したように、前記装置は、少なくとも指示及びクリックシステムを備え、前記システムの少なくとも１つの指示ユニット６５１３が前記装置の背面に配置されていてよい。前述のように、前記指示に対応するキーは、前記指示及びクリック装置の容易な操作を可能にするために（左手でも右手でも好きなように）、前記タブレットＰＣの前面（の便利な位置）に配置されていてよい。ある１つの設計では、前記タブレットＰＣは前記指示及びクリック装置を２つ備えていてよく、それらは前記タブレットＰＣのそれぞれ左側と右側に配置され、前記指示及びクリック装置の構成要素は互いに協働する。内蔵型マイクロフォン又は分離型有線／無線マイクロフォンといった任意の種類のマイクロフォンが、データ入力中に使用者の話声を受けるために用いられてよいことが理解されよう。これらの事項については既に詳細に説明した。さらに、本発明の独立型データ入力ユニットが前記電子装置と共に用いられてもよい。
【０４９８】
さらに、少数のキーを用いた本発明のデータ入力システムは自動車、シミュレーション、ゲーム環境といった多くの環境で使われることができる。本発明の一実施例によれば、前記システムのキーは、車などの乗り物内に配置されてもよい。図６５ｃは、本発明のデータ入力システムで使われる少数のキーを有した乗り物のステアリング・ホイール６５２０（この例では、前記ステアリング・ホイール６５２０の相対する側６５２１〜６５２２）を示す。本発明のデータ入力システム、キー配列、及び前記キーへの記号の割当てについては詳細に説明してきた。ここに示すように使用者は、運転中に文書などのデータを入力してもよい。この目的のため、例えば運転中、手で前記ステアリング・ホイール６５２０を持ちながら、運転者は、前記キーを押して相応に話しながら／話さずに、本発明の釦押し話声データ入力システムを使うことができる。内蔵型マイクロフォン又はブルートゥース・マイクロフォンのような有線／無線マイクロフォン等の任意の種類のマイクロフォンが、データ入力中の使用者の話声を受けるために用いられてよいことが理解されよう。さらに、前記キーへの任意のキー配列及び記号割当てが、飛行機などの任意の種類の乗り物内の任意の位置に考慮されてよい。
【０４９９】
前述したように、本発明のデータ入力システム全体としての大きな利点、及び、特に少数のキーを用いた本発明のデータ入力システム（例えば、アルファベット文字及びひいては数値文字が２組の隣接したキーに配列された４つのキーの割り当てられている、及び、使用者は前記キーのうち１つを押すために、前記対になったキーのそれぞれに両手の親指それぞれを置くことができる）の大きな利点は、使用者はキーも表示ユニットも（頻繁に）見る必要なく迅速かつ正確なデータ入力をもたらすことができるということである。
【０５００】
入力認証のために対応するディスプレイを見ることが不可能／許可されていない環境 （例えば暗闇）及び状況（例えば運転中）では、入力された中で１つ又は複数の末尾の記号／語句情報を使用者に対して知らせるために、情報システムが使われてよいことが理解されよう。前記システムは、記号が本発明のデータ入力システムにより理解されるとシステムが前記記号を話す文字−話声ＴＴＳシステムであってよい。使用者は、例えば何の反応も返さないことによって前記認識された記号を確認することを要求される。また、例えば、認識された記号が間違った記号ならば、使用者は前記記号を削除するために削除キーを使うなどの事前定義された動作を与えることができる。次いで使用者は前記記号の入力を繰り返すことができる。
【０５０１】
（ネットワークでの実施）
前述のように、本発明のデータ入力システムに関連した以前の特許出願において、本発明のデータ入力システムは、サーバ／メイン・コンピュータに接続された顧客端末を備えたローカル・エリア・ネットワーク・システムのようなネットワーク・システム内で実施されてもよい。本発明の一実施例によれば、前記ネットワーク・システムにおいて、前記端末は概して、処理能力のない小型装置か、又は最大でも限界のある処理能力を持つものである。対照的に、サーバ・コンピュータは強力な処理能力を有している。この場合、サーバ・コンピュータが、前記ネットワーキング・システムの端末によりサーバへ送信された情報を処理することができる。端末を使用することによって使用者は、本発明のデータ入力システムの原則に従い、記号の入力に関する入力情報（例えば、キー押し、話声）を前記サーバに送信することができる。 前記情報を処理して対応する記号を認識した後、サーバ・コンピュータは結果を前記端末の表示ユニットに送信する。前記端末は、前記情報を入力し前記サーバ・コンピュータに対し送信するために必要な、本発明のデータ入力システムの全ての形状構成（例えば、 キー配列、前記キーに割り当てられた記号、 少なくとも１つのマイクロフォン、カメラその他など）を備えていてよいことが理解されよう。図６６は一例として、中央サーバ・コンピュータ６６００に接続された端末／データ入力ユニット６６０１〜６６０６を示し、そこでは、異なるデータ入力ユニット／端末により入力された異なるデータ／文字の一部が対応するディスプレイに印刷されている。
【０５０２】
上述の実施例は航空会社の飛行機などの多くの環境で使われることができる。最近の旅客機では、各乗客の座席には、通常前記座席の前面（例えば、通常前の座席の背面に配置され）に据え付けられ、限られた数のキーを有し、表示ユニットに接続されたリモート・コントロール・ユニットを備えている。前記リモート・コントロールは、内蔵型又は別個のマイクロフォンと組み合わせられていてよく、前記旅客機のサーバ／メイン・コンピュータと接続されていてよい。前記リモート・コントロールのかわりに、別のパーソナル・コンピュータ又はデータ入力装置を、前記サーバ／メイン・コンピュータに接続すること（例えば、前記座席内に設置されたＵＳＢポートを介して）により用いてもよい。前述のように、前記装置は、例えば、本発明のデータ入力ユニット、ＰＤＡ、携帯電話、又はノートブックであってもよい。これは、航空会社が自らの乗客に飛行中に提供する、最も魅力的な娯楽サービスとなり得る。乗客は文字を編集し、メッセージを送信し、インターネットを使い、又は、前記旅客機内の別の乗客とチャットすることができる。同様のシステムが、組織又は事業体（例えば、チェーン店のポイント・オブ・セールス）のネットワーク・システム内で実施されてもよく、そこで、本発明のデータ入力システムに基づいてデータ／文字を入力するために必要な形状構成（例えば. キー, マイクロフォン) を備えたデータ入力ユニットは、サーバ・コンピュータと関連付けて使われることができる。本発明の上述のデータ／文書入力システムは、 概して処理能力がない、又は限られた処理能力しかない端末機器による迅速かつ正確なデータ入力システムを可能にする。
【０５０３】
少数のキーを用いた本発明のデータ入力システム（例えば、４つのキーを含み、少なくともアルファベット文字が前記キーに割り当てられている）は, 多くの状況において便利であり得る。前述したように、キーを用いるかわりに、使用者は、本発明のデータ入力システムの原則に基づき、例えば、データ／文書入力のための自らの音声と組み合わせた自らの顔／頭／目の動作を使ってもよい。本発明の一実施例によれば、この目的のため、少数のキーに割り当てる代わりに、本出願及び以前の出願に記載された記号（例えば、少なくとも、ある言語の実質的に全てのアルファベット文字）を、例えば使用者の頭の、例えば四方（例えば、左、右、前、後）への動作に割り当てることができる。記号配置の割当ては、キーに関して説明したものと同じでよい。例えば、文字「Ｑ」、「Ｗ」、「Ｅ」、「Ｒ」、「Ｔ」及び「Ｙ」が、使用者の頭の左への動きに割り当てられていれば、文字「ｔ」を入力するには、使用者は頭を左に動かして「Ｔ」と言えばよい。同じ原則を、使用者の目の動作（例えば、左、右、上、下）に割り当てることができる。最後に挙げた例を参照すると、文字「Ｔ」を入力するには、使用者は目を左に動かして「Ｔ」と言えばよい。頭、目、顔その他の動作は、使用者の体に配設された、カメラ又はセンサ等の手段により検出されることができる。
【０５０４】
キーを用いない上述の実施例は、限られた運動能力を持つ人々によるデータ入力に役立つことができる。例えば、目の不自由な人は、声と組み合わせた頭の動作を使えばよく、キー押しに指を使えない人は、声と組み合わせた目／頭の動作を使えばよい。
【０５０５】
本発明の別の実施例によれば、前述したように、記号を少数のキーに割り当てる代わりに、前記記号を使用者の指の動作に割り当てることができる。一例として、図６７は使用者の手６７００を示し、そこで、前記使用者の手の４本の指６７０１〜６７０４ （例えば両手の２本の指）に対し、本発明の少数のキーに割り当てられた記号の配置に基づいて記号の配置を割り当てることができる。例えば、指６７０１の事前定義された動き又は手ぶりに対し、文字「Ｑ」、「Ｗ」、「Ｅ」、「Ｒ」、「Ｔ」及び「Ｙ」（又は前記文字で始まる単語／単語の一部）を 割り当てることができる。一例として、前記動きは、前記指を下方に動かすことであってよい。さらに例えば、文字「ｔ」を入力するには、使用者は指６７０１を下方に動かして、 好ましくは同時に「Ｔ」と言えばよい。本出願及び以前に提出された出願に記載された本発明のデータ入力システムの原則に基づいて、任意の記号の配置を考慮することができ、任意の数の使用者の指に割り当てられることができることが理解されよう。
【０５０６】
上述の実施例の引き続いた説明として、前記使用者の指の動作／手ぶりを検出するために、多くのシステムが考慮されてよい。例えば、使用者の指の動作は、前記指の、他の指と相関した位置により検出されることができる。 ある１つの方法によれば、図６７に示すように、センサ６７０５〜６７０６ （例えば、ここでは指輪の形状）を、データ入力に使われる指６７０１〜６７０２に配設してもよい。一実施例によれば、使用者の指の動きは、例えば、前記隣接した指輪６７０５〜６７０６の摩擦に基づき前記センサにより感知された振動に基づき認識されることができる（例えば、前記指輪の表面は、前記指の下向きの動きと上向きの動きでは摩擦振動が異なるようなものとなっていることが理解されよう）。
【０５０７】
別の方法によれば、センサ６７０７，６７０８は指輪型の手段 （又は使用者の指に取り付けた別の手段）に取り付けられていてよく、前記センサの互いに相関した位置付けが、指の動きを規定する。
【０５０８】
ここで説明した指動作／手ぶり検出手段は、例として説明したに過ぎないことが理解されよう。光学検出手段などの別の検出手段が考慮されてもよい。
【０５０９】
（単語のカテゴリー）
本発明の一実施例によれば、本発明の単語／単語の一部のレベルのデータ入力システムは、医学又は司法上環境などの事前定義された環境で使用されることができる。この場合、前記システムで、単語／単語の一部の大規模データベースを使う代わりに、前記環境に関連した単語／単語の一部の限定的なデータベースが考慮されてよい。このことは前記システムの精度と速度を顕著に増加させる。前記データベースから、単語／単語の一部は文字ごとに入力されることができる。
【０５１０】
（暫定的な文字ごとのデータ入力のためのモード・キー）
本発明の一実施例によれば、文字ごとのデータ／文書入力及び単語／単語の一部のデータ入力と組み合わせた本発明のデータ入力システムでは、使用者が暫定的に単一文字を入力することをシステムに対し知らせるために事前定義されたキーを使うことができる。例えば文書入力中に、使用者は、本発明の単語／単語の一部のデータ入力システムの原則に従って文書の部分を、前記事前定義されたキーを押さずに入力することがある。システムはこの場合、前記使用者が押すキーに割り当てられた字を考慮しない。システムは、前記キー押しに割り当てられた単語／単語の一部を考慮するのみである。前記事前定義されたキーが、例えば前記文書入力と関連した別のキー押しと同時に押された場合、システムは前記キー押しに割り当てられた単一文字のみを考慮し、前記キー押しに割り当てられた単語／単語の一部のデータ入力を無視する。
【０５１１】
（語句入力）
本発明の別の実施例によれば、前述したように、本発明のデータ入力システムは語句レベルの文書入力システムを備えている。例えば、語句全体を例えば、本発明の文字ごとのデータ／文書入力、及び／又は単語／単語の一部のデータ入力と組み合わせた本発明のデータ入力システムを用いて入力した後、システムは前記語句の認識された単語を解析し、前記言語の言語的特性／モデル及び／又は前記語句の意味に基づき、システムは前記語句の単語の一部を訂正、追加、又は差し替えて、間違いのない語句をもたらす。例えば、使用者が「ｌｅｔ’ｓ ｍｅｅｔ ａｔ ｎｏｏｎ」という語句を入力し、認識された単語が「ｌｅｔｓ ｍｅｅｔ ａｔ ｎｏｏｎ」だとすると、前記語句を解析して、システムは「ｌｅｔｓ」という語句を「ｌｅｔ’ｓ」という単語で置き換えて、「ｌｅｔ’ｓ ｍｅｅｔ ａｔ ｎｏｏｎ」という語句をもたらす。この実施例の利点は、本発明のデータ入力システムは高精度なシステムであるため、使用者は語句の入力中に発生したいくつかのエラーを訂正する心配をしなくて済むということである。システムは前記エラーを自動的に訂正する。語句の末尾に設けられた「．」又は改行コマンドなどの或る種の記号が、前記語句の終了点をシステムに対して知らせることが理解されよう。
【０５１２】
（語句入力）
本発明の一実施例によれば、キーなどの物体に割り当てられた記号は語句を表す。例えば、一群の単語 （例えば、「Ｂｅｓｔ ｒｅｇａｒｄｓ」）が、１つのキー（例えば、好ましくは、文字「ｂ」をも表しているキー）に対して割り当てられることができる。使用者は前記キーを押して、前記語句または前記語句の一部を話すなどの話声を提供して（例えば、この例においては、「ｂｅｓｔ ｒｅｇａｒｄｓ」と言いながら）前記語句を入力する。
【０５１３】
（単一文字に対する、及び単語／単語の一部に対する異なるモード）
前述したように、本発明のデータ入力システムは、異なるモード（例えば、キーなどの物体との異なる相互作用）を用い、そこで前記モードのそれぞれに、前記物体に割り当てられた事前定義された一群の記号が割り当てられることができる。さらに前述のように、例えば、前記モードはキーへの短い／一度の押し動作、キーへの長い押し動作、キーへの二度の押し動作、指／目での短い／長い／２重の身振り等であってよい。
【０５１４】
本発明の一実施例によれば、文字を超えるもの、すなわち語句を備えている単一文字、単語／単語の一部、語句その他は、異なるモードに対して割り当てられることができる。例えば、文字などの単一文字はキーへの一度の／短い押し動作に割り当てることができ、一方、少なくとも２文字を備えた単語／単語の一部は、キー（例えば、同一キー又は別のキー）への二度の押し動作又は長目の押し動作に割り当てることができ、又は、その逆もある（また例えば、少なくとも２文字を備えた単語／単語の一部は異なるキーへの一度押し動作に割り当てることができる）。さらに例えば、前述したように、話声（例えば、音声、唇）認識システムに紛らわしさを招いている単語／単語の一部の一部を、一つのキーへの二度押し動作に対して割り当てることができる。さらに異なる単一文字、単語その他を、１つのキーへの軽い、重い、又は二度の押し動作に割り当てることができる。さらに例えば、キーとの相互作用のモードに割り当てられている単一文字に紛らわしさを招かない単語／単語の一部を、前記キーとの相互作用の前記モードに対して割り当てることができる。相互作用の異なるモードに関しては、本出願及び本発明者により提出された別の特許出願に既に説明してある。
【０５１５】
異なる事前定義された時間経過／圧力レベルが、押し動作／モードを規定するために考慮されることが理解されよう。例えば、キーへの短時間の押し動作（例えば、０．２０秒まで）は、（そこへ第１の一群の記号を割り当てることができる）短時間押し動作として考慮され、長時間押し動作（例えば、０．２０を超えて０．４０秒まで）は、（そこへ第２の一群の記号を割り当てることができる）長時間押し動作として考慮され、さらに長い押し動作（例えば、０．４０秒を超えた）は繰り返し手順（例えば、前述した）を割り当てることができる別のモードとして考慮される。例えば、文字「ａ」を入力するには、使用者はキーを短時間押し、（その場合文字「ａ」は前記キーに割り当てられ、前記相互作用は前記キーに割り当てられている）「ａ」と言う。使用者は、例えば、「ａｉ」という単語／単語の一部を得るために前記キーを長時間押して「ａ」と言う（例えば、その場合単語／単語の一部「ａｉ」は前記キーに割り当てられ、前記相互作用は前記キーに割り当てられている）。使用者は前記キーを押して「a」と言い、前記キーを押し位置に必要なだけ保持して（例えば、さらに長い時間の間）文字「a」を繰り返し入力する。文字「a」は、使用者が前記キーを解放するまで（前記押し操作を停止するまで）繰り返される。
【０５１６】
前述したように、スペース文字を備えた単語（例えば、前記単語の前後に）を、本発明のキーなどの物体との相互作用のモードに割り当てることができる。本発明の一実施例によれば、キーとの相互作用の前記モードは、説明したような、前記キーの前記長目の／重い押し動作である。
【０５１７】
（バックスペース）
既に入力した単語／単語の一部を削除するバックスペース手順については、本出願で前に説明した。別の実施例によれば、少なくとも一種類のバックスペース手順を少なくとも相互作用の１つのモードに対して割り当てることができる。例えば、バックスペース・キーを配設して、前記前記キーを押すことにより、少なくとも１つの所望の話声、単語／単語の一部、語句その他を削除することができる。例えば、前記キーの各一度の押し動作は、前記出力後のカーソル位置前の１つの話声に対応する出力を削除することができる。例えば、使用者がある手順に従って「ｃａｌｌ」及び「ｉｎｇ」という単語／単語の一部を入力したとすると、使用者は例えば、前記キーを一回一度押しすることにより最後の話声「ｉｎｇ」を削除することができる。前記キーをもう一回一度押し動作すると、もう１つの話声に対応する出力「ｃａｌｌ」を削除することができる。 事前定義された手順に従って、例えば、前記キーの一度／二度押し動作で単語全体「ｃａｌｌｉｎｇ」を削除することができる。このような本発明のバックスペース手順の原則に基づき、当業者により多くの事前定義された削除手順が考案されることができよう。
【０５１８】
（小型化キーボード）
小型化キーボードは小型／携帯電子装置で使われる。前記キーボードの使用での主な不都合は、キーが小さくて互いに接近しているので、使用者の指でキーを押すと前記キーを誤って押すことがあるということである。ＰＤＡでは通常前記キーボードをペンで押すようになっているのはそのためである。本発明のデータ入力システムは前記欠点をなくすることができる。本発明のデータ入力システムはＰＣ型の小型化／仮想キーボードを用いてよい。キーに当たりをつけて押すことによって、使用者が（例えば、隣のキーを押して）前記キーを誤って押したとしても、本発明の一実施例によれば、また、本発明のデータ入力システムの原則によれば、使用者は前記キーに対応する話声を話すことができる。使用者の話声が、押されているキーに対応しなかった場合、システムは前記キーが誤って押されたことを示唆する。そのときシステムは、隣のキーを考慮し前記話声が前記キーのうち１つに対応すると考える。本実施例を用いることにより、小型化キーボードは通常の使用者の指で、それらのキーボードを介して削除及びデータ入力の速度を上げるように使用されることができる。本発明のデータ入力システムの原則に基づく全ての形状構成及びシステムは、そのようなキーボードと共に考慮され使われることが理解されよう。例えば、本発明の単語／単語の一部データ入力システムも本実施例と共に用いることができる。
【０５１９】
さらに前述のように、また、異なる実施例で説明されたように、本発明のデータ入力システムの原則は、前記少数である記号を事前定義された物体で事前定義された相互作用へと割当て、前記記号に対応する話声を使用／非使用することによって、前記少数である記号から１つの記号を選択することによって、多数である記号の中から事前定義された少数である記号を選択する（例えば、候補）ことである。
【０５２０】
さらに前述のように、前記物体及び、前記物体との前記相互作用は任意の種類のものであってよい。前述のように、例えば、前記物体は使用者の体の一部（指、目、等）であってよく、前記事前定義された相互作用は、前記物体を、左、右、上、下等の異なる事前定義された方向に動かすことであってよい。
【０５２１】
本発明の一実施例によれば、前記物体は電子装置であってよく、前記物体との前記相互作用は前記電子装置を事前定義された方向に傾斜させることであってよい。例えば、ある言語の文字、句読点、単語／単語の一部、機能等の、大きな記号群のうちの記号の一部を包含した前記異なる小さな記号群のそれぞれを、前記電子装置に適用された事前定義された傾斜／動作方向に対して割り当てることができる。そして、本発明のデータ入力システムの原則（前述のように）にさらに基づき、前記小さな記号群の前記記号のうち１つを、前記記号に対応する話声を与える／与えないことにより選択することができる。図６８は一例として、携帯電話６８００などの電子装置を示す。一例として、４組の記号６８０１〜６８０４を、前記装置に適用された異なる傾斜方向（例えば、左、上、右、下）６８０５〜６８０８に対して割り当てることができる。さらなる一例としては、文字「ｔ」を入力するには、使用者は前記装置を右に傾けて、前記文字に対応する話声を発音すればよい（例えば、前記文字を言う）。本発明の傾斜システムの利点の一つは、システムはキーを一切使用しなくてよく、データ入力には一方の手を使用できるということである。このことは装置内に大型ディスプレイを提供することも可能にする。図６８ａは、本発明の傾斜データ入力システムを用いた電子装置６８１０を示し、そこで大型ディスプレイ６８１１が前記電子装置の少なくとも一つの面の表面を実質的に覆っている。キーの一度押し／二度押し動作などのモードがここでは、前記装置に適用される一度傾斜／二度傾斜方向／動作に置き換えられることが理解されよう。
【０５２２】
（アポストロフィの処理）
本発明の一実施例によれば、アポストロフィを備えた事前定義された単語が作成され、１つ又は複数のキーに割り当てられて入力されることができる。例えば、「ｉｔ’ｓ」「ｗｅ’ｒｅ」「ｈｅ’ｌｌ」「ｔｈｅｙ’ｖｅ」「ｉｓｎ’ｔ」等の単語を、少なくとも１つの事前定義されたキーに対して割り当てることができる。前記単語のそれぞれを、対応するキーを押して前記単語を話すことにより入力することができる。
【０５２３】
本発明の別の実施例によれば、同じの目的のため、「’ｓ」、「’ｌｌ」「’ｖｅ」、「ｎ’ｔ」などの（例えば略語）単語が作成されて１つ又は複数のキーに割り当てられることができる。前記単語は、それらの原型の発音で発音される。例えば、
「’ｓ」は「ｓ／ｉｓ／ｈａｓ」と発音され、
「’ｒｅ」は「ａｒｅ」と発音され、
「’ｖｅ」は「ｈａｖｅ」と発音され、
「ｎ’ｔ」は「ｎｏｔ」と発音される、等。
【０５２４】
前記単語は、例えば既に入力された前の単語／文字の終わりに付けられて入力されてもよい。例えば、「ｔｈｅｙ’ｖｅ」 という単語を入力するには、使用者は２つの別々の単語「ｔｈｅｙ」及び「ｖｅ」を、それらの間にスペースを設けずに入力する（例えば、本発明のデータ入力システムに従って入力）。前述のように、アポストロフィ（例えば、単語「ｎｏｔ」の、「ｎ’ｔ」などの略語）を備えた単語に割り当てられる話声は、原型の単語と同じでよい。例えば、単語「ｎ’ｔ」と「ｎｏｔ」は両方とも「ｎｏｔ」と発音されてよい。この場合、前記単語それぞれを、同一キーへの異なる相互作用のモードに対して割り当てることができ、又は、それらのそれぞれを、別々のキーに対して割り当てることもできる。例えば、「ｎｏｔ」という単語を入力するには、使用者は対応するキーを一度押して、（例えば、「ｎｏｔ」という単語が割り当てられている前記キーとの事前定義された相互作用) 、「ｎｏｔ」と言えばよい。使用者は、「ｎ’ｔ」という単語を入力するには例えば、同一キーを二度押して（例えば、「ｎ’ｔ」という単語が割り当てられている前記キーとの事前定義された相互作用）、「ｎｏｔ」と言えばよい。本発明の別の実施例によれば、アポストロフィを備えた単語の一部／全てを、そのアポストロフィ句読点記号そのものが割り当てられたキーに割り当てることができる。
【０５２５】
本発明の一実施例によれば、アポストロフィを備えた「’ｓ」、「’ｄ」などの単語の一部を、キー及び前記キーとの相互作用のモードに割り当てて、「ｓ」や「ｄ」など対応する文字として発音することができる。紛らわしさを防ぐために、前記キー又は相互作用の前記モードは、前記対応する文字に割り当てられたものと違うものとしてよい。
【０５２６】
（４つのキーへの文字の配置）
前述のように、話声認識システムの精度を増すために、声門閉鎖発音を有した記号、（例えば、その１つを選択する話声認識に紛らわしさを招く）を、異なるキーに対して割り当てることができる。図６９は、キーパッド６９００の４つのキー６９０１〜６９０４へのアルファベット文字の割当ての別例を示す。それらを任意のキーに割り当てることができるものの、好ましくは、その１つの文字より多い文字を有した単語／単語の一部を、前記単語及び／又は前記単語の一部の最初の文字を表すキーに割り当てることができる。本例における文字の配列は、文字を備えた４つのキーを用いた本発明の文字ごとの文書入力システムの紛らわしさを排除するだけでなく、本発明の単語／単語の一部のデータ入力システムの紛らわしさをも顕著に低める。例えば、文字「ｎ」及び「ｎ」で始まる単語／単語の一部を、キー６９０３に割り当てることができる一方、文字「ｉ」及び「ｎ」で始まる単語／単語の一部を、キー６９０１に割り当てることができる。これは、例えば、「ｉｎ」という単語（キー６９０１に割り当てられる）、及び「ｎ」という単語（キー６９０３に割り当てられる）が、ほぼ同じ発音を有しているからである。 明らかに、前述したように、説明したとおりの原則に基づいた、キーへの別の記号の配置又はキーの別の数及び配列を、当業者ならば考察することができるであろう。
【０５２７】
さらに、前述のように、別の例によれば、２つの記号の話声がほぼ同じ発音であり、前記記号が同一キーに割り当てられていてキーとの同種の相互作用（例えば、対応する話声と組み合わせた）により入力されたならば、紛らわしさを避けるために、前記記号の少なくとも最初の記号に、第２の記号とほぼ同じではない発音の別の話声を割り当てることができる。 例えば、「Ｉ」及び「ｈｉ」などの２つの記号（例えば、それぞれ、ほぼ同じ発音である文字と単語である）は、１つのキーに割り当てられていて、例えばキーの一度の押し動作により、それらを話しながら入力される場合、紛らわしさを回避するため、例えば、「ｈｅｙ」などの別の話声（「ｉ」とは実質的に異なって発音される）を、記号（例えば、 単語）「ｈｉ」に割り当てることができる。
【０５２８】
（タイプの速打ち）
少なくともアルファベット文字を４つのキーへ割り当てることの利点の一つは、前にも示したが、ここで図６９ａで示すのは、使用者は自分の二本の指（例えば、左と右の親指）６９１５,６９１６それぞれを、対応する２つのキーの列（例えば、この例においては、２つのキー６９１１〜６９１２、及び２つのキー６９１３〜６９１４）に置いて、前記指が前記２つキーに同時に触れるようにすることである。このことは、文書入力中に指がキーから離れない（又はめったに離れない）ようにさせ、それゆえ使用者には、どのキーを押すのかがキーパッドを見なくてもわかる。このことは前記使用者が動いているときに早いタイピングを可能にする。この目的のため、キーのサイズ、キー間の距離、前記キーの物理的特性といった別のパラメータは、上述の手順を最適化するようなものであってよいことが理解されよう。
【０５２９】
前述したように、必要に応じて、キーの別の配置を考察してもよい。例えば、前記４つのキーを、前記文書を入力するのに使用者が一本の指のみを使う場合、使用者の指は前記４つのキーを同時に触れることができるような配置にすることが好ましい。 さらに、前記少なくともアルファベット文字が割り当てられた異なる事前定義された個数のキーを、異なる必要に応じて考慮してもよい。
【０５３０】
前述し、図５２などの図で実証したように、本発明のデータ入力システムに、多方向キーを用いてもよい。さらに、前述のように、本発明のデータ入力システムとともに、異なる個数のキー、キーの異なる種類／配置を使用することを考慮してもよい。 さらに前述のように、ある言語のアルファベット文字又は文書文字を、例えば本発明のデータ入力システムで使われる４つのキーに対して割り当てることができる。図６９ｂは一例として、二つの多方向（例えばこの例においては４方向の）キー６９２７〜６９２８を有した電子装置６９２０を示し、そこでそれらの４つのサブ・キー６９２１〜６９２４に対し、ある言語のアルファベット文字が割り当てられている。データ（例えば文書）入力のための電子装置の２つの面上の４つのキーの配列と使用については以前に記載しており、図６３ｂなどの代表的な図により示している。
【０５３１】
（伸張可能なフレキシブル・ディスプレイ・ユニットを有した装置）
前述のように, 本発明の一実施例により、ＯＬＥＤなどのフレキシブル・ディスプレイと、本発明のデータ入力システム及びその形状構成を備えた装置をもたらしてもよい。図７０ａは一例として、フレキシブル・ディスプレイ・ユニット７０００を示す。前記表示ユニットは、例えばその一端７００１で前記ユニットを丸めることにより縮めることができる。前記ディスプレイは巻きを戻すことにより広げることができる。図７０ｂは、フレキシブル・ディスプレイ・ユニット７０１１を備えたコンピュータ／通信ユニット７０１０などの電子装置を示す。前記電子装置は本発明のデータ入力システム及び本発明のキー配列を備えていてよい。この例において、前記装置は、前記キー７０１２〜７０１３を配置した２つの区域７０１８〜７０１９を備えている。前記装置の構成要素は、前記装置７０１０の前記区域７０１８，７０１９のうち少なくとも一方に実施されていてよい。前記２つの区域は有線または無線で互いに接続されていてよい。さらに前記表示ユニットの少なくとも一部が前記装置の前記２つの区域７０１８〜７０１９の少なくとも一方に配置されて（例えば丸められて）いてよい。前記装置の前記２つの区域は、事前定義された距離又は使用者が所望する任意の距離（例えば、最大距離は前記表示ユニットの最大長さの関数であってよい）で互いに伸張してもよいし、縮めてもよい。この例において、前記２つの区域は例えば、互いに対して程よい距離である。前記２つの区域を互いに対して伸張させることにより、前記表示ユニットもまた伸張されることができる（例えば、広げることにより）。使用者は、前記２つの区域７０１８−７０１９それぞれを自分のそれぞれの手に保持し、前記区域それぞれのキー７０１２〜７０１３を対応する手で使って、例えば本発明のデータ入力システムにより、前記装置７０１０及び前記装置の前記表示ユニット７０１１にデータを入力する。図７０ｃは、前記装置７０１０及び前記表示ユニット７０１１をもっと伸ばした位置で示す。少なくとも一つの釦などの手段が、前記区域を互いに対して解放する、及び／又は固定する、及び／又は縮めるために用いられてよい。これらの機能は釦及び／又はばねなどの手段により自動的にもたらされてもよい。前記機能は当業者には知られている。図７０ｄは、閉じた状態の前記装置７０１０を示す。前述のように、前記装置は通信装置であってよい。この例では、前記装置は電話装置として用いられてよい。この目的のため、マイクロフォン７０３１、及びスピーカー７０３２が前記装置内（好ましくはその両端）に、前記マイクロフォンと前記スピーカーの間の距離が使用者の口と耳に対応するように配置されてよい。前記ディスプレイはフレキシブル・ディスプレイであるため、壊れやすいことがある。図７０ｅに示すように、前記装置の前記ディスプレイを伸張した位置で保護するために、前記装置７０１０は多区域の、前記装置の前記２つの区域を伸張したり縮めたりする間、やはり互いに対して伸張し縮められる、例えば実質的に剛性の構成要素７０４１を備えていてよく、そのため、伸張した位置では前記区域は、前記ディスプレイ （不図示）が前記面に載る平坦面を提供する。前記構成要素は任意の種類のものであってよく、任意の伸張／収縮システムを備えていてよいことが理解されよう。さらに、前記表示ユニットは、たたむ／広げる、又は滑動させる／滑動を戻すなどの異なる方法により縮める／伸張させることができる。
【０５３２】
本発明の一実施例によれば、図７０ｆに示すように、丁度記載した装置のような電子装置７０１０は、内部に一体化した印刷／走査／コピーユニット（不図示）を備えていてよい。該装置は任意の幅であってよいが、前記電子装置の意匠（例えば、この例ではほぼＡ４用紙の高さがある）は、使用者が、編集済みの手紙などの文書のページを印刷するためにＡ４用紙７０１５を給紙することができるようなものであることが好ましい。
【０５３３】
モバイル・コンピューティング／通信装置のための完全なソリューションを提供することは、多くの状況において極めて有用であろう。 例えば、使用者は手紙などの文書を下書きしてそれらを即座に印刷することがある。さらに例えば、セールスマンは顧客の契約を記したインボイスなどの文書を編集して即座に受け渡しできるために印刷するかもしれない。
【０５３４】
別の実施例によれば、伸張可能な表示ユニットと本発明のデータ入力システムとを備えた折り畳み式の装置を考案することができる。前記ディスプレイは、ＯＬＥＤディスプレイなどのフレキシブル・ディスプレイであってよい。図７０ｇは、閉じた状態の前記装置７０５０を示す。図７０ｈは、前記伸張可能な表示ユニット７０５１を備えた前記装置７０５０及び、前記データ入力システムのキー７０５３〜７０５４を示す。前記装置は通信能力を有していてよい。この例では、マイクロフォン７０５５とスピーカー７０５６が前記装置内の、好ましくは前記装置の異なる区域にそれぞれ配設されている。
【０５３５】
本実施例及び関連した図面は例として説明され示されていることが理解されよう。本発明の原則に基づいた多くの別の実施例及び図面が、当業者により考案される可能性がある。
【０５３６】
例えば、図７０ｂを参照すると、前記表示ユニットを所望の長さに伸張させるときは、前記表示ユニットの前記伸張部分のみが前記装置により使われる。 例えば、前記装置のオペレーティング・システムなどのシステムが、前記表示ユニットの前記開けた（例えば、伸張した）部分への出力を管理し、指示する。 さらに、前記装置は、本発明者により提出された本特許出願及び別の特許出願に記載されたシステムの形状構成の少なくとも一部を少なくとも備えていてよい。
【０５３７】
（着脱自在なデータ入力ユニット）
前述のように、タブレットＰＣなどの電子装置は、前記装置の前面に配置された本発明のキー配置、その背面に配置された指示装置等の本発明のデータ入力形状構成を備え、前記指示装置は少なくとも前記装置の前面へのキー入力を用い、逆もまた行う。さらに、前述したように、前記装置は、前記装置から使用者の口に向けて延出している、伸張可能なマイクロフォン／カメラを備えていてよい。前述したように、前記形状構成は、前記装置のための外部データ入力ユニットを構成することができる。図７１ａは一例として、タブレットＰＣなどの電子装置用の取り外せるデータ入力ユニット７１００を示す。前記ユニットは２つの区域７１０１〜７１０２を備え、そこで前記区域それぞれは、前記装置に信号を供給するための本発明のキー配列になったキー７１０３〜７１０４を備えている。この例においては、前記区域７１０１、７１０２は、前記電子装置の両極端側に装着するように設計されている。前記区域のうち少なくとも１つは指示装置（例えば、図示しないマウス）を備え、前記取り外せるデータ入力ユニットが前記電子装置に装着されたとき、前記指示装置は前記装置の背面内に位置し、前記指示装置に関連した少なくとも１つのキー（例えば、前記キー配置になったキー）は前記装置の前面に位置しており、そのため、使用者は前記指示装置と、前記少なくとも１つの関連キー、及び／又は前記区域に配置されたキー配置を、少なくとも同じ手で同時に使うことができる。前記データ入力ユニットは、拡張可能部品７１０７内に配置された、使用者の話声を感知するための伸張可能なマイクロフォン７１０５ 及び／又はカメラ７１０６をも備えていてよい。本発明のデータ入力ユニットの特徴については、前に詳細に説明した。前記データ入力ユニットの２つの区域７１０１〜７１０２は、前記ユニットを前記電子装置に固定するために、ベルト（例えばゴムバンド）７１０１０などの手段によりそれぞれに装着されていてよい。前記データ入力ユニットは導線７１０８により前記装置に接続されていてよい。それは例えば、前記電子装置のＵＳＢポートに接続するＵＳＢ構成要素７１０９により接続されていてもよい。前記データ入力ユニットは、無線で前記装置に接続されていてもよい。さらに、区域７１０１、７１０２は別個の区域であってよく、それらを電子装置に装着するかわりに、使用者はデータ入力のために例えばそれらそれぞれを一方の手に保持（例えば使用者の手はポケットに入れてあってもよい）してもよい。
【０５３８】
前記データ入力ユニットを前記電子装置に装着する別の装着手段を考案してもよい。例えば、図７１ｂに示すように、前記装置７１００は前記目的のため、滑動及び／又は装着／分離部品７１１１〜７１１２を備えていてよい。
【０５３９】
前記データ入力ユニットは任意の個数の区域を備えていてよいことが理解されよう。例えば、前記データ入力ユニットは、丁度記載した（例えば、キーパッドのキー、指示装置など）ような形状構成が前記区域内に一体化されている、１つのみの区域を備えていてよい。
【０５４０】
図７１ｃは、コンピュータ（例えば、タブレットＰＣ）などの電子装置に装着／接続された前記データ入力ユニット７１００を示す。そこに示すように、前記データ入力ユニットのキー７１０３〜７１０４は前記装置の両極端に配置されている。マイクロフォンが使用者の口に向けて延長され、指示装置７１０５（図示していないが、ここでは前記装置の背面又は側面にある）が前記データ入力ユニットの背面に配置されている（例えば、及び明らかに前記装置の背面に）。前記指示装置に対応した少なくとも１つのキー７１２６が、 前記データ入力ユニットの前面に配置されている。明らかに、前記指示装置及びその対応するキーは任意の極端側（例えば、左、右、下）に配置されてよい。さらに、複数の（例えば、２つであって、１つは左、もう１つは右に）指示及びクリック装置が使われてよく、前記複数の指示及びクリック装置は互いに協働してよい。使用者は両手で前記装置を持ち、同時に、本発明のデータ入力システムを用いて文書などのデータを入力するために、前記キー及び前記マイクロフォンを使うことができる。前記使用者は、前記指示装置とその対応するキーを同時に使うことができる。
【０５４１】
前記データ入力ユニットは、前記タブレットＰＣなどの対応する装置に無線で接続されてもよいことが理解されよう。さらに、前記指示装置及び／又はそのキーは、前記電子装置の任意の面に一緒に又は別個に配置されていてよい。
【０５４２】
本発明の一実施例によれば、ＯＬＥＤディスプレイなどのフレキシブル・ディスプレイ ユニットを配設してもよく、そのため、閉じた状態では、前記表示ユニットは、装着者の手首に付けられる、又は、手首装着型装置のリストバンドに装着されて、ひいては前記装置に接続されるリストバンドの形状をしている。図７２は一例として、手首装着型電子装置などの電子装置７２１０のリストバンド７２１１を示し、そこで閉じた状態の前記表示ユニットが前記バンドに装着されている。図７２ｂは前記表示ユニット７２１５を取り外した位置で示す。図７２ｃは、前記表示ユニット７２１５を開いた位置で示す。
【０５４３】
本発明の一実施例によれば、実質的に類似した発音である文字／単語／単語の一部などの２つの記号の話声をシステムがより良く区別するのを助けるために、前記記号の最初の記号と実質的に類似しているが、別の記号にはあまり似ていない少なくとも１つの別の音素の組を、前記最初の記号に割り当てることができ、そのため、使用者が前記最初の記号を話声したとき、前記記号の音声認識システムによる認識の見込みが増す。例えば、文字「ｄ」と「ｂ」が同一の事前定義された相互作用に対して同一キーで割当てられていれば、音素の組「ｄｅ」に加えて文字「ｄ」の話声に対し、別の類似した音素の組「ｔｅ」（この例では、文字「ｔ」は別のキーに割り当てられている）をも割り当てることができる。他方では、音素の組「ｂｅ」に加えて、別の類似した音素の組「ｐｅ」（この例では、文字「ｐ」は別のキーに割り当てられている）をも割り当ててよい。文字「ｂ」と「ｄ」は実質的に同じ発音であるが、文字「ｔ」(音素の組「ｔｅ」)と「ｐ」の発音は、より顕著に異なっている。例えば、使用者が文字「ｂ」と「ｄ」に対応するキーを押して「ｄｅ」と言えば、システムは前記話声を誤って「ｔｅ」と認識することがある。この場合、システムは前記キー押しと組み合わされた前記話声に割り当てられた文字を供給し、文字「ｄ」を供給する。ここで挙げた例は、この実施例を説明するためだけであることが理解されよう。記載した原則に基づいた、音素／音素の組の、任意の文字／単語／単語の一部への割当てが、当業者により考案されることができよう。
【０５４４】
本出願及び本発明者により提出された別の特許出願に記載されたシステム、形状構成、増強などは、本発明の全実施例に適用できる。さらに、本発明の一実施例は、個別に機能するか、又は、本発明の１つ又は複数の別の実施例と組み合わせて機能することもできる。
【０５４５】
このように、本発明の基本的な新規形状構成を、その別の実施例へ適用した形で示し、説明してきたが、開示された発明の形式及び詳細という形での、種々の省略や置換及び変更が、本発明の真髄から逸脱せずに、当業者によりなされることが理解されよう。これは、本明細書に添付された特許請求の範囲によって示すところによってのみ限定されることを意図する。図面は必ずしも一定の縮尺で描かれたものではなく、その性質上概念的なものに過ぎないことを理解するべきである。
【０５４６】
例えば、異なる実施例では電話型キーパッドを用いて本発明の異なる実施例を説明したが、明らかに、前記キーパッドに割り当てられた任意の種類の記号配置を、本発明の実施例で用いてよい。
【０５４７】
本発明のデータ入力システムの原則を頻繁に繰り返さないために、本出願の多くの段落において、１つ又は複数の文字／単語／単語の一部／機能等の記号を１つのキー（又はキー以外の物体）に割り当てる（例えば、対応する）ことができることを述べている。記号は、多くの別の実施例に説明されたデータ入力システムの原則に従って事前定義された相互作用によりキーで入力されるはずであることが理解されよう。例えば、別段記載しない限り、前記記号は、前記キーへの一度押し動作（本発明の多くの実施例で説明されたように）であるような前記キーとの事前定義された最も簡単な相互作用により入力されることが好ましい。さらに、文字／音素の組／文字（字）の組／字の連鎖／など（例えば、一般に、話される記号）の記号の、キーへの割当てを説明した後の多くの段落において、前記記号を入力するための本発明のデータ入力システムの原則について繰り返すことを避けるために、前記原則には言及していない場合もある。別段記載しない限り, 明らかに、（本発明の多くの実施例で説明しているように）前記種類の記号（例えば、一般に、話される記号）は好ましくは、前記記号に対応する話声と好ましくは同時に組み合わされた、対応するキーへの対応する押し動作により入力されることを意図していることが理解されよう。
【０５４８】
本出願の多くの段落において、「文字の集合」又は「文字の組」という用語は文字の連鎖を規定するために用いられていることに留意するべきである。
【０５４９】
本発明の異なる実施例において、使用者の話声を感知し認識するために、音声認識システムが使用されることを述べ、意図してきたが、前記使用者の話声を感知し認識するために、前記音声認識システムの代わりに、又はそれに加えて、読唇システムが使用されてもよい。（逆もまた同様である）
【図面の簡単な説明】
【０５５０】
【図１】本発明の一実施形態になるキーパッドを示す図である、
【図２】本発明の一実施形態になるキーパッドを示す図である。
【図３】本発明の一実施形態になるディスプレイ付きキーパッドを示す図である、
【図４】本発明の一実施形態になるキーパッドを示す図である。
【図５】本発明の一実施形態になるキーパッドを示す図である。
【図６】本発明の一実施形態になるディスプレイ付きキーパッドを示す図である。
【図７】本発明の一実施形態になるディスプレイ付きキーパッドを示す図である。
【図７ｂ】本発明の一実施形態になる訂正を行なうためのフローチャートを示す図である。
【図８】本発明の一実施形態になる折り畳み可能なキーパッドを示す図である。
【図９】本発明の一実施形態になる折り畳み可能なキーパッドを示す図である。
【図１０】本発明の一実施形態になる折り畳み可能なキーパッドを示す図である。
【図１１】本発明の一実施形態になる折り畳み可能なキーパッドを示す図である。
【図１２】本発明の一実施形態になる折り畳み可能なキーパッドを示す図である。
【図１３】本発明の一実施形態になるディスプレイ付きキーパッドを示す図である。
【図１４】本発明の一実施形態になるディスプレイ付きキーパッドを示す図である。
【図１５】本発明の一実施形態になるマウス付きキーパッドを示す図である。
【図１６】本発明の一実施形態になるマウス付きキーパッドを示す図である。
【図１７】本発明の一実施形態になるキーパッドと共に使用する数個の装置を示す図である。
【図１８】本発明の一実施形態になるマイクロフォン付きキーパッドを示す図である。
【図１８ｂ】本発明の一実施形態になるマイクロフォン付きキーパッドを示す図である。
【図１８ｃ】本発明の一実施形態になるマイクロフォン付きキーパッドを示す図である。
【図１８ｄ】本発明の一実施形態になるマイクロフォン付きキーパッドを示す図である。
【図１８ｅ】本発明の一実施形態になるアンテナ付きキーパッドを示す図である。
【図１８ｆ】本発明の一実施形態になるアンテナ付きキーパッドを示す図である。
【図１８ｇ】本発明の一実施形態になるマイクロフォン付きキーパッドを示す図である。
【図１８ｈ】本発明の一実施形態になるマイクロフォン付きキーパッドを示す図である。
【図１８ｉ】本発明の一実施形態になるマイクロフォン付きキーパッドを示す図である。
【図１９】本発明の一実施形態になるディスプレイとＰＣの付いたキーパッドを示す図である。
【図２０】本発明の一実施形態になるディスプレイとＰＣの付いたキーパッドを示す図である。
【図２１ａ】本発明の一実施形態になるディスプレイとラップトップコンピュータの付いたキーパッドを示す図である。
【図２１ｂ】本発明の一実施形態になるディスプレイと表示画面の付いたキーパッドを示す図である。
【図２２ａ】本発明の一実施形態になる折り畳み可能なディスプレイ付きのキーパッドを示す図である。
【図２２ｂ】本発明の一実施形態になる腕巻き式キーパッドと遠隔ディスプレイを示す図である。
【図２３ａ】本発明の一実施形態になる腕巻き式キーパッドと折り畳み可能なディスプレイを示す図である
【図２３ｂ】本発明の一実施形態になる腕巻き式キーパッドと折り畳み可能なディスプレイを示す図である
【図２３ｃ】本発明の一実施形態になる腕巻き式の折り畳み可能なキーパッドを示す図である。
【図２４ａｂ】本発明の一実施形態になる折り畳み可能なディスプレイ付きキーパッドを示す図である。
【図２５ａ】本発明の一実施形態になる折り畳み可能なディスプレイ付きキーパッドを示す図である。
【図２５ｂ】本発明の一実施形態になる折り畳み可能なディスプレイ付きキーパッドを示す図である。
【図２６】本発明の一実施形態になる延長アーム付きキーパッドを示す図である。
【図２７】本発明の一実施形態になる延長アーム付きキーパッドを示す図である。
【図２７ａ】本発明の一実施形態になる延長アーム付きキーパッドを示す図である。
【図２７ｂ】本発明の一実施形態になる延長アーム付きキーパッドを示す図である。
【図２８】本発明の一実施形態になるキーパッドを示す図である。
【図２９】本発明の一実施形態になる口片を示す図である。
【図２９ａ】本発明の一実施形態になるキーパッドと口片の組合せを示す図である。
【図３０】本発明の一実施形態になる耳当てを示す図である。
【図３１】本発明の一実施形態になる耳当てとキーパッドの組み合せを示す図である。
【図３２】本発明の一実施形態になる耳当てを示す図である。
【図３３】本発明の一実施形態になるキーパッドを示す図である。
【図３４】本発明の一実施形態になる音声認識チャートを示す図である。
【図３５】本発明の一実施形態になる音声認識チャートを示す図である。
【図３６】本発明の一実施形態になるサンプル音声認識を示す図である。
【図３７】本発明の一実施形態になる音声認識チャートを示す図である。
【図３８】本発明の一実施形態になる音声認識チャートを示す図である。
【図３９】本発明の一実施形態になる音声認識チャートを示す図である。
【図４０】本発明の一実施形態になる音声認識チャートを示す図である。
【図４１】本発明の一実施形態になる音声認識チャートを示す図である。
【図４２】本発明の一実施形態になる従前のキーボードを示す図である。
【図４３】本発明の一実施形態になるキーパッドを示す図である。
【図４３ａ】本発明の一実施形態になるキーパッドを示す図である。
【図４３ｂ】本発明の一実施形態になるキーパッドを示す図である。
【図４４ａ】本発明の一実施形態になるキーパッドを示す図である。
【図４４ｂ】本発明の一実施形態になるキーパッドを示す図である。
【図４５】本発明の一実施形態になるキーボードを示す図である。
【図４５ａ】本発明の一実施形態になるキーパッドを示す図である。
【図４５ｂ】本発明の一実施形態になるキーパッドを示す図である。
【図４５ｃ】本発明の一実施形態になるキーパッドを示す図である。
【図４５ｄ】本発明の一実施形態になるキーパッドを示す図である。
【図４６ａ】本発明の一実施形態になるキーパッドを示す図である。
【図４６ｂ】本発明の一実施形態になるキーパッドを示す図である。
【図４６ｃ】本発明の一実施形態になるキーパッドを示す図である。
【図４７ａ】本発明の一実施形態になるディスプレイ付きキーパッドを示す図である。
【図４７ｂ】本発明の一実施形態になるディスプレイ付きキーパッドを示す図である。
【図４７ｃ】本発明の一実施形態になるディスプレイ付きキーパッドを示す図である。
【図４７ｄ】本発明の一実施形態になるディスプレイ付きキーパッドを示す図である。
【図４７ｅ】本発明の一実施形態になるディスプレイ付きキーパッドを示す図である。
【図４７ｆ】本発明の一実施形態になるディスプレイ付きキーパッドを示す図である。
【図４７ｇ】本発明の一実施形態になる標準的折り畳み紙を示す図である。
【図４７ｈ】本発明の一実施形態になる標準的折り畳み紙を示す図である。
【図４７ｉ】本発明の一実施形態になるキーパッドとディスプレイプリンタの付いた標準的折り畳み紙を示す図である。
【図４８】本発明の一実施形態になるキーパッドを示す図である。
【図４９】本発明の一実施形態になるキーパッドとディスプレイの付いた時計を示す図である。
【図４９ａ】本発明の一実施形態になる折り畳みキーパッドとディスプレイの付いた時計を示す図である。
【図４９ｂ】本発明の一実施形態になるキーパッドとディスプレイの付いた閉蓋した時計を示す図である。
【図５０ａ】本発明の一実施形態になるキーパッドの付いた閉蓋した腕巻き時計の面を示す図である。
【図５０ｂ】本発明の一実施形態になるキーパッドの付いた開蓋した腕巻き時計の面を示す図である。
【図５１】本発明の一実施形態になるキーパッドを示す図である。
【図５１ａ】本発明の一実施形態になるキーパッドを示す図である。
【図５１ｂ】本発明の一実施形態になるキーパッドを示す図である。
【図５２】本発明の一実施形態になるキーパッドを示す図である。
【図５３】本発明の一実施形態になるキーパッドとディスプレイを示す図である。
【図５４】本発明の一実施形態になるキーパッドを示す図である。
【図５５ａ】本発明の一実施形態になるキーパッドを示す図である。
【図５５ｂ】本発明の一実施形態になるキーパッドを示す図である。
【図５５ｃ】本発明の一実施形態になるユーザの手に載せたキーパッドを示す図である。
【図５５ｄｅ】本発明の一実施形態になるマイクロフォンとカメラを示す図である。
【図５５ｆ】本発明の一実施形態になる折り畳みキーパッドを示す図である。
【図５５ｇ】本発明の一実施形態になるキーパッド用のキーを示す図である。
【図５５ｈ】本発明の一実施形態になるマウス上のキーパッドを示す図である。
【図５５ｉ】本発明の一実施形態になるキーパッド上のマウスの下側を示す図である。
【図５５ｊ】本発明の一実施形態になるイヤーフォンとキーパッド付きマイクロフォンを示す図である。
【図５６】本発明の一実施形態になるキーパッドを示す図である。
【図５６ａ】本発明の一実施形態になるキーパッドを示す図である。
【図５６ｂ】本発明の一実施形態になるキーパッドを示す図である。
【図５７】本発明の一実施形態になるキーパッドを示す図である。
【図５７ａ】本発明の一実施形態になるキーパッドを示す図である。
【図５８ａ】本発明の一実施形態になるキーパッドを示す図である。
【図５８ｂ】本発明の一実施形態になるキーパッドを示す図である。
【図５８ｃ】本発明の一実施形態になるキーパッドを示す図である。
【図５９ａ】本発明の一実施形態になるキーパッドを示す図である。
【図５９ｂ】本発明の一実施形態になるキーパッドを示す図である。
【図６０】本発明の一実施形態になるキーパッドとディスプレイカバーを示す図である。
【図６１ａ】本発明の一実施形態になるキーパッドを示す図である。
【図６１ｂ】本発明の一実施形態になるキーパッドを示す図である。
【図６１ｃ】本発明の一実施形態になるキーパッドを示す図である。
【図６２ａ】本発明の一実施形態になるキーパッドとディスプレイを示す図である。
【図６２ｂ】本発明の一実施形態になるキーパッドとディスプレイを示す図である。
【図６３ａ】本発明の一実施形態になるキーパッドとディスプレイを示す図である。
【図６３ｂ】本発明の一実施形態になるキーパッドとディスプレイを示す図である。
【図６３ｃ】本発明の一実施形態になるキーパッドとディスプレイを示す図である。
【図６３ｄ】本発明の一実施形態になるキーパッドとディスプレイを示す図である。
【図６３ｅ】本発明の一実施形態になるヘッドセット上のキーパッドとディスプレイを示す図である。
【図６４ａ】本発明の一実施形態になるキーパッドとディスプレイを示す図である。
【図６４ｂ】本発明の一実施形態になる折り畳み可能なキーパッドとディスプレイを示す図である。
【図６５ａ】本発明の一実施形態になるキーパッドとディスプレイを示す図である。
【図６５ｂ】本発明の一実施形態になるキーパッドとディスプレイの背面側を示す図である。
【図６５ｃ】本発明の一実施形態になるキーパッドとディスプレイを示す図である。
【図６６】本発明の一実施形態になるメインサーバ／コンピュータを介して接続した複数のキーパッドとディスプレイを示す図である。
【図６７】本発明の一実施形態になるリングセンサの形をしたキーパッドを示す図である。
【図６８】本発明の一実施形態になるキーパッドとディスプレイを示す図である。
【図６８ａ】本発明の一実施形態になるディスプレイを示す図である。
【図６９】本発明の一実施形態になるキーパッドを示す図である。
【図６９ａ】本発明の一実施形態になるキーパッドを示す図である。
【図６９ｂ】本発明の一実施形態になるキーパッドとディスプレイを示す図である。
【図７０ａ】本発明の一実施形態になる可撓性ディスプレイを示す図である。
【図７０ｂ】本発明の一実施形態になるキーパッド付き可撓性ディスプレイを示す図である。
【図７０ｃ】本発明の一実施形態になるキーパッド付き可撓性ディスプレイを示す図である。
【図７０ｄ】本発明の一実施形態になるキーパッド付きの閉じた折り畳み式ディスプレイを示す図である。
【図７０ｅ】本発明の一実施形態になるキーパッド付きの開いた折り畳み式ディスプレイを示す図である。
【図７０ｆ】本発明の一実施形態になるキーパッドとプリンタの付いた可撓性ディスプレイを示す図である。
【図７０ｇ】本発明の一実施形態になるキーパッド付きの閉じた折り畳み式ディスプレイを示す図である。
【図７０ｈ】本発明の一実施形態になるキーパッド付きの開いた折り畳み式ディスプレイを示す図である。
【図７１ａ】本発明の一実施形態になるキーパッドとアンテナの付いた可撓性ディスプレイを示す図である。
【図７１ｂ】本発明の一実施形態になるキーボードとアンテナの付いた可撓性ディスプレイを示す図である。
【図７１ｃ】本発明の一実施形態になるキーパッドと伸張式マイクロフォンの付いたディスプレイを示す図である。
【図７２ａ】本発明の一実施形態になる電子装置の腕バンドを示す図である。
【図７２ｂ】本発明の一実施形態になる閉じた位置にある脱着可撓性ディスプレイを示す図である。
【図７２ｃ】本発明の一実施形態になる開いた位置にある脱着可撓性ディスプレイを示す図である。
【図１】
2010211825.tif 000004
【図２】
2010211825.tif 000005
【図３】
2010211825.tif 000006
【図４】
2010211825.tif 000007
【図５】
2010211825.tif 000008
【図６】
2010211825.tif 000009
【図７】
2010211825.tif 000010
【図７ｂ】
2010211825.tif 000011
【図８】
2010211825.tif 000012
【図９】
2010211825.tif 000013
【図１０】
2010211825.tif 000014
【図１１】
2010211825.tif 000015
【図１２】
2010211825.tif 000016
【図１３】
2010211825.tif 000017
【図１４】
2010211825.tif 000018
【図１５】
2010211825.tif 000019
【図１６】
2010211825.tif 000020
【図１７】
2010211825.tif 000021
【図１８】
2010211825.tif 000022
【図１８ｂ】
2010211825.tif 000023
【図１８ｃ】
2010211825.tif 000024
【図１８ｄ】
2010211825.tif 000025
【図１８ｅ】
2010211825.tif 000026
【図１８ｆ】
2010211825.tif 000027
【図１８ｇ】
2010211825.tif 000028
【図１８ｈ】
2010211825.tif 000029
【図１８ｉ】
2010211825.tif 000030
【図１９】
2010211825.tif 000031
【図２０】
2010211825.tif 000032
【図２１ａ】
2010211825.tif 000033
【図２１ｂ】
2010211825.tif 000034
【図２２ａ】
2010211825.tif 000035
【図２２ｂ】
2010211825.tif 000036
【図２３ａ】
2010211825.tif 000037
【図２３ｂ】
2010211825.tif 000038
【図２３ｃ】
2010211825.tif 000039
【図２４ａｂ】
2010211825.tif 000040
【図２５ａ】
2010211825.tif 000041
【図２５ｂ】
2010211825.tif 000042
【図２６】
2010211825.tif 000043
【図２７】
2010211825.tif 000044
【図２７ａ】
2010211825.tif 000045
【図２７ｂ】
2010211825.tif 000046
【図２８】
2010211825.tif 000047
【図２９】
2010211825.tif 000048
【図２９ａ】
2010211825.tif 000049
【図３０】
2010211825.tif 000050
【図３１】
2010211825.tif 000051
【図３２】
2010211825.tif 000052
【図３３】
2010211825.tif 000053
【図３４】
2010211825.tif 000054
【図３５】
2010211825.tif 000055
【図３６】
2010211825.tif 000056
【図３７】
2010211825.tif 000057
【図３８】
2010211825.tif 000058
【図３９】
2010211825.tif 000059
【図４０】
2010211825.tif 000060
【図４１】
2010211825.tif 000061
【図４２】
2010211825.tif 000062
【図４３】
2010211825.tif 000063
【図４３ａ】
2010211825.tif 000064
【図４３ｂ】
2010211825.tif 000065
【図４４ａ】
2010211825.tif 000066
【図４４ｂ】
2010211825.tif 000067
【図４５】
2010211825.tif 000068
【図４５ａ】
2010211825.tif 000069
【図４５ｂ】
2010211825.tif 000070
【図４５ｃ】
2010211825.tif 000071
【図４５ｄ】
2010211825.tif 000072
【図４６ａ】
2010211825.tif 000073
【図４６ｂ】
2010211825.tif 000074
【図４６ｃ】
2010211825.tif 000075
【図４７ａ】
2010211825.tif 000076
【図４７ｂ】
2010211825.tif 000077
【図４７ｃ】
2010211825.tif 000078
【図４７ｄ】
2010211825.tif 000079
【図４７ｅ】
2010211825.tif 000080
【図４７ｆ】
2010211825.tif 000081
【図４７ｇ】
2010211825.tif 000082
【図４７ｈ】
2010211825.tif 000083
【図４７ｉ】
2010211825.tif 000084
【図４８】
2010211825.tif 000085
【図４９】
2010211825.tif 000086
【図４９ａ】
2010211825.tif 000087
【図４９ｂ】
2010211825.tif 000088
【図５０ａ】
2010211825.tif 000089
【図５０ｂ】
2010211825.tif 000090
【図５１】
2010211825.tif 000091
【図５１ａ】
2010211825.tif 000092
【図５１ｂ】
2010211825.tif 000093
【図５２】
2010211825.tif 000094
【図５３】
2010211825.tif 000095
【図５４】
2010211825.tif 000096
【図５５ａ】
2010211825.tif 000097
【図５５ｂ】
2010211825.tif 000098
【図５５ｃ】
2010211825.tif 000099
【図５５ｄｅ】
2010211825.tif 000100
【図５５ｆ】
2010211825.tif 000101
【図５５ｇ】
2010211825.tif 000102
【図５５ｈ】
2010211825.tif 000103
【図５５ｉ】
2010211825.tif 000104
【図５５ｊ】
2010211825.tif 000105
【図５６】
2010211825.tif 000106
【図５６ａ】
2010211825.tif 000107
【図５６ｂ】
2010211825.tif 000108
【図５７】
2010211825.tif 000109
【図５７ａ】
2010211825.tif 000110
【図５８ａ】
2010211825.tif 000111
【図５８ｂ】
2010211825.tif 000112
【図５８ｃ】
2010211825.tif 000113
【図５９ａ】
2010211825.tif 000114
【図５９ｂ】
2010211825.tif 000115
【図６０】
2010211825.tif 000116
【図６１ａ】
2010211825.tif 000117
【図６１ｂ】
2010211825.tif 000118
【図６１ｃ】
2010211825.tif 000119
【図６２ａ】
2010211825.tif 000120
【図６２ｂ】
2010211825.tif 000121
【図６３ａ】
2010211825.tif 000122
【図６３ｂ】
2010211825.tif 000123
【図６３ｃ】
2010211825.tif 000124
【図６３ｄ】
2010211825.tif 000125
【図６３ｅ】
2010211825.tif 000126
【図６４ａ】
2010211825.tif 000127
【図６４ｂ】
2010211825.tif 000128
【図６５ａ】
2010211825.tif 000129
【図６５ｂ】
2010211825.tif 000130
【図６５ｃ】
2010211825.tif 000131
【図６６】
2010211825.tif 000132
【図６７】
2010211825.tif 000133
【図６８】
2010211825.tif 000134
【図６８ａ】
2010211825.tif 000135
【図６９】
2010211825.tif 000136
【図６９ａ】
2010211825.tif 000137
【図６９ｂ】
2010211825.tif 000138
【図７０ａ】
2010211825.tif 000139
【図７０ｂ】
2010211825.tif 000140
【図７０ｃ】
2010211825.tif 000141
【図７０ｄ】
2010211825.tif 000142
【図７０ｅ】
2010211825.tif 000143
【図７０ｆ】
2010211825.tif 000144
【図７０ｇ】
2010211825.tif 000145
【図７０ｈ】
2010211825.tif 000146
【図７１ａ】
2010211825.tif 000147
【図７１ｂ】
2010211825.tif 000148
【図７１ｃ】
2010211825.tif 000149
【図７２ａ】
2010211825.tif 000150
【図７２ｂ】
2010211825.tif 000151
【図７２ｃ】
2010211825.tif 000152